(57)【要約】      （修正有）【課題】ウェアラブル装置のカメラ機能を利用してユーザの便宜性を増進する移動端末機を提供する。【解決手段】移動端末機１００はウェアラブル装置２００と制御部を含む。制御部は、情報をディスプレーし、タッチ入力を受信可能なタッチスクリーン及びアイコンに対するタッチが入力されると、タッチスクリーン上に第１制御領域と第２制御領域を同時に表示するように制御する。タッチスクリーンは、ウェアラブル装置を制御する制御画面を表示するようにするアイコンを有する。制御画面は第１及び第２領域を含み、第１制御領域は音響を制御し、第２制御領域はカメラモジュール２８０、２９０を制御する。【選択図】図１
2016076202.tif 000002
【特許請求の範囲】
【請求項１】
第１無線装置、音響出力部及び少なくとも一つ以上のカメラを具備したウェアラブル装置と、
前記ウェアラブル装置と無線通信を行う第２無線通信装置と、
情報をディスプレーしタッチ入力を受信可能なタッチスクリーンと、
前記タッチスクリーンは前記ウェアラブル装置を制御する制御画面を表示するようにするアイコンを有し、前記制御画面は音響を制御する第１制御領域と前記カメラを制御する第２制御領域を含み、
前記アイコンに対するタッチが入力されると前記タッチスクリーン上に前記第１制御領域と前記第２制御領域を同時に表示するように制御する制御部と、を含む、移動端末機。
【請求項２】
前記制御画面はカメラ制御画面を含み、
前記カメラ制御画面は前記少なくとも一つ以上のカメラの回動角度を調節するための角度調節ボタンを含む、請求項１に記載の移動端末機。
【請求項３】
前記制御画面はカメラ制御画面を含み、
前記カメラ制御画面は前記少なくとも一つ以上のカメラを個別的に又は一括して活性化するための少なくとも一つ以上のカメラボタンを含む、請求項１に記載の移動端末機。
【請求項４】
前記制御部は、
前記カメラボタンに対するタッチが入力されると、前記タッチスクリーンを制御して該当カメラボタンに対応するプレビュー画面をディスプレーする、請求項３に記載の移動端末機。
【請求項５】
前記プレビュー画面は前記カメラ制御画面上にディスプレーされるか前記カメラ制御画面とは別途のウィンドウでディスプレーされる、請求項４に記載の移動端末機。
【請求項６】
前記制御画面は音楽制御画面を更に含み、
前記カメラ制御画面上に少なくとも一つ以上のプレビュー画面がディスプレーされる際、前記少なくとも一つ以上のプレビュー画面は前記音楽制御画面に対して垂直方向に沿って又は水平方向に沿ってディスプレーされる、請求項５に記載の移動端末機。
【請求項７】
前記カメラ制御画面上に少なくとも一つ以上のプレビュー画面がディスプレーされる際、前記少なくとも一つ以上のプレビュー画面のうち第１プレビュー画面はディスプレーされて第２プレビュー画面は前記第１プレビュー画面の一側にディスプレーされるキューに隠され、
前記キューに対するフリックタッチが入力されると、前記キューに隠されていた第２プレビュー画面が前記第１プレビュー画面の一領域上にディスプレーされる、請求項５に記載の移動端末機。
【請求項８】
前記アイコンはウェアラブル装置専用アイコン又はフローティングアイコンのうち一つを含む、請求項１に記載の移動端末機。
【請求項９】
前記ウェアラブル装置の前記カメラは少なくとも一つ以上の写真イメージを獲得し、
前記制御部は、
前記少なくとも一つ以上の写真イメージを表示し、
前記少なくとも一つ以上の写真イメージのうち特定写真イメージに対する選択が入力されると前記特定写真イメージを撮影する当時に聞いていた音楽を再生するように制御する、請求項１に記載の移動端末機。
【請求項１０】
前記ウェアラブル装置は時間周期又は距離に応じて撮影した写真イメージを獲得し、
前記制御部は、
時間バーを表示し、
前記時間バーから特定時間に対する選択が入力されると前記特定時間で動いた距離と前記特定時間に撮影された写真イメージを表示するように制御する、請求項１に記載の移動端末機。
【請求項１１】
前記撮影された写真イメージには撮影当時に再生中の音楽に関するタグ情報が付加され、
前記制御部は、
前記タグ情報に関するアイコンを表示し、
前記タグ情報に関するアイコンに対する選択が入力されると前記撮影当時に再生中の音楽を再生するように制御する、請求項１０に記載の移動端末機。
【請求項１２】
前記制御部は、
前記音楽が再生される際、前記撮影された写真イメージを表示するように制御する、請求項１１に記載の移動端末機。
【請求項１３】
前記制御部は、
タッチスクリーン上の画面を第１及び第２領域に区分し、
前記第１領域上に写真イメージがスライドで再生され、
前記第２領域上に前記写真イメージが撮影された位置を表示するマーカーを含むデータ情報を表示するように制御する、請求項１に記載の移動端末機。
【請求項１４】
第１無線装置、音響出力部及び少なくとも一つ以上のカメラを具備したウェアラブル装置と、
前記ウェアラブル装置と無線通信を行う第２無線通信装置と、
情報をディスプレーしタッチ入力を受信可能なタッチスクリーンと、
前記タッチスクリーンは前記ウェアラブル装置を制御する制御画面を表示するようにするアイコンを有し、前記制御画面は音響を制御する音響制御領域と前記少なくとも一つ以上のカメラを制御するためのボタンを含み、
前記アイコンに対する選択が入力されると前記タッチスクリーン上に前記音響制御画面と前記制御ボタンを同時に表示するように制御する制御部と、を含む、移動端末機。
【請求項１５】
前記制御部は、
前記制御ボタンに対する選択が入力されると前記少なくとも一つ以上のカメラのうち一つ又は２つ以上のカメラに対するプレビュー画面を表示するように制御する、請求項１４に記載の移動端末機。
【請求項１６】
前記ウェアラブル装置の前記カメラは少なくとも一つ以上の写真イメージを獲得し、
前記制御部は、
前記少なくとも一つ以上の写真イメージを表示し、
前記少なくとも一つ以上の写真イメージのうち特定写真イメージに対する選択が入力されると前記特定写真イメージを撮影する当時に聞いていた音楽を再生するように制御する、請求項１４に記載の移動端末機。
【請求項１７】
前記ウェアラブル装置は時間周期又は距離に応じて撮影した写真イメージを獲得し、
前記制御部は、
時間バーを表示し、
前記時間バーから特定時間に対する選択が入力されると前記特定時間で動いた距離と前記特定時間に撮影された写真イメージを表示するように制御する、請求項１４に記載の移動端末機。
【請求項１８】
前記撮影された写真イメージには撮影当時に再生中の音楽に関するタグ情報が付加され、
前記制御部は、
前記タグ情報に関するアイコンを表示し、
前記タグ情報に関するアイコンに対する選択が入力されると前記撮影当時に再生中の音楽を再生するように制御する、請求項１７に記載の移動端末機。
【請求項１９】
前記制御部は、
前記音楽が再生される際、前記撮影された写真イメージを表示するように制御する、請求項１８に記載の移動端末機。
【請求項２０】
前記制御部は、
タッチスクリーン上の画面を第１及び第２領域に区分し、
前記第１領域上に写真イメージがスライドで再生され、
前記第２領域上に前記写真イメージが撮影された位置を表示するマーカーを含むデータ情報を表示するように制御する、請求項１４に記載の移動端末機。
【発明の詳細な説明】
【技術分野】
【０００１】
本発明はユーザの便宜が寄り考慮されて端末機の使用が具現される移動端末機に関するものである。
【背景技術】
【０００２】
端末機は移動可能可否に応じて移動端末機（ｍｏｂｉｌｅ／ｐｏｒｔａｂｌｅ  ｔｅｒｍｉｎａｌ  ｄｅｖｉｃｅ）及び固定端末機（ｓｔａｔｉｏｎａｒｙ  ｔｅｒｍｉｎａｌ  ｄｅｖｉｃｅ）に分けられる。移動端末機は、使用者の直接形態可能可否によって形態（型）端末機（ｈａｎｄ−ｈｅｌｄ  ｔｅｒｍｉｎａｌ  ｄｅｖｉｃｅ）及び据置型端末機（ｆｌｏｏｒ−ｔｙｐｅｄ  ｔｅｒｍｉｎａｌ  ｄｅｖｉｃｅ）に更に分けられる。
【０００３】
移動端末機の機能は多様化している。例えば、データと音声通信、カメラを介した写真イメージ及びビデオ撮影、音声録音、スピーカシステムを介した音楽ファイル再生、そしてディスプレー部（画面）にイメージやビデオを出力する機能がある。一部の端末機には電子ゲームプレー機能が追加されるか、マルチメディアプレーヤー機能を行う。特に、最近の移動端末機は放送プログラムとビデオのような視覚的コンテンツを提供するマルチキャスト信号を受信する。
【０００４】
このような端末機（ｔｅｒｍｉｎａｌ）は、機能が多様化されることによって、例えば写真イメージや動画の撮影、音楽又は動画ファイルの再生、ゲームの実行、放送の受信など複合的な機能を備えたマルチメディア機器（ｍｕｌｔｉｍｅｄｉａ  ｐｌａｙｅｒ）の形態に具現されている。
【０００５】
このような端末機の機能支援及び増大のために、端末機の構造的な部分及び／又はソフトウェア的な部分を改良することが考慮される。
【０００６】
端末機の一種として無線音響装置がある。
【０００７】
無線音響装置はユーザの首に着用され、移動端末機と連動されて多様な機能を具現する。無線音響装置はユーザの首に着用され、ユーザが別途に手に持つ必要がなく軽いためウェアラブルディバイスとして注目を浴びている。
【０００８】
無線音響装置は多様な機能付加が試みられており、なお無線音響装置に最適した構成及び／又はユーザ環境（ＵＸ：ｕｓｅｒ  ｅｘｐｅｒｉｅｎｃｅ）に対する研究が活発に行われている。
【発明の概要】
【発明が解決しようとする課題】
【０００９】
本発明は上述した問題及び他の問題を解決することを目的とする。
【００１０】
本発明の他の目的は、ウェアラブル装置のカメラ機能を利用してユーザの便宜性を増進する移動端末機を提供することである。
【００１１】
本発明のまた他の目的は、ユーザが音楽やラジオ放送を聞きながらもウェアラブル装置から提供された前方映像及び／又は後方映像がディスプレーされる移動端末機の外面を介して周辺の動きや危険をリアルタイムで確認し対処することができるため、ユーザの安全を確保することができる。
【００１２】
本発明の更に他の目的は、ウェアラブル装置から提供された前方映像及び／又は後方映像がリアルタイプで録画されてユーザがいつでも前記録画された映像から特定時間帯に当たる映像を見ることができるため、車両の接触事故や犯罪現場に関する重要な証拠資料を提供することができる。
【００１３】
本発明の更に他の目的は、ウェアラブル装置から提供された前方映像及び／又は後方映像とユーザの現在に位置情報を利用してユーザの望みの商店名やユーザが行こうとする場所を用意に探すことができる。
【００１４】
本発明の更に他の目的は、ウェアラブル装置から提供された前方映像及び／又は後方映像に基づいてユーザに移動した経路を案内し訪問地で撮影された写真イメージを提供することができるため、ユーザに旅行の思い出を提供することができる。
【課題を解決するための手段】
【００１５】
移動端末機は第１無線通信装置、音響出力部及び少なくとも一つ以上のカメラを具備したウェアラブル装置、前記ウェアラブル装置と無線通信を行う第２無線通信装置、情報をディスプレーしタッチ入力を受信可能なタッチスクリーン及びアイコンに対するタッチが入力されると前記タッチスクリーンの上に第１制御領域と第２制御領域を同時に表示する制御部を含む。前記タッチスクリーンは前記ウェアラブル装置を制御する制御画面を表示するようにする前記アイコンを有し、前記制御画面は音響を制御する前記第１制御領域と前記カメラを制御する前記第２制御領域を含む。
【００１６】
移動端末機は第１無線通信装置、音響出力部及び少なくとも一つ以上のカメラを具備したウェアラブル装置、前記ウェアラブル装置と無線通信を行う第２無線通信装置、情報をディスプレーしタッチ入力を受信可能なタッチスクリーン及びアイコンに対する選択が入力されると前記タッチスクリーンの上に音響制御画面と制御ボタンを同時に表示するように制御する制御部を含む。前記タッチスクリーンは前記ウェアラブル装置を制御する制御画面を表示するようにする前記アイコンを有し、前記制御画面は音響を制御する前記音響制御画面と前記少なくとも一つ以上のカメラを制御するための前記制御ボタンを含む。
【図面の簡単な説明】
【００１７】
【図１】本発明の第１実施例によるウェアラブル装置を含む音響システムを示すシステム図である。
【図２】本発明の実施例によるウェアラブル装置と無線通信する移動端末機の制御構成を示すブロック図である。
【図３】本発明の実施例によるウェアラブル装置の制御構成を示すブロック図である。
【図４】本発明の第１実施例によるウェアラブル装置の分解斜視図である。
【図５】本発明の実施例によるウェアラブル装置に具備される後方カメラモジュールの駆動メカニズムを示す分解斜視図である。
【図６】本発明の第２実施例によるウェアラブル装置の斜視図である。
【図７】本発明の第３実施例によるウェアラブル装置の斜視図である。
【図８】本発明の第３実施例によるウェアラブル装置に具備される前方カメラモジュールが前方にティルティングされた状態を示す拡大斜視図である。
【図９】本発明の第３実施例によるウェアラブル装置に具備される前方カメラモジュールのティルティングメカニズムを示す分解斜視図である。
【図１０】図８のＩ−Ｉに沿って切開される縦断面図であって、前方カメラモジュールのティルティング前の状態を示す断面図である。
【図１１】図８のＩ−Ｉに沿って切開される縦断面図であって、前方カメラモジュールがティルティングされた状態を示す断面図である。
【図１２Ａ】移動端末機のディスプレー部を示す図である。
【図１２Ｂ】前記第２撮影アプリケーションをタッチした際に表示される画面の状態を示す図である。
【図１２Ｃ】前方カメラアイコンが選択された際のディスプレー部を示す図である。
【図１３】本発明の第４実施例によるウェアラブル装置の斜視図である。
【図１４】本発明の第５実施例によるウェアラブル装置の正面斜視図である。
【図１５】本発明の第５実施例によるウェアラブル装置の背面斜視図である。
【図１６】図１５のウェアラブル装置に装着される前方カメラモジュールの斜視図である。
【図１７】本発明の第６実施例によるウェアラブル装置の前面斜視図である。
【図１８】本発明の第６実施例によるウェアラブル装置の背面斜視図である。
【図１９】本発明の第７実施例によるウェアラブル装置の斜視図である。
【図２０】本発明の第７実施例によるウェアラブル装置の斜視図である。
【図２１】本発明の実施例によるポップアップ可能な前方カメラモジュールの分解斜視図である。
【図２２Ａ】前記ポップアップ可能な前方カメラモジュールが安着されるボディ部の部分平面図である。
【図２２Ｂ】図１９のII−IIに沿って切開される断面図である。
【図２２Ｃ】図２０のIII −III に沿って切開される断面図である。
【図２３】本発明の第８実施例によるウェアラブル装置の前面斜視図である。
【図２４】本発明の第８実施例によるウェアラブル装置の背面斜視図である。
【図２５】本発明の第８実施例によるウェアラブル装置の着用状態を示す図である。
【図２６】本発明の第９実施例によるウェアラブル装置のボディ部を示す斜視図である。
【図２７】本発明の第９実施例によるウェアラブル装置のボディ部を示す斜視図である。
【図２８】本発明の第１０実施例によるウェアラブル装置の斜視図である。
【図２９】本発明の第１１実施例によるウェアラブル装置の斜視図である。
【図３０】本発明の第１１実施例によるウェアラブル装置の分解斜視図である。
【図３１】本発明の第１２実施例によるウェアラブル装置の斜視図である。
【図３２】本発明の第１２実施例による後方カメラモジュールの動作様子を示す図である。
【図３３】本発明の第１２実施例による後方カメラモジュールの動作様子を示す図である。
【図３４】本発明に関する移動端末機とウェアラブル装置の使用様態を示す図である。
【図３５】本発明の第１３実施例によるウェアラブル装置を制御するための制御画面を移動端末機にディスプレーする方法を説明する順序図である。
【図３６】本発明の第１３実施例によるウェアラブル装置を制御するための制御画面を移動端末機にディスプレーする方法を説明する画面例示図である。
【図３７】図３６ｃに示したカメラ制御画面の上にディスプレーされる「両方」ボタンが選択される際にディスプレーされるプレビュー画面を示す第１画面例示図である。
【図３８】後方カメラモジュールの後方カメラの現在の視野角を示す図である。
【図３９】後方カメラモジュールの後方カメラが調節されて視野角が可変する様子を示す図である。
【図４０】図３６ｃに示したカメラ制御画面の上にディスプレーされる「両方」ボタンが選択される際にディスプレーされるプレビュー画面を示す第２画面例示図である。
【図４１】図３６ｃに示したカメラ制御画面の上にディスプレーされる「両方」ボタンが選択される際にディスプレーされるプレビュー画面を示す第３画面例示図である。
【図４２】図３６ｃに示したカメラ制御画面の上にディスプレーされる「両方」ボタンが選択される際にディスプレーされるプレビュー画面を示す第４画面例示図である。
【図４３】図３６ｃに示したカメラ制御画面の上にディスプレーされる「両方」ボタンが選択される際にディスプレーされるプレビュー画面を示す第５画面例示図である。
【図４４】本発明の第１４実施例によるウェアラブル装置を制御するための制御画面を移動端末機にディスプレーする方法を説明する順序図である。
【図４５】本発明の第１４実施例によるウェアラブル装置を制御するための制御画面を移動端末機にディスプレーする方法を説明する画面例示図である。
【図４６】本発明の第１５実施例によるウェアラブル装置を制御するための制御画面を移動端末機にディスプレーする方法を説明する順序図である。
【図４７】本発明の第１５実施例によるウェアラブル装置を制御するための制御画面を移動端末機にディスプレーする方法を説明する画面例示図である。
【図４８】本発明の第１６実施例によるウェアラブル装置を制御するための制御画面を移動端末機にディスプレーする方法を説明する順序図である。
【図４９】本発明の第１６実施例によるウェアラブル装置を制御するための制御画面を移動端末機にディスプレーする方法を説明する画面例示図である。
【図５０】ウェアラブル装置のタッチ回数に応じて前方カメラモジュールと後方カメラモジュールを選択的に活性化する方法を示す画面例示図である。
【図５１】ウェアラブル装置との距離に応じて前方カメラモジュールと後方カメラモジュールを選択的に活性化する方法を示す画面例示図である。
【図５２】本発明によるウェアラブル装置における特定情況で自動的に撮影する方法を説明する順序図である。
【図５３】本発明によるウェアラブル装置における特定情況で自動的に撮影する方法を説明する第１画面例示図である。
【図５４】本発明によるウェアラブル装置における特定情況で自動的に撮影する方法を説明する第２画面例示図である。
【図５５】本発明によるウェアラブル装置における特定情況で自動的に撮影する方法を説明する順序図である。
【図５６】本発明によるウェアラブル装置におけるカメラモジュールが揺れるときに写真イメージを撮影する方法を説明する順序図である。
【図５７】本発明によるウェアラブル装置におけるカメラモジュールが揺れるときに写真イメージを撮影する方法を説明する画面例示図である。
【図５８】多数のフレーム映像で構成される動画を示す図である。
【図５９】本発明によるウェアラブル装置を利用して前方映像及び後方映像を録画する方法を説明する順序図である。
【図６０】本発明によるウェアラブル装置によって録画された映像を移動端末機にディスプレーする方法を説明する画面例示図である。
【図６１】図６０に示した前方映像再生領域と後方映像再生領域が互いにスイッチングされる方法を説明する例示図である。
【図６２】図６０に示した前方映像再生領域を可変する方法を説明する第１画面例示図である。
【図６３】図６０に示した前方映像再生領域を可変する方法を説明する第２画面例示図である。
【図６４】本発明によるウェアラブル装置を利用してユーザが特定場所で建物を用意に探す方法を説明する順序図である。
【図６５】場所及び名前を含む目的地を登録する方法を説明する画面例示図である。
【図６６】本発明のウェアラブル装置で撮影されたを写真イメージリストを移動端末機の上にロードビューマップでディスプレーする方法を説明する順序図である。
【図６７】ウェアラブル装置から提供された写真イメージを移動端末機でディスプレーする方法を説明する画面例示図である。
【図６８Ａ】移動端末機でロードビューマップをディスプレーする方法を説明する画面例示図である。
【図６８Ｂ】移動端末機でロードビューマップをディスプレーする方法を説明する画面例示図である。
【図６９】移動端末機でロードビューマップをディスプレーする方法を説明する他の画面例示図である。
【図７０】本発明に関するウェアラブル装置とグラスディバイスを含むシステムを示す概略図である。
【図７１】ウェアラブル装置に前方カメラモジュール及び後方カメラモジュールだけでなく左側カメラモジュール及び右側カメラモジュールが追加に装着された様子を示す図である。
【図７２】音楽制御画面とプレビュー画面の選択的なディスプレー方法を説明する画面例示図である。
【図７３】ウェアラブル装置の代わりに移動端末機で写真を撮影する方法を示す順序図である。
【図７４】移動端末機によってウェアラブル装置の前方カメラモジュールが塞がれる様子を示す画面例示図である。
【発明を実施するための形態】
【００１８】
以下、本発明の実施例によるウェアラブル装置について図面を参照して詳細に説明する。
【００１９】
以下、添付した図面を参照して本明細書に開示された実施例を詳細に説明するが、図面符号に関係なく同じであるか類似した構成要素は同じ参照番号を付与し、それに対する重複する説明は省略する。以下の説明で使用される構成要素の末尾に記載される用語である「モジュール」及び「部」は明細書を容易に作成するためにのみ付与されるか混用されるものであり、それ自体で互いに区別される意味又は役割を有するものではない。また、本発明で開示された実施例を説明するに当たって、関連する公知機能に関する具体的な説明が本発明に開示された実施例のの要旨を不明確にする恐れがあると判断される場合、その詳細な説明を省略する。また、添付した図面は本明細書に開示された実施例を容易に理解するためのものであり、添付した図面によって本明細書に開示された技術的思想が制限されることはなく、本発明の思想及び技術範囲に含まれる全ての変更、均等物乃至代替物を含むと理解すべきである。
【００２０】
図１は、本発明の第１実施例によるウェアラブル装置を含む音響システムを示すシステム図である。
【００２１】
図１を参照すると、本発明の第１実施例による無前音響システムは、ウェアラブル装置２００と、前記ウェアラブル装置２００と無線通信が可能な移動端末機１００を含む。
【００２２】
ウェアラブル装置２００は移動端末機１００に含まれる。
【００２３】
詳しくは、前記ウェアラブル装置２００は、ユーザが首に着用した状態で前記移動端末機１００で再生される音楽又はラジオ放送を無線で受信し聴取することができる音響装置である。そして、前記ウェアラブル装置２００には多数のカメラモジュールが装着されることを特徴とする。
【００２４】
前記ウェアラブル装置２００に装着されるカメラモジュールは前記ウェアラブル装置２００に具備された撮影ボタンをユーザが直接操作して動作することができるだけでなく、前記移動端末機１００に具備されたアプリケーション又はプログラムを介して前記カメラモジュールを無線で操作することができる。例えば、前記移動端末機１００に設置されたアプリケーションを実行してカメラ焦点の調整又はカメラレンズの方向調整及び撮影命令を入力すると前記命令が前記ウェアラブル装置２００に無線で伝送され、伝送される命令に応じて前記カメラモジュールが作動する。
【００２５】
そして、前記ウェアラブル装置２００に具備されたカメラモジュールを介して撮影されたイメージまたは動作は前記移動端末機１００に無線伝送され、前記移動端末機１００のディスプレー部に表示されるか前記移動端末機１００のメモリに記憶される。
【００２６】
また、前記ウェアラブル装置２００のカメラに移る画像が前記移動端末機１００のディスプレー部にプレビュー（ｐｒｅ−ｖｉｅｗ）形態にディスプレーされ、前記カメラモジュールに移る画像を前記移動端末機１００のディスプレー部を介してユーザが確認する。
【００２７】
前記ウェアラブル装置２００の外観を概略的に説明すると以下のようである。
【００２８】
前記ウェアラブル装置２００はユーザに首に巻かれるバンド部２１０と、前記バンド部（ｂａｎｄ  ｐｏｒｔｉｏｎ）２１０の両端部に結合される一対のボディ部（ｂｏｄｙ  ｐｏｒｔｉｏｎ）２２０と、前記一対のボディ部２２０から引き出し可能に結合され、ユーザの耳に差し込んで音響を聴取する一対のイヤホン２４０ａ、２４０ｂ及び撮影のための一つ又は複数のカメラモジュールを含む。前記一つ又は複数個のカメラモジュールは、前記一対のボディ部２２０のうちいずれか一つ又は両方に装着される前方カメラモジュール２８０と、前記バンド部２１０の中央部に装着される後方カメラモジュール２９０を含む。そして、前記バンド部２１０は弾性を有する部材を含む。
【００２９】
また、前記バンド部２１０はユーザの右側の首部分と肩部分におかれる第１バンド２１０ａとユーザの左側の首部分と肩部分に置かれる第２バンド２１０ｂで形成され、前記第１バンド２１０ａと第２バンド２１０ｂの一反部は前記後方カメラモジュール２９０によって一体に連結されて前記バンド部２１０を形成する。しかし、前記バンド部２１０の形態は前記で提示された例に制限されない。例えば、前記バンド部２１０は単一体で形成され、前記バンド部２１０の外周面に前記後方カメラモジュール２９０が回転可能に巻かれる形態で形成されてもよい。
【００３０】
また、前記第１バンド２１０ａと第２バンド２１０ｂの他端部に前記一対のボディ部２２０がそれぞれ連結される。詳しくは、前記一対のボディ部２２０は前記第１バンド２１０ａの他端に連結される第１ボディ部２２０ａと、前記第２バンド２１０ｂの他端に連結される第２ボディ部２２０ｂを含む。
【００３１】
そして、前記バンド部２１０の外周面には一つ又は複数個の照度センサ２６０が装着される。前記照度センサ２６０から明るさの変化を感知してユーザに警告音を出力するようにする。例えば、夜間にユーザが前記イヤホン２４０ａ、２４０ｂを耳に差し込んで音楽を聴きながら歩いているとき、ユーザの方に車両が接近すると前記照度センサ２６０は車両のヘッドライト部から照射される明かりを感知する。すると、前記イヤホン２４０ａ、２４０ｂを介して警告音又は振動が発生し、ユーザが事故の危険を迅速に感知するようにする。
【００３２】
一方、前記ボディ部２２０のうちいずれか一つには前記前方カメラモジュール２８０が装着され、前記前方カメラモジュール２８０のレンズ部が前記ボディ部２２０の上面に露出される。そして、前記前方カメラモジュール２８０から離隔されるある地点に対応する前記ボディ部２２０の上面には音楽の再生及び静止のためのプレーボタン２２３が配置される。そして、前記プレーボタン２２３から離隔されるある地点に対応する前記ボディ部２２０の上面には前記後方カメラモジュール２９０を作動するためのボタン部が具備される。前記後方カメラモジュール２９０を作動するためのボタン部は、撮影ボタン２２３と前記撮影ボタン２３３の前方と後方にそれぞれ配置される角度調節ボタン２２３ａを含む。前記角度調節ボタン２３３ａは前記後方カメラモジュール２９０を上下方向にティルティング（傾く）又は回動するためのボタンであり、前記撮影ボタン２３３の前方に位置するボタンを押せば前記後方カメラモジュール２９０が上側にティルティング又は回動し、後方に位置するボタンを押せば前記後方カメラモジュール２９０が下側にティルティング又は回動する。前記後方カメラモジュール２９０構成については以下で図面を参照してより詳細に説明する。
【００３３】
ボディ部２２０のうちいずれか一つの側面には上述したボタン以外にも多様なボタンが具備される。例えば、音楽とラジオ放送のうちいずれか一つを選択するモード選択ボタン２３５と、ラジオ放送が選択されると放送局チャネルを選択するための選局ボタン２３２と、前記前方カメラモジュール２８０を利用した撮影のための撮影ボタン２３１と、前記イヤホン２４０ａ、２４０ｂを介して出力される音響のボリュームを調節するためのボリュームボタン２２４及び前記イヤホン２４０ａ、２４０ｂの音響ケーブルを自動的に巻くためのリールボタン２３４を含む。前記ボタンは前記ボディ部２２０の外周面に露出又は突出されるように設置される。そして、前記ボタンはユーザが指で押して回路基板のドームスイッチを加圧するようにするプッシュボタン形態、前方又は後方に一定量回転させて命令を入力するホイールキー形態、静電容量の変化を利用したタッチ式ボタン形態又はユーザが指で叩く際に発生する振動を感知して命令を入力される振動感知ボタン形態を含む多様な形態のボタン構造が適用される。
【００３４】
また、前記一対のボディ部２２０のうち他の一つには通話ボタン２２３ａと、通話音量の大きさを調節するボリュームボタン２２４ａと、前記イヤホン２４０ａ、２４０ｂに連結された音響ケーブルが自動的に巻かれるようにするリールボタン２３４が具備される。
【００３５】
詳しくは、前記通話ボタン２２３ａは前記ボディ部２２０の上面の一側に配置され、前記ボリュームボタン２２４ａと前記リールボタン２３４は前記ボディ部２２０の側面に配置される。そして、前記ボディ部２２０の側面には前記ウェアラブル装置２００の電源をオン／オフする電源スイッチ２２９が具備され、前記ウェアラブル装置２００を使用しないときのバッテリ消耗量を最小化する。
【００３６】
また、前記ボディ部２２０の側面にはＵＳＢ（Ｕｎｉｖｅｒｓａｌ  Ｓｅｒｉａｌ  Ｂｕｓ）ポート２８８のようなインタフェースが具備される。前記ＵＳＢポート２２８は未使用のときにはカバーによって塞がれている状態を維持し、充電のためにＵＳＢケーブルを連結するためには前記カバーを開けてケーブル端子を挿入する。ここで、前記ＵＳＢポート２２８を開閉する前記カバーに磁石が付着され、前記ＵＳＢポート２２８の縁部分が金属体で形成されて、ユーザが前記カバーを閉めなくても前記カバーの磁力によって前記ＵＳＢポート２２８を閉めるようにする構造を提案することもできる。
【００３７】
ここで、前記ボタンの位置は本発明の図面に示される位置に制限されず、ユーザの便宜性を最大化する適切な位置に設置されることを明らかにする。
【００３８】
また、上述したボタンは下記で提示される他の実施例によるウェアラブル装置にも同じく適用されることを明らかにする。よって、以下で提示される他の実施例で前記ボタンのうち一部に対して別途の説明がなくても該当実施例の構成要素になるといえる。
【００３９】
一方、前記ボディ部２２０の上面には音声通話の際に音が外部に出力されるようにするスピーカホール２４１が形成される。即ち、ユーザの選択によって通話音声が前記イヤホン２４０ａ、２４０ｂ又は前記スピーカホール２４１のうちいずれか一つにのみ出力されるようにすることができ、このような選択のためのボタンが前記ボディ部２２０の外周面の一側に別途に具備される。そして、前記スピーカホール２４１の下側に対応する前記ボディ部２００の内部にはスピーカモジュールが装着される。
【００４０】
また、前記ボディ部２２０の外周面の一側、詳しくは上面の一側にマイクホール２２１ｃが形成され、ユーザが電話通話をする際に自らの音声を入力する。
【００４１】
以下、前記のような外観構成を成すウェアラブル装置２００の制御構成についてブロック図を利用して詳細に説明する。以下で提示されるブロック図に開示される構成要素のうち一部は図４に開示されるウェアラブル装置の分解図に明確に図示されない可能性がある。しかし、ブロック図にのみ開示される全ての構成要素は、本発明の実施例によるウェアラブル装置のボディ部に設置される回路基板にモジュール形態又は電気素子形態に具備されるか、別途の部品又は素子の形態で前記回路基板に電気的に連結亜ｓれる構成要素であることを明らかにする。
【００４２】
図２は、本発明の実施例によるウェアラブル装置と無線通信する移動端末機の制御構成を示すブロック図である。
【００４３】
図２を参照すると、本発明の実施例によるウェアラブル装置２００と無線通信する移動端末機１００は無線通信部１１０、入力部１２０、感知部１４０、出力部１５０、インターフェース部１６０、メモリ１７０、制御部１８０、ＵＳＩＭ部１３０及び電源供給部１９０などを含む。図２に開示される構成要素は前記で列挙した構成要素より多いか又は少ない構成要素を有する。
【００４４】
より詳しくは、前記構成要素のうち無線通信部１１０は移動端末機１００と無線通信システムとの間、移動端末機１００と他の移動端末機１００との間、又は移動端末機１００と外部サーバーとの無線通信を可能にする一つ以上のモジュールを含む。また、前記無線通信部１１０は移動端末機１００を一つ以上のネットワークに連結する一つ以上のモジュールを含む。
【００４５】
このような無線通信部１１０は、放送受信モジュール１１１、移動通信モジュール１１２、無線インターネットモジュール１１３、近距離通信モジュール１１４、位置情報モジュール１１５のうち少なくとも一つを含む。
【００４６】
入力部１２０は映像信号を入力するためのカメラ１２１又は映像入力部、オーディオ信号を入力するためのマイクロフォン（ｍｉｃｒｏｐｈｏｎｅ）１２２又はオーディオ入力部、ユーザから情報を入力されるためのユーザ入力部（例えば、タッチキー（ｔｏｕｃｈ  ｋｅｙ）、プッシュキー（Mechanical  ｋｅｙ）など）１２３を含む。入力部１２０で収集した音声データやイメージデータは分析されてユーザの制御命令に処理される。
【００４７】
センシング部１４０は移動端末内の情報、移動端末機を囲む周辺環境情報及びユーザ情報のうち少なくとも一つを専心具するための一つ以上のセンサを含む。例えば、センシング部１４０は近接センサ（ｐｒｏｘｉｍｉｔｙ  ｓｅｎｓｏｒ）１４１、照度センサ（ｉｌｌｕｍｉｎａｔｉｏｎ  ｓｅｎｓｏｒ）１４２、タッチセンサ（ｔｏｕｃｈ  ｓｅｎｓｏｒ）、加速度センサ（ａｃｃｅｌｅｒａｔｉｏｎ  ｓｅｎｓｏｒ）、磁気センサ（ｍａｇｎｅｔｉｃ  ｓｅｎｓｏｒ）、重力センサ（Ｇ−ｓｅｎｓｏｒ）、ジャイロスコープセンサ（ｇｙｒｏｓｃｏｐｅ  ｓｅｎｓｏｒ）、モーションセンサ（ｍｏｔｉｏｎ  ｓｅｎｓｏｒ）、ＲＧＢセンサ、赤外線センサ（ＩＲセンサ：ｉｎｆｒａｒｅｄ  ｓｅｎｓｏｒ）、指紋認識センサ（ｆｉｎｇｅｒ  ｓｃａｎ  ｓｅｎｓｏｒ）、超音波センサ（ｕｌｔｒａｓｏｎｉｃ  ｓｅｎｓｏｒ）、光センサ（ｏｐｔｉｃａｌ  ｓｅｎｓｏｒ、例えばカメラ、マイク、バッテリゲージ（ｂａｔｔｅｒｙ  ｇａｕｇｅ））、環境センサ（例えば気圧計、湿度計、温度計、放射能感知センサ、熱感知センサ、ガス感知センサなど）、化学センサ（例えば電子鼻、ヘルスケアセンサ、生体認識センサなど）のうち少なくとも一つを含む。一方、本明細書に記載された移動端末機はこのようなセンサのうち少なくとも２つ以上のセンサでセンシングされる情報を組み合わせて活用する。
【００４８】
出力部１５０は視覚、聴覚又は触覚などに関する出力を発生するためのものであり、ディスプレー部１５１、音響出力部１５２、ハプティックモジュール１５３、光出力部１５４のうち少なくとも一つを含む。ディスプレー部１５１はタッチセンサと相互レイヤー構造を成すか一体型に形成されることでタッチスクリーンを具現する。このようなタッチスクリーンは、移動端末機１００とユーザとの間の入力インタフェースを提供するユーザ入力部１２３として機能すると共に、移動端末機１００とユーザとの間の出力インタフェースを提供する。
【００４９】
インタフェース部１６０は移動端末機１００に連結される多様な種類の外部機器との通話の役割をする。このようなインタフェース部１６０は有／無線ヘッドセットポート（ｐｏｒｔ）、外部充電器ポート、有／無線データポート、メモリカード（ｍｅｍｏｒｙ  ｃａｒｄ）ポート、ＵＳＩＭカード１３０のような識別モジュールが具備された装置を連結するポート、オーディオＩ／Ｏ（Ｉｎｐｕｔ／Ｏｕｔｐｕｔ）ポート、ビデオＩ／Ｏポート、イヤホンポートのうち少なくとも一つを含む。移動端末機１００では、前記インターフェース部１６０に外部機器が連結されることに対応して連結された外部機器に関する適切な制御を行う。
【００５０】
また、メモリ１７０は移動端末機１００の多様な機能を支援するデータを記憶する。メモリ１７０は移動端末機１００で駆動される多数の応用プログラム（ａｐｐｌｉｃａｔｉｏｎ  ｐｒｏｇｒａｍｍｉｎｇ）又はアプリケーション（ａｐｐｌｉｃａｔｉｏｎ）、移動端末機のためのデータ、命令語を記憶する。このような応用プログラムのうち少なくとも一部は無線通信を介して外部サーバからダウンロードされる。またこのような応用プログラムのうち少なくとも一部は移動端末機１００の基本的な機能（例えば、電話着信、発信機能、メッセージ受信、発信機能）のために出庫当時から移動端末機１００上に存在する。一方、応用プログラムはメモリ１７０に記憶され、移動端末機１００のに設置されて制御部１８０によって前記移動端末機の動作（又は機能）を行うように駆動される。
【００５１】
制御部１８０は前記応用プログラムに関する動作以外にも、通常移動端末機１００の全般的な動作を制御する。制御部１８０は上述した構成要素を介して入力又は出力される信号、データ、情報などを処理するかメモリ１７０に記憶された応用プログラムを駆動することで、ユーザに適切な情報又は機能を提供又は処理する。
【００５２】
また、制御部１８０はメモリ１７０に記憶された応用プログラムを駆動するために前記構成要素のうち少なくとも一部を制御する。なお、制御部１８０は前記応用プログラムを駆動するために移動端末機１００に含まれた構成要素のうち少なくとも２つ以上を互いに組み合わせて動作する。
【００５３】
電源供給部１９０は制御部１８０の制御の下、外部の電源、内部の電源を印加されて移動端末機１００に含まれた各構成要素に電源を供給する。このような電源供給部１９０はバッテリを含み、前記バッテリは内装型バッテリ又は交代可能な形態のバッテリとなり得る。
【００５４】
前記各構成要素のうち少なくとも一部は以下で説明する多様な実施例による移動端末機に動作、制御又は制御方法を具現するために互いに協力して動作する。また、前記移動端末機の動作、制御又は制御方法は前記メモリ１７０に記憶された少なくとも一つの応用プログラムを駆動によって移動端末機上に具現される。
【００５５】
一方、前記無線通信部１１０の放送受信モジュール１１１は放送チャネルを介して外部の方法管理サーバから放送信号及び／又は放送関連情報を受信する。ここで、前記チャネルは衛星チャネル、地上波チャネルを含む。少なくとも２つの放送チャネルに対する同時放送受信又は放送チャネルスイッチングのために２つ以上のラジオ受信モジュールが前記移動端末機１００に提供される。
【００５６】
前記放送管理サーバは放送信号及び／又は放送関連情報を生成し送信するサーバ又は予め生成された放送信号及び／又は放送関連情報を提供されて端末機に送信するサーバを意味する。前記放送信号はテレビ放送信号、ラジオ放送信号、データ放送信号を含むだけでなく、テレビ放送信号又はラジオ放送信号にデータ放送信号が結合した形態の放送信号も含む。
【００５７】
前記放送信号はデジタル放送信号の送受信のための技術標準（又は放送方式、例えばＩＳＯ，ＩＥＣ，ＤＶＢ，ＡＴＳＣなど）のうち少なくとも一つに応じて符号化され、放送受信モジュール１１１は前記技術標準で決めた技術規格に適合した方式を利用して前記デジタル放送信号を受信する。
【００５８】
前記放送関連情報は放送チャネル、放送プログラム又は放送サービス提供者に関する情報を意味する。前記放送関連情報は移動通信網を介して提供されてもよい。このような場合には前記移動通信モジュール１１２によって受信される。
【００５９】
前記放送関連情報は、例えばＤＭＢ（Ｄｉｇｉｔａｌ  Ｍｕｌｔｉｍｅｄｉａ  Ｂｒｏａｄｃａｓｔｉｎｇ）のＥＰＧ（Ｅｌｅｃｔｒｏｎｉｃ  Ｐｒｏｇｒａｍ  Ｇｕｉｄｅ）又はＤＶＢ−Ｈ（Ｄｉｇｉｔａｌ  Ｖｉｄｅｏ  Ｂｒｏａｄｃａｓｔ−Ｈａｎｄｈｅｌｄ）のＥＳＧ（Ｅｌｅｃｔｒｏｎｉｃ  Ｓｅｒｖｉｃｅ  Ｇｕｉｄｅ）などの多様な形態に存在する。放送受信モジュール１１１を介して受信された放送信号及び／又は放送関連情報はメモリ１７０に記憶される。
【００６０】
移動通信モジュール１１２は移動通信のための技術標準又は通信方式（例えばＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＣＤＭＡ２０００（Ｃｏｄｅ  Ｄｉｖｉｓｉｏｎ  Ｍｕｌｔｉ  Ａｃｃｅｓｓ  ２０００）、ＥＶ−ＤＯ（Ｅｎｈａｎｃｅｄ  Ｖｏｉｃｅ−Ｄａｔａ  Ｏｐｔｉｍｉｚｅｄ  ｏｒ  Ｅｎｈａｎｃｅｄ  Ｖｏｉｃｅ−Ｄａｔａ  Ｏｎｌｙ）、ＷＣＤＭＡ（Ｗｉｄｅｂａｎｄ  ＣＤＭＡ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）などによって構築された移動通信網上で基地局、外部の端末、サーバのうち少なくとも一つと無線信号を送受信する。
【００６１】
前記無線信号は音声呼信号、画像通話呼信号又は文字／マルチメディアメッセージ送受信に応じた多様な形態のデータを含む。
【００６２】
無線インターネットモジュール１１３は無線インターネットアクセスのためのモジュールをいい、移動端末機１００に内装されるか外装される。無線インターネットモジュール１１３は無線インターネット技術による通信網で無線信号を追う受信するように行われる。
【００６３】
無線インターネット技術としては、例えばＷＬＡＮ（Ｗｉｒｅｌｅｓｓ  ＬＡＮ）、Ｗｉ−Ｆｉ（Ｗｉｒｅｌｅｓｓ−Ｆｉｄｅｌｉｔｙ）、Ｗｉ−Ｆｉ  Ｄｉｒｅｃｔ、ＷｉＢｒｏ（Ｗｉｒｅｌｅｓｓ  Ｂｒｏａｄｂａｎｄ）、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）、ＨＳＵＰＡ（Ｈｉｇｈ  Ｓｐｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）、ＬＴＥ−Ａ（Ｌｏｎｇ  Ｔｅｒｍ  Ｅｖｏｌｕｔｉｏｎ−Ａｄｖａｎｃｅｄ）などがあり、前記無線インターネットモジュール１１３は前記で述べられていないインターネット技術まで含む範囲で少なくとも一つの無線インターネット技術によってデータを送受信する。
【００６４】
ＷｉＢｒｏ、ＨＳＤＰＡ、ＨＳＵＰＡ，ＧＳＭ、ＣＤＭＡ、ＷＣＤＭＡ、ＬＴＥ、ＬＴＥ−Ａなどによる無線インターネットアクセスは移動通信網を介して行われるという観点から見ると、前記移動通信網を介して無線インターネットアクセスを行う前記無線インターネットモジュール１１３は前記移動通信モジュール１１２の一種として理解される。
【００６５】
近距離通信モジュール１１４は近距離通信（Ｓｈｏｒｔ  ｒａｎｇｅ  ｃｏｍｍｕｎｉｃａｔｉｏｎ）のためのものであって、ブルートゥース（ＢｌｕｅｔｏｏｔｈTM）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ）、ＵＷＢ（Ｕｌｔｒａ  Ｗｉｄｅｂａｎｄ）、ＺｉｇＢｅｅ、ＮＦＣ（Ｎｅａｒ  Ｆｉｅｌｄ  Ｃｏｍｍｕｎｉｃａｔｉｏｎ）、Ｗｉ−Ｆｉ、Ｗｉ−Ｆｉ  Ｄｉｒｅｃｔ、Ｗｉｒｅｌｅｓｓ  ＵＳＢ（Ｗｉｒｅｌｅｓｓ  Ｕｎｉｖｅｒｓａｌ  Ｓｅｒｉａｌ  Ｂｕｓ）技術のうち少なくとも一つを利用して近距離通信を支援する。このような近距離通信モジュール１１４は近距離無線通信網（Ｗｉｒｅｌｅｓｓ  Ａｒｅａ  Ｎｅｔｗｏｒｋｓ）を介して移動端末機１００と無線通信システムとの間、移動端末機１００と他の移動端末機１００との間、又は移動端末機１００と他の移動端末機１００（又は外部サーバ）が位置したネットワークとの間の無線通信を支援する。前記近距離無線通信網は近距離無線個人通信網（Ｗｉｒｅｌｅｓｓ  Ｐｅｒｓｏｎａｌ  Ａｒｅａ  Ｎｅｔｗｏｒｋｓ）である。
【００６６】
ここで、他の移動端末機１００は本発明による移動端末機１００とデータを相互交換可能な（又は連動可能な）ウェアラブルディバイス（ｗｅａｒａｂｌｅ  ｄｅｖｉｃｅ、例えば本発明の実施例によるウェアラブル装置２００、スマートウォッチ（ｓｍａｒｔ  ｗａｔｃｈ）、スマートグラス（ｓｍａｒｔ  ｇｌａｓｓ）、ＨＭＤ（ｈｅａｄ  ｍｏｕｎｔｅｄ  ｄｉｓｐｌａｙ））などである。近距離通信モジュール１１４は移動端末機１００の周辺に前記移動端末機１００と通信可能なウェアラブルディバイスを感知（又は認識）する。なお、制御部１８０は前記感知されたウェアラブルディバイスが本発明による移動端末機１００と通信するように認証されたディバイスであれば、移動端末機１００で処理されるデータの少なくとも一部を前記近距離通信モジュール１１４を介してウェアラブルディバイスに伝送する。よって、ウェアラブルディバイスのユーザは移動端末機１００で処理されるデータをウェアラブルディバイスを介して利用する。例えば、それによるとユーザは移動端末機１００に電話が受信されればウェアラブルディバイスを介して電話通話をするか、移動端末機１００にメッセージが受信されればウェアラブルディバイスを介して前記受信されたメッセージを確認する。
【００６７】
位置情報モジュール１１５は移動端末機の位置（又は現在位置）を獲得するためのモジュールであり、代表的な例としてはＧＰＳ（Ｇｌｏｂａｌ  Ｐｏｓｉｔｉｏｎｉｎｇ  Ｓｙｓｔｅｍ）モジュール又はＷｉ−Ｆｉモジュールがある。例えば、移動端末機がＧＰＳモジュールを活用すれば、ＧＰＳ衛星から送られる信号を利用して移動端末機の位置を獲得する。他の例として、移動端末機がＷｉ−Ｆｉモジュールを活用すれば、Ｗｉ−Ｆｉモジュールと無線信号を送受信する無線ＡＰ（Ｗｉｒｅｌｅｓｓ  Ａｃｃｅｓｓ  Ｐｏｉｎｔ）情報に基づいて移動端末機の位置を獲得する。必要に応じて、位置情報モジュール１１５は置換又は付加的に移動端末機の位置に関するデータを得るために無線通信部１１０の他のモジュールのうちいずれかの機能を行う。位置情報モジュール１１５は移動端末機の位置（又は現在位置）を獲得するために利用されるモジュールであり、移動端末機の位置を直接的に計算するか獲得するモジュールに限定されない。
【００６８】
次に、入力部１２０は映像情報（又は信号）、オーディオ情報（又は信号）、データ又はユーザから入力される情報を入力するためのものであり、映像情報を入力するために移動端末機１００は一つ又は複数のカメラ１２１を具備する。カメラ１２１は画像通話モード又は撮影モードでイメージセンサによって得られる静止画像又は動画などの画像フレームを処理する。処理された画像フレームはディスプレー部１５１に表示されるかメモリ１７０に記憶される。一方、移動端末機１００に具備される複数のカメラ１２１はマトリックス構造を成すように配置され、このようにマトリックス構造を成すカメラ１２１を介して移動端末機１００には多様な角度又は焦点を有する複数の映像情報が入力される。また、複数のカメラ１２１は立体映像を具現するための左映像及び右映像を獲得するようにステレオ構造に配置される。
【００６９】
マイクロフォン１２２は外部の音響信号を電気的音声データに処理する。処理された音声データは移動端末機１００で行われている機能（又は実行中の応用プログラム）に応じて多様に活用される。一方、マイクロフォン１２２には外部の音響信号を入力される過程で発生する雑音（ｎｏｉｓｅ）を除去するための多様な雑音除去アルゴリズムが具現される。
【００７０】
ユーザ入力部１２３はユーザから情報を入力されるためのものであり、ユーザ入力部１２３を介して情報が入力されると制御部１８０は入力された情報に対応するように移動端末機１００の動作を制御する。このようなユーザ入力部１２３は機械式（ｍｅｃｈａｎｉｃａｌ）入力手段（又はメカニカルキー、例えば移動端末機１００の前後面又は側面に位置するボタン、ドームスイッチ（ｄｏｍｅ  ｓｗｉｔｃｈ）、ジョグホイール、ジョグスイッチなど）及びタッチ式入力手段を含む。一例として、タッチ式入力手段はソフトウェア的な処理を介してタッチスクリーンに表示さえる仮想キー（ｖｉｒｔｕａｌ  ｋｅｙ）、ソフトキー（ｓｏｆｔ  ｋｅｙ）又はビジュアルキー（ｖｉｓｕａｌ  ｋｅｙ）で形成されるか、前記タッチスクリーン以外の部分に配置されるタッチキーで形成される一方、前記仮想キー又はビジュアルキーは多様な形態を有してタッチスクリーン上に表示されるが、例えばグラフィック（ｇｒａｐｈｉｃ）、テキスト（ｔｅｘｔ）、アイコン（ｉｃｏｎ）、ビデオ（ｖｉｄｅｏ）又はそれらの組み合わせで形成される。
【００７１】
一方、センシング部１４０は移動端末内の情報、移動端末機を囲む周辺環境情報及びユーザ情報のうち少なくとも一つをセンシングし、それに対応するセンシング信号を発生する。制御部１８０はこのようなセンシング信号に基づいて移動端末機１００の駆動又は動作を制御するか、移動端末機１００に設置された応用プログラムに関するデータの処理、機能又は動作を行う。センシング部１４０に含まれる多様なセンサのうち代表的なセンサについてより詳細に説明する。
【００７２】
まず、近接センサ１４１とは所定の検出面に接近する物体或いは近くに存在する物体の有無を電磁界の力又は赤外線などを利用して機械的接触なしに検出するセンサをいう。このような近接センサ１４１は上述したタッチスクリーンによって囲まれる移動端末機の内部領域又は前記タッチスクリーンの近くに近接センサ１４１が配置される。
【００７３】
近接センサ１４１の例としては透過型光電センサ、直接反射型光電センサ、ミラー反射型光電センサ、高周波発進型近接センサ、静電容量型近接センサ、磁気型近接センサ、赤外線近接センサなどがある。タッチスクリーンが静電式であれば、近接センサ１４１は伝導性を有する物体の近接による電界の変化で前記物体の近接を検出するように構成される。この場合、タッチスクリーン（又はタッチセンサ）自体が近接センサとして分類される。
【００７４】
一方、説明の便宜上、タッチスクリーンの上に物体が接触しないながらも近接して前記物体が前記タッチスクリーンの上に位置することを認識させる行為を「近接タッチ（ｐｒｏｘｉｍｉｔｙ  ｔｏｕｃｈ）」と称し、前記タッチスクリーンの上に物体が実際に接触する行為を「接触タッチ（ｃｏｎｔａｃｔ  ｔｏｕｃｈ）」と称する。前記タッチスクリーンの上で物体が近接タッチされる位置とは、前記物体が近接タッチされる際に前記物体が前記タッチスクリーンに対して垂直に対応する位置を意味する。前記近接センサ１４１は近接タッチと近接タッチパターン（例えば近接タッチ距離、近接タッチ方向、近接タッチ速度、近接タッチ時間、近接タッチ位置、近接タッチ移動状態などを感知する。一方、制御部１８０は上述したように近接センサ１４１を介して感知された近接タッチ動作及び近接タッチパターンに相応するデータ（又は情報）を処理し、更に処理されたデータに対応する視覚的情報をタッチスクリーンの上に出力する。なお、制御部１８０はタッチスクリーン上の同じ地点に対するタッチが近接タッチであるのか又は接触タッチであるのかに応じて互いに異なる動作又はデータ（又は情報）が処理されるように移動端末機１００を制御する。
【００７５】
タッチセンサは抵抗膜方式、静電容量方式、赤外線方式、超音波方式、磁場方式など様々なタッチ方式のうち少なくとも一つを利用してタッチスクリーン（又はディスプレー部１５１）に加えられるタッチ（又はタッチ入力）を感知する。
【００７６】
一例として、タッチセンサはタッチスクリーンの特定部位に加えられた圧力又は特定部位に発生する静電容量などの変化を電気的な入力信号に変換するように構成される。タッチセンサはタッチスクリーンの上にタッチをするタッチ対象体がタッチセンサの上でタッチされる位置、面積、タッチ時の圧力、タッチ時の静電容量などを検出するように構成される。ここで、タッチ対象体は前記タッチセンサにタッチを印加する物体であって、例えば指、タッチペン、又はスタイラスペン（Ｓｔｙｌｕｓ  ｐｅｎ）、ポインタなどである。
【００７７】
このように、タッチセンサに対する入力がある場合、それに対応する信号はタッチ制御器に送られる。タッチ制御器はその信号を処理した後、対応するデータを制御部１８０に伝送する。これで制御部１８０はディスプレー部１５１のどの領域がタッチされたのかを知る容認なる。ここで、タッチ制御器は制御部１８０とは別途の構成要素であってもよく、制御部１８０自体であってもよい。
【００７８】
一方、制御部１８０はタッチスクリーン（又はタッチスクリーン以外に具備されたタッチキー）をタッチするタッチ対象体の種類に応じて互いに異なる制御を行うか、同じ制御を行う。タッチ対象体の種類に応じて互いに異なる制御を行うか又は同じ制御を行うかは、現在の移動端末機１００の動作状態又は実行中の応用プログラムに応じて決定される。
【００７９】
一方、上述したタッチセンサ及び近接センサは独立に又は組み合わせられてタッチスクリーンに対するショート（又はタブ）タッチ（ｓｈｏｒｔ  ｔｏｕｃｈ）、ロングタッチ（ｌｏｎｇ  ｔｏｕｃｈ）、マルチタッチ（ｍｕｌｔｉ  ｔｏｕｃｈ）、ドラッグタッチ（ｄｒａｇ  ｔｏｕｃｈ）、フリックタッチ（ｆｌｉｃｋ  ｔｏｕｃｈ）、ピンチインタッチ（ｐｉｎｃｈ−ｉｎ  ｔｏｕｃｈ）、ピンチアウトタッチ（ｐｉｎｃｈ−ｏｕｔ  ｔｏｕｃｈ）、スワイプ（ｓｗｙｐｅ）タッチ、ホバリング（ｈｏｖｅｒｉｎｇ）タッチなどのような多様な方式のタッチをセンシングする。
【００８０】
超音波センサは超音波を利用して感知対象の位置情報を認識する。一方、制御部１８０は光センサと複数の超音波センサから感知される情報を介して波動発生原因の位置を算出することができる。波動発生原因の位置は光が超音波より非常に速い性質、即ち、光が光センサに到達する時間が超音波が超音波センサに到達する時間より非常に速いことを利用して算出される。より詳しくは、光を基準信号に超音波が到達する時間との時間差を利用して波動発生原因の位置が算出される。
【００８１】
一方、入力部１２０の構成から説明したカメラ１２１はカメラセンサ（例えば、ＣＣＤ，ＣＭＯＳなど）、フォトセンサ（又はイメージセンサ）及びレーザセンサのうち少なくとも一つを含む。
【００８２】
カメラ１２１とレーザセンサは互いに組み合わせられ、３次元立体映像に対する感知対象のタッチを感知する。フォトセンサはディスプレー素子に積層されるが、このようなフォトセンサはタッチスクリーンに近接した感知対象の動きをスキャニングするように行われる。より詳しくは、フォトセンサは行／列にＰｈｏｔｏ  ＤｉｏｄｅとＴＲ（Ｔｒａｎｓｉｓｔｏｒ）を実装してＰｈｏｔｏ  Ｄｉｏｄｅに印加される光の量に応じて変化する電気的信号を利用し、フォトセンサの上に行かれる内容物をスキャンする。即ち、フォトセンサは光の変化量に応じた感知対象の座標計算を行い、それを介して感知対象の位置情報が獲得される。
【００８３】
ディスプレー部１５１は移動端末機１００で処理される情報を表示（出力）する。例えば、ディスプレー部１５１は移動端末機１００で処理される情報を表示（出力）する。例えば、ディスプレー部１５１は移動端末機１００で駆動される応用プログラムの実行画面情報、又はこのような実行画面情報に応じたＵＩ（Ｕｓｅｒ  Ｉｎｔｅｒｆａｃｅ）、ＧＵＩ（Ｇｒａｐｈｉｃ  Ｕｓｅｒ  Ｉｎｔｅｒｆａｃｅ）情報を表示する。
【００８４】
また、前記ディスプレー部１５１は立体映像を表示する立体ディスプレー部として構成される。
【００８５】
前記立体ディスプレー部にはステレオスコピック方式（めがね方式）、オートステレオスコピック方式（めがねのない方式）、プロジェクション方式（ホログラフィック方式）などの３次元ディスプレー方式が適用される。
【００８６】
音響出力部１５２は呼信号受信、通話モード又は録音モード、音声認識モード、放送受信モードなどで無線通信部１１０から受信されるかメモリ１７０に記憶されたオーディオデータを出力する。音響出力部１５２は移動端末機１００で行われる機能（例えば、呼信号受信、メッセージ受信音など）に関する音響信号を出力する。このような音響出力部１５２にはレシーバー（ｒｅｃｅｉｖｅｒ）、スピーカ（ｓｐｅａｋｅｒ）、バザー（ｂｕｚｚｅｒ）などが含まれる。
【００８７】
ハプティックモジュール（ｈａｐｔｉｃ  ｍｏｄｕｌｅ）１５３はユーザが感じる多様な触覚効果を発生する。ハプティックモジュール１５３が発生する触覚効果の代表的な例としては振動がある。ハプティックモジュール１５３で発生する振動の強度とパターンなどはユーザの選択又は制御部の設定によって制御される。例えば、前記ハプティックモジュール１５３は互いに異なる振動を合成して出力するか順次に出力する。
【００８８】
ハプティックモジュール１５３は振動以外にも接触皮膚面に対して垂直運動するピン配列、噴射口や吸入口を介した空気の噴射力や吸入力、皮膚表面に対する擦れ、電極（ｅｌｅｃｔｒｏｄｅ）の接触、静電気力などの刺激による効果と、吸熱や発熱可能な素子を利用した冷温感の再現による効果など多様な触覚効果を発生する。
【００８９】
ハプティックモジュールモジュール１５３は直接的な接触を介して触覚効果を伝達するだけでなく、ユーザが指や腕などの筋感覚を介して触覚効果を感じるように具現してもよい。ハプティックモジュールモジュール１５３は移動端末機１００の構成態様によって２つ以上具備されてもよい。
【００９０】
光出力部１５４は移動端末機１００の光源の光を利用してイベントの発生を知らせるための信号を出力する。移動端末機１００で発生するイベントの例としては、メッセージの受信、呼信号の受信、留守番電話、アラーム、スケジュールの通知、メールの受信、アプリケーションを介した情報の受信などが挙げられる。
【００９１】
光出力部１５４が出力する信号は移動端末機が前面や光面に単色や複数の色の光を発行することで具現される。前記信号の出力は移動端末機がユーザのイベント確認を感知することによって終了される。
【００９２】
インタフェース部１６０は移動端末機１００に連結される全ての外部機器との通路の役割をする。インタフェース部１６０は外部機器からデータを伝送されるか、電源を供給されて移動端末機１００内部の各構成要素に伝達するか、移動端末機１００内部のデータが外部機器に伝送されるようにする。例えば、有／無線ヘッドセットポート、外部充電器ポート、有／無線データポート、メモリカードポート、識別モジュールが具備された装置を連結するポート、オーディオＩ／Ｏポート、ビデオＩ／Ｏポート、イヤホンポートなどのインタフェース部１６０に含まれる。
【００９３】
一方、識別モジュールは移動端末機１００の使用権限を認証するための各種情報を記憶したチップであって、ユーザ認証モジュール（ｕｓｅｒ  ｉｄｅｎｔｉｆｙ  ｍｏｄｕｌｅ；ＵＩＭ）、加入者認証モジュール（Ｓｕｂｓｃｒｉｂｅｒ  ｉｄｅｎｔｉｆｙ  ｍｏｄｕｌｅ；ＳＩＭ）、汎用ユーザ認証モジュール（ｕｎｉｖｅｒｓａｌ  ｓｕｂｓｃｒｉｂｅｒ  ｉｄｅｎｔｉｆｙ  ｍｏｄｕｌｅ；ＵＳＩＭ）などを含む。識別モジュールが具備された装置（以下、「識別装置」）はスマートカード（ｓｍａｒｔ  ｃａｒｄ）形式に製作される。よって、識別装置は前記インタフェース部１６０を介して移動端末機１００と連結される。
【００９４】
また、前記インタフェース部１６０は移動端末機１００が外部のクレイドル（ｃｒａｄｌｅ）と連結される際に前記クレイドルから電源が前記移動端末機１００に供給される通路となるか、ユーザによって前記クレイドルで入力される各種命令信号が前記移動端末機１００に伝達される通路となる。前記クレイドルから入力される各種命令信号又は前記電源は、前記移動端末機１００が前記クレイドルに正確に装着されていることを認知するための信号として動作する。
【００９５】
メモリ１７０は制御部１８０を動作するためのプログラムを記憶してもよく、入出力されるデータ（例えばフォンブック、メッセージ、静止画像、動画など）を臨時記憶してもよい。前記メモリ１７０は前記タッチスクリーン上のタッチ入力の際に出力される多様なパターンの振動及び音響に関するデータを記憶する。
【００９６】
メモリは１７０はフラッシュメモリタイプ（ｆｌａｃｈ  ｍｅｍｏｒｙ  ｔｙｐｅ）、ハードディスクタイプ（ｈａｒｄ  ｄｉｓｋ  ｔｙｐｅ）、ＳＳＤタイプ（Ｓｏｌｉｄ  Ｓｔａｔｅ  Ｄｉｓｔ  Ｔｙｐｅ）、ＳＤＤタイプ（Ｓｉｌｉｃｏｎ  Ｄｉｓｋ  Ｄｒｉｖｅ  Ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリ（例えばＳＤ又はＸＤメモリなど）、ラム（ｒａｎｄｏｍ  ａｃｃｅｓｓ  ｍｅｍｏｒｙ；ＲＡＭ）、ＳＲＡＭ（ｓｔａｔｉｃ  ｒａｎｄｏｍ  ａｃｃｅｓｓ  ｍｅｍｏｒｙ）、ロム（ｒｅａｄ−ｏｎｌｙ  ｍｅｍｏｒｙ；ＲＯＭ）、ＥＥＰＲＯＭ（ｅｌｅｃｒｉｃａｌｌｙ  ｅｒａｓａｂｌｅ  ｐｒｏｍｒａｍｍａｂｌｅ  ｒｅａｄ−ｏｎｌｙ  ｍｅｍｏｒｙ）、ＰＲＯＭ（ｐｒｏｍｒａｍｍａｂｌｅ  ｒｅａｄ−ｏｎｌｙ  ｍｅｍｏｒｙ）、磁気メモリ、磁気ディスク及び光ディスクのうち少なくとも一つのタイプの記憶媒体を含む。移動端末機１００はインターネット（ｉｎｔｅｒｎｅｔ）上で前記メモリ１７０の記憶機能を行うウェブストレージ（ｗｅｂ  ｓｔｏｒａｇｅ）に関して動作してもよい。
【００９７】
一方、上述したように制御部１８０は応用プログラムに関する動作と、通常移動端末機１００の全般的な動作を制御する。例えば、制御部１８０は前記移動端末機の状態が設定された条件を満足するとアプリケーションに対するユーザの制御命令の入力を制限するロック状態を実行するか解除する。
【００９８】
また、制御部１８０は音声通話、データ通信、画像通話などに関する制御及び処理を行うか、タッチスクリーン上で行われる筆記入力又は描き入力をそれぞれ文字及びイメージとして認識するパターン認識処理を行う。なお、制御部１８０は後述する多様な実施例を本発明による移動端末機１００上に具現するために、上述した構成要素のうちいずれか一つ又は複数を組み合わせて制御する。
【００９９】
電源供給部１０９は制御部１８０の制御によって外部の電源、内部の電源を印加されて各構成要素の動作に必要な電源を供給する。電源供給部１９０はバッテリを含み、バッテリは充電可能に形成される内装型バッテリであってもよく、充電などのために端末機のボディに着脱可能に結合される。
【０１００】
また、電源供給部１９０は連結ポートを具備し、連結ポートはバッテリを充電するために電源を供給する外部充電器が電気的に連結されるインタフェース１６０の一例として構成される。
【０１０１】
他の例として、電源供給部１９０は前記連結ポートを利用せずに無線方式でバッテリを充電するように形成される。この場合、電源供給部１９０は外部の無線電力伝送装置から磁気誘導現象に基づく誘導結合（Ｉｎｄｕｃｔｉｖｅ  Ｃｏｕｐｌｉｎｇ）方式や電磁気的共振現象に基づく共進結合（Ｍａｇｎｅｔｉｃ  Ｒｅｓｏｎａｎｃｅ  Ｃｏｕｐｌｉｎｇ）方式のうち一つ以上の利用して電力を伝達される。
【０１０２】
一方、下記で多様な実施例は例えばソフトウェア、ハードウェア又はそれらが組み合わせられたものを利用してコンピュータ又はそれと類似した装置で読み込める記録媒体内で具現される。
【０１０３】
図３は、本発明の実施例によるウェアラブル装置の制御構成を示すブロック図である。
【０１０４】
図３を参照すると、以下で説明される本発明に実施例によるウェアラブル装置２００の構成は以下で説明される全ての実施例によるウェアラブル装置に共通的に具備される構成である。
【０１０５】
また、下記で説明される構成要素の一部は前記移動端末機１００に具備される構成要素と同じ機能及び作動をする構成要素である。
【０１０６】
詳しくは、本発明の実施例によるウェアラブル装置２００は、無線通信部２０１、入力部２０２、センシング部２０４、出力部２０５、インタフェース部２０６、メモリ２０７、制御部２０８、ＵＳＩＭ部２０３及び電源供給部２０９などを含む。
【０１０７】
前記無線通信部２０１は前記ウェアラブル装置２００と前記移動端末機１００との間、又は前記ウェアラブル装置２００と外部サーバとの間の無線通信を可能にする一つ以上のモジュールを含む。
【０１０８】
このような無線通信部２０１は、ラジオ受信モジュール２０１ａ、移動通信モジュール２０１ｂ、近距離通信モジュール２０１ｃ、位置情報モジュール２０１ｄのうち少なくとも一つを含む。
【０１０９】
前記入力部２０２は映像信号を入力するためのカメラ２０２ａ又は映像入力部、オーディオ信号を入力するためのマイクロフォン２０２ｂ又はオーディオ入力部、ユーザから情報を入力されるためのユーザ入力部２０２ｃを含む。前記カメラ２０２ａは本発明の実施例によるウェアラブル装置２００に具備される前方カメラモジュール２８０と後方カメラモジュール２９０を含む。そして、前記ユーザ入力部２０２ｃは上述した各種ボタンを含む。そして、前記マイクロフォン２０２ｂは前記ウェアラブル装置２００に具備されるマイク２４８（図４を参照）を含む。
【０１１０】
前記センシング部２０４は近接センサ２０４ａ、照度センサ２０４ｂ、タッチセンサ、加速度センサ、磁気センサ、重力センサ、ジャイロスコープセンサ、モーションセンサ、ＲＧＢセンサ、赤外線センサ、指紋認識センサ、超音波センサのうち少なくとも一つを含む。そして、前記センサは移動端末機１００に具備されるセンサと同じセンサである。特に、前記照度センサ２０４ｂは前記ウェアラブル装置２００のバンド部２１０に具備される照度センサ２６０を含む。
【０１１１】
前記出力部２０５は音響出力部２０５ａ、ハプティックモジュール２０５ｂ、光出力部２０５ｃのうち少なくとも一つを含む。そして、前記音響出力部２０５ａは前記ウェアラブル装置２００のボディ部２２０に具備されるスピーカモジュール２４３（図４を参照）及び前記イヤホン２４０ａ、２４０ｂに具備されるスピーカモジュールを含む。
【０１１２】
インタフェース部２０６は前記ウェアラブル装置２００に連結される多様な種類の外部機器との通路の役割をする。このようなインタフェース部２０６は外部充電器ポート、前記ＵＳＢポート２２８のようなデータポート、メモリカード、ＵＳＩＭ部２０３のような識別モジュールが具備された装置を連結するポート、のうち少なくとも一つを含む。
【０１１３】
また、メモリ２０７は前記ウェアラブル装置２００の多様な機能を支援するデータを記憶する。前記メモリ２０７は前記ウェアラブル装置２００で駆動される多数の応用プログラム、前記ウェアラブル装置２００で駆動される多数の応用プログラム、前記ウェアラブル装置２００の動作のためのデータ、命令語を記憶する。このような応用プログラムのうち少なくとも一部は無線通信を介して外部サーバからダウンロードされる。
【０１１４】
前記制御部２０８は前記応用プログラムに関する動作以外にも、前記ウェアラブル装置２００の全般的な動作を制御する。前記制御部２０８は上述した構成要素を介して入力又は出力される信号、データ、情報などを処理するかメモリ２０７に記憶された応用プログラムを駆動することで、ユーザに適切な情報又は機能を提供又は処理する。
【０１１５】
前記電源供給部２０９は前記制御部２０８の制御の下、外部の電源又は内部の電源を印加されて前記ウェアラブル装置２００に含まれた各構成要素に電源を供給する。このような電源供給部２０９はバッテリ２７０（図４を参照）を含み、前記バッテリは内蔵型バッテリ又は交代可能な形態のバッテリとなり得る。
【０１１６】
一方、前記無線通信部２０１のラジオ受信モジュール２０１ａは放送チャネルを介して外部の方法管理サーバから放送信号及び／又は放送に関する情報を受信する。前記放送チャネルは衛星チャネル、地上派チャネルを含む。少なくとも２つの放送チャネルに対する同時放送受信又は放送チャネルスイッチングのために２つ以上のラジオ受信モジュールが前記移動端末機１００に提供される。
【０１１７】
前記放送管理サーバは放送信号及び／又は放送関連情報を生成し送信するサーバ又は予め生成された放送信号及び／又は放送関連情報を提供されて端末機に送信するサーバを意味する。
【０１１８】
前記移動通信モジュール２０１ｂは移動通信のための技術標準又は通信方式（例えばＧＳＭ、ＣＤＭＡ、ＣＤＭＡ２０００、ＥＶ−ＤＯ、ＷＣＤＭＡ、ＨＳＤＰＡ、ＨＳＵＰＡ、ＬＴＥ、ＬＴＥ−Ａなどによって構築された移動通信網上で基地局、外部の端末、サーバのうち少なくとも一つと無線信号を送受信する。前記ウェアラブル装置２００内に前記移動通信モジュール２０１ｂとＵＳＩＭカードが設置されることで、前記ウェアラブル装置２００自体がモバイルフォンの機能を行う。
【０１１９】
前記無線信号は音声呼信号又は文字／マルチメディアメッセージ送受信に応じた多様な形態のデータを含む。前記ウェアラブル装置２００にディスプレーウィンドウが具備されれば、文字／マルチメディアメッセージの送受信も可能になる。
【０１２０】
前記近距離通信モジュール２０１ｃは近距離通信のためのものであって、ブルートゥース、ＲＦＩＤ、赤外線通信、ＵＷＢ、ＺｉｇＢｅｅ、ＮＦＣ、Ｗｉ−Ｆｉ、Ｗｉ−Ｆｉ  Ｄｉｒｅｃｔ、Ｗｉｒｅｌｅｓｓ  ＵＳＢ技術のうち少なくとも一つを利用して近距離通信を支援する。このような近距離通信モジュール２０１ｃは近距離無線通信網を介して前記ウェアラブル装置２００と無線通信システムとの間、移動端末機１００と他の移動端末機１００との間、又は移動端末機１００と他の無線通信システムとの間、前記ウェアラブル装置２００と前記移動端末機１００との間の無線通信を支援する。前記近距離無線通信網は近距離無線個人通信網である。
【０１２１】
前記位置情報モジュール２１０ｄは前記ウェアラブル装置２００の位置を獲得するためのモジュールであり、代表的な例としてはＧＰＳモジュール又はＷｉ−Ｆｉモジュールがある。例えばＧＰＳモジュールの場合、ＧＰＳ衛星から送られる信号を利用して前記ウェアラブル装置２００の位置を獲得する。他の例として、Ｗｉ−Ｆｉモジュールの場合、Ｗｉ−Ｆｉモジュールと無線信号を送受信する無線ＡＰ（Ｗｉｒｅｌｅｓｓ  Ａｃｃｅｓｓ  Ｐｏｉｎｔ）情報に基づいて前記ウェアラブル装置２００の位置を獲得する。
【０１２２】
次に、入力部２０２は映像情報、オーディオ情報（又は信号）、データ又はユーザから入力される情報を入力するためのものであり、映像情報を入力するために前記ウェアラブル装置２００は一つ又は複数のカメラモジュールを具備する。
【０１２３】
前記一つ又は複数のカメラモジュールは撮影モードでイメージセンサによって得られる静止画像又は動画などの画像フレームを処理する。処理された画像フレームはメモリ１７０に記憶される。そして、処理された前記画像フレーム２０７が前記近距離通信モジュール２０１ｃを介して前記移動端末機１００に伝送されてメモリ１７０に記憶される。一方、移動端末機に具備さｓれるカメラ２０２ａ、即ち、複数のカメラモジュールを介して立体映像を具現するための左映像及び右映像を獲得するようにステレオ構造に配置される。
【０１２４】
マイクロフォン２０２ｂは通話過程で入力されるユーザの音声信号を電気的音声データに処理する。処理された音声データは前記移動端末機１００に伝送され、前記移動端末機１００から相手の移動端末機１００に伝送される。一方、マイクロフォン２０２ｂには外部の音響信号を入力される過程で発生する雑音を除去するための多様な雑音除去アルゴリズムが具現される。
【０１２５】
前記ユーザ入力部２０２ｃはボタン、ドームスイッチ、ジョグホイール、ジョグスイッチ及びタッチ式入力手段を含む。
【０１２６】
一方、センシング部２０４は前記ウェアラブル装置２００内の情報、前記ウェアラブル装置２００を囲む周辺環境情報及びユーザ情報のうち少なくとも一つをセンシングし、それに対応するセンシング信号を発生する。制御部２８０はこのようなセンシング信号に基づいて前記ウェアラブル装置２００の駆動又は動作を制御するか、前記ウェアラブル装置２００に設置された応用プログラムに関するデータの処理、機能又は動作を行う。センシング部２０４は前記移動端末機１００に具備されるセンシング部と同じ概念のセンシング部に当たるといえる。
【０１２７】
一方、入力部１２０の構成として説明したカメラ２０２ａはカメラセンサ（例えば、ＣＣＤ，ＣＭＯＳなど）、フォトセンサ（又はイメージセンサ）及びレーザセンサのうち少なくとも一つを含む。
【０１２８】
前記音響出力部２０５ａは呼信号受信、通話モード又は録音モード、音声認識モード、放送受信モードなどで無線通信部２０１から受信されるかメモリ２０７に記憶されたオーディオデータを出力する。音響出力部２０５ａは移動端末機１００で行われる機能（例えば、呼信号受信音）に関する音響信号も出力する。このような音響出力部２０５ａにはイヤホン２４０ａ、２４０ｂ、スピーカモジュール２４３が含まれる。
【０１２９】
前記ハプティックモジュール２０５ｂはユーザが感じる多様な触覚効果を発生する。ハプティックモジュール２０５ｂが発生する触覚効果の代表的な例としては振動がある。ハプティックモジュール２０５ｂで発生する振動の強度とパターンなどはユーザの選択又は制御部の設定によって制御される。例えば、前記ウェアラブル装置２００のボディ部２２０を指で叩いて振動を発生し、前記ハプティックモジュール２０５ｂで前記振動を感知して映像又はイメージの撮影動作が行われるようにする。
【０１３０】
ハプティックモジュールモジュール２０５ｂは直接的な接触を介して触覚効果を伝達するだけでなく、ユーザが指や腕などの筋感覚を介して触覚効果を感じるように具現してもよい。ハプティックモジュールモジュール２０５ｂは移動端末機１００の構成態様によって２つ以上具備されてもよい。
【０１３１】
光出力部２０５ｃは移前記ウェアラブル装置２００に具備される光源から照射される光を利用してイベントの発生を知らせるための信号を出力する。例えば、呼信号の受信、留守番電話、アラームなどが通知イベントに含まれる。
【０１３２】
一方、前記ＵＳＩＭ部１３０を含む識別モジュールは、前記ＵＳＩＭ部以外にもユーザ認証モジュール、加入者認証モジュールなどを含む。識別モジュールが具備された装置（以下、「識別装置」）はスマートカード形式に製作される。よって、識別装置は前記インタフェース部２０６を介してウェアラブル装置２００と連結される。
【０１３３】
メモリは２０７はフラッシュメモリタイプ、ハードディスクタイプ、ＳＳＤタイプ、ＳＤＤタイプ、マルチメディアカードマイクロタイプ、カードタイプのメモリ（例えばＳＤ又はＸＤメモリなど）、ラム、ＳＲＡＭ、ロム、ＥＥＰＲＯＭ、ＰＲＯＭ、磁気メモリ、磁気ディスク及び光ディスクのうち少なくとも一つのタイプの記憶媒体を含む。
【０１３４】
＜ウェアラブル装置の詳細構造の説明＞
【０１３５】
図４は、本発明の第１実施例によるウェアラブル装置の分解斜視図である。
【０１３６】
図４を参照すると、本発明の第１実施例によるウェアラブル装置２００は、上述したようにバンド部２１０と、前記バンド部１１０の両端部にそれぞれ装着されるボディ部２２０と、前記ボディ部２２０と前記バンド部２１０のうち少なくとも一側に装着されるカメラモジュールを含む。
【０１３７】
詳しくは、前記バンド部２１０は上述したように第１バンド２１０ａ及び第２バンド２１０ｂで形成され、前記ボディ部２２０は第１ボディ部２２０ａと第２ボディ部２２０ｂで形成される。
【０１３８】
詳しくは、前記一対のボディ部２２０ａ、２２０ｂそれぞれは上部ハウジング２２１と下部ハウジング２２２によって外形が形成される。そして、前記上部ハウジング２２１と前記下部ハウジング２２２の結合によって形成される内部空間に各種電装部品が装着される。そして、前記一対のボディ部２２０ａ、２２０ｂそれぞれの端部には前記イヤホン２４０ａ、２４０ｂが引き出し可能に装着される。
【０１３９】
ここで、前記第１ボディ部２２０ａは右側ボディ部と定義され、前記第２ボディ部２２０ｂは左側ボディ部と定義される。前記右側ボディ部を構成する上部ハウジング２２０には前記後方カメラモジュール２９０を操作するための前記撮影ボタン２２３及び角度調節ボタン２３３ａが設置される。そして、前記右側ボディ部の上部ハウジング２２１には前記プレーボタン２３３が挿入されるボタンホール２２１ａと、前記前方カメラモジュール２８０が挿入されるカメラホール２２１ｂが形成される。
【０１４０】
また、前記右側ボディ部の内部には回路基板２５０が装着され、前記回路基板２５０には各種電装部品が実装され、前記回路基板２５０の一端にはフレキシブルプリント回路基板（ｆｌｅｘｉｂｌｅ  ｐｒｉｎｔｅｄ  ｃｉｒｃｕｉｔ  ｂｏａｒｄ）２５１が連結される。
【０１４１】
また、前記右側ボディ部の内部には前記電源供給部に当たるバッテリ２７０が装着される。そして、前記右側ボディ部の内部には前記イヤホン２４０ａ、２４０ｂに連結される前記音響ケーブル２４５を巻くか解くリール２３０が装着される。前記リール２３０の内部には音響回路基板が装着され、前記音響回路基板は前記軟性基板２５１によって前記回路基板２５０と電気的に連結され、前記イヤホン２４０ａ、２４０ｂに音響が出力されるようにする。
【０１４２】
一方、前記右側ボディ部を構成する下部ハウジング２２２の内部にはリールボタン２３４、ボリュームボタン２２４、選局ボタン２３２、モード選択ボタン２３５、撮影ボタン２３１などが収容される。そして、前記右側ボディ部の下部ハウジング２２２の左側面と右側面には前記ボタンが形成されるためのホールが分けられて形成される。
【０１４３】
また、前記下部ハウジング２２２の前端部にはイヤホンホルダ２２５が装着され、前記イヤホンホルダ２２５は前記イヤホン２４０ａ、２４０ｂの外周面を適切に囲んで保護するように凹んでラウンドして形成される。そして、前記イヤホンホルダ２２５の後面にはイヤホンスイッチ２２６が装着される。詳しくは、前記イヤホン２４０ａ、２４０ｂが前記イヤホンホルダ２２６の中に安着されると前記イヤホンスイッチ２２６がそれを感知し音響出力が中断されるようにする。
【０１４４】
また、前記イヤホンホルダ２２５と前記イヤホン２４０ａ、２４０ｂのうちいずれかの一側には磁石が付着され、他側には前記磁石にくっつく金属性導体が具備される。すると、前記イヤホン２４０ａ、２４０ｂが前記イヤホンホルダ２２６に安着された状態で自重によって分離されるか、前記ウェアラブル装置２００の揺れによって前記イヤホンホルダ２２６から分離する現象を防止することができる。
【０１４５】
一方、前記バンド部２１０の両端部にはそれぞれ延長端２２１が突出され、前記延長端２１１には差込ホール２１２が形成される。そして、また前記下部ハウジング２２２の底面には締結ボス２２７が突出され、前記締結ボス２２７が前記差込ホール２１２に差し込まれることで前記ボディ部２２０が前記バンド部２１０の端部に固定結合される。そして、前記延長端２１１は前記バンド部２１０から段差を成すように形成され、前記ボディ部２２０が前記バンド部２１０に連結された状態で空回りすることを防止する。
【０１４６】
また、前記左側ボディ部を構成する上部ハウジング２２１には前記通話ボタン２２３ａが挿入されるボタンホール２２１ａが形成される。そして、前記ボタンホール２２１ａの近くには前記スピーカホール２４１とマイクホール２２１ｃそれぞれが形成される。
【０１４７】
また、前記左側ボディ部を構成する上部ハウジング２２１と下部ハウジング２２２によって形成される内部空間には前記ボリュームボタン２２４ａと前記電源スイッチ２２９と前記ＵＳＢポート２２８が装着され、前記下部ハウジング２２１の左側面と右側面には前記ボリュームボタン２２４ａ、電源スイッチ２２９及びＵＳＢポート２２８が装着されるためのホールが分けられて形成される。
【０１４８】
もちろん、前記左側ボディ部の端部にも右側ボディ部に具備されるイヤホンホルダ構造が装着される。
【０１４９】
また、前記左側ボディ部の内部にも回路基板２５０が設置され、前記回路基板２５０にはスピーカモジュール２４３、無線通信部１１０、マイク２４８などが実装される。前記スピーカモジュール２４３は前記スピーカホール２４１の直下方に配置され、前記イヤホン２４０ａ、２４０ｂを使用しないときに前記スピーカホール２４１を介して音響が出力される。
【０１５０】
また、前記左側ボディ部の内部にもリール２３０が装着され、前記イヤホン２４０ａ、２４０ｂに連結される音響ケーブル２４５を巻くか解く。そして、前記リール２３０の内部に具備される音響回路基板は前記回路基板２５０の一端に連結される軟性基板２５１に電気的に連結される。
【０１５１】
一方、前記左側ボディ部と右側ボディ部には上述したように多数の機能モジュールと電装部品が分けられて設置されているが、前記多数の機能モジュールと電装部品の装着位置は適切に変更可能である。例えば、前記無線通信部とスピーカモジュール２４３が前記右側ボディ部に設置され、前記前方カメラモジュール２８０が前記左側ボディ部に設置されてもよい。即ち、本発明の実施例によるウェアラブル装置２００の内部には上述した各種構成が具備されるということを本発明における思想の主とし、前記構成がどのボディ部にどのように装着されるのかに関する具体的設計構造に関することを本発明における思想の従とする。
【０１５２】
もっとも、本発明の実施例によるウェアラブル装置２００の発明的特長は一つ又は多数のカメラモジュールが前記ウェアラブル装置２００に設置されることである。
【０１５３】
一方、前記バンド部２１０は第２バンド２１０ａと第１バンド２１０ｂで形成され、前記第２バンド２１０ａと第１バンド２１０ｂの端部は前記後方カメラモジュール２９０によって一体に連結される。即ち、前記後方カメラモジュール２９０が前記第２バンド２１０ａと第１バンド２１０ｂの連結部材の機能も一緒に行うといえる。
【０１５４】
詳しくは、前記後方カメラモジュール２９０は、ヒンジ２９１と、前記ヒンジ２９１に装着されるカメラ２９２と、前記カメラ２９２の前面に装着されるレンズ２９３及び前記ヒンジ２９１の一側に装着されるオートフォーカシングセンサ（Ｌａｓｅｒ  Ｄｅｔｅｃｔｉｎｇ  Ａｕｔｏ  Ｆｏｃｕｓｉｎｇ  ｓｅｎｓｏｒ）２９４を含む。
【０１５５】
そして、前記第２バンド部２１０ａの端部と前記右側バンド部２１０ｂの端部は前記ヒンジ２９１の左側面と右側面にそれぞれ連結される。そして、前記ヒンジ２９１は前記バンド部２１０に回動可能に装着され、前記ボディ部２２０に設置された角度調節ボタン２３３ａの操作を介して情報又は下方に回転可能である。他の方法として、前記ウェアラブル装置２００と無線で連結される移動端末機１００に設置されたアプリケーションを利用して前記ヒンジ２９１の角度を調節する。
【０１５６】
例えば、前記移動端末機１００に前記前方カメラモジュール２８０と前記後方カメラモジュール２９０を利用したイメージ又は映像撮影のための撮影アプリケーションが設置される。そして、前記撮影アプリケーションを実行すると前記前方カメラモジュール２８０と前記後方カメラモジュール２９０の作動を制御するためのメニュがそれぞれプログラムされており、ユーザの選択に応じてディスプレー部に表示されるようにする。たとえば、後方カメラの上向き回転命令入力のためのタッチアイコンと下向き回転命令入力のためのタッチアイコンがディスプレーされるようにし、前記アイコンのうちいずれか一つがユーザによってタッチされると該当アイコンが有する動作命令が前記無線通信部１１０を介して前記ウェアラブル装置２００の無線通信部１１０に受信される。そして、前記ウェアラブル装置２００の制御部２０８で前記後方カメラモジュール２９０を駆動する駆動部に命令を伝送し、前記後方カメラモジュール２９０が上向き又は下向き回転するようにする。
【０１５７】
前記後方カメラモジュール２９０の駆動メカニズムについては、以下で図面を参照して詳細に説明する。
【０１５８】
前記オートフォーカシングセンサ２９４はレーザを利用して前記カメラ２９２の前方にある被写体までの距離を感知する赤外線センサであり、前記被写体とカメラ２９２の距離を感知して短時間に焦点を正確に合わせる。
【０１５９】
図５は、本発明の実施例によるウェアラブル装置に具備される後方カメラモジュールの駆動メカニズムを示す分解斜視図である。
【０１６０】
図５を参照すると、前記方向カメラモジュール２９０は正逆回転可能な駆動モータＭによって上向き回転又は下向き回転が可能である。
【０１６１】
また、前記ヒンジ２９１は前記カメラ２９２が装着されるヒンジボディ２９２ａと、前記ヒンジボディ２９２ａの両側面からそれぞれ突出されるヒンジ軸２９２ｂを含む。前記一対のヒンジ軸２９２ｂは前記第２バンド２１０ａと第１バンド２１０ｂに差し込まれ、前記第１及び第２バンド（２１０ａ、２１０ｂ）を連結する。そして、前記一対のヒンジ軸２９２ｂのうちいずれか一側には軸挿入口２９５が形成される。そして、前記駆動モータＭの回転軸Ｓが前記軸挿入ホール２９５に挿入され、前記回転軸Ｓと前記ヒンジ２９２が一体に回転するようになる。
【０１６２】
前記駆動モータＭは前記ウェアラブル装置２００の制御部２０８から駆動命令を入力されて正回転又は逆回転する。もちろん、前記制御部２０８には前記駆動モータＭの回転を制御するためのドライバーＩＣが具備されることがいうまでもない。
【０１６３】
図６は、本発明の第２実施例によるウェアラブル装置の斜視図である。
【０１６４】
図６を参照すると、本実施例によるウェアラブル装置２００は第１実施例によるウェアラブル装置２００の構成と殆ど同じであるが、前記前方カメラモジュール２８０の装着位置に差がある。即ち、前記プレーボタン２２３とモード選択ボタン２３５が前記ボディ部２２０の前端部に具備され、前記前方カメラモジュール２８０が前記プレーボタン２２３の後側に具備される。他の提案可能な例として、前記前方カメラモジュール２８０が左側のボディ部２２０に具備されてもよい。即ち、前記前方カメラモジュール２８０が左側のボディ部２２０に具備され、前記通話ボタン２２３ａの前方または後方に配置される実施例も提案可能であることを明らかにする。
【０１６５】
図７は本発明の第３実施例によるウェアラブル装置の斜視図であり、図８は本発明の第３実施例によるウェアラブル装置に具備される前方カメラモジュールが前方にティルティングされた状態を示す拡大斜視図である。
【０１６６】
図７及び図８を参照すると、本実施例によるウェアラブル装置２００は前記第１実施例によるウェアラブル装置２００の構成と殆ど同じであるが、前記前方カメラモジュール２８０が左側ボディ部と右側ボディ部にそれぞれ装着されて前方にティルティング可能な構造であることに差がある。
【０１６７】
詳しくは、前記前方カメラモジュール２８０の前面部（又は上面部）、即ちレンズ部は前記ボディ部２２０の前面部（又は上面部）と実質的に同じ平面を成し、ユーザの操作によって前方に所定角度ティルティングされる。
【０１６８】
より詳しくは、ユーザが前記ウェアラブル装置２００を首に着用すると、前記ボディ部２２０はユーザの鎖骨と胸先の部分に置かれるようになる。この状態で撮影のために前記前方カメラモジュール２８０を駆動すると、ユーザが撮影しようとする被写体がカメラレンズに入らない場合が発生する。この際、ユーザが前記前方カメラモジュール２８０を手動で操作するか前記移動端末機１００の撮影アプリケーションを介してティルティング命令を入力すると、前記前方カメラモジュール２８０が前方に所定角度ティルティングされる。以下、前記前方カメラモジュール２８０のティルティングメカニズムの実施例について図面を参照して詳細に説明する。
【０１６９】
図９は、本発明の第３実施例によるウェアラブル装置に具備される前方カメラモジュールのティルティングメカニズムを示す分解斜視図である。
【０１７０】
図９を参照して本発明の実施例による前方カメラモジュールのティルティング構造を説明すると、前記ボディ部２２０を構成する上部ハウジング２２１の中央部には前記前方カメラモジュール２８０が収容される長いホール状のカメラホール２２１ｂが形成される。前記カメラホール２２１ｂの後側にはティルティング部材２７１がスライド可能に装着される。前記前方カメラモジュール２８０がティルティング前の状態にあるとき、前記ティルティング部材２７１は前記前方カメラモジュール２８０の後側側面部を囲んで前記前方カメラモジュール２８０の揺れを防止する。そして、前記カメラホール２２１ｂの前端部は前記前方カメラモジュール２８０の前側の側面部を囲んで形態でラウンドして形成される。
【０１７１】
詳しくは、前記ティルティング部材２７１は「┐」の形状に折曲されて前記カメラホール２２１ｂの後側の部分を囲むカバー部２１７ｂと、前記カバー部２７１ｂの前端で上面に折曲されて前記前方カメラモジュール２８０の側面に沿って円弧状にラウンドする把持部２７１ａと、前記カバー部２１７ｂの下端から前方に延長されてから上側に傾斜して折曲延長される形態の加圧部２７１ｄ及び前記カバー部２７１ｂの両側面から突出されて所定長さに延長されるスライドリブ２７１ｃを含む。
【０１７２】
また、前記カメラホール２２１ｂの側面の縁にはスライド溝２２１ｃが所定深さと長さで延長形成され、前記スライド溝２２１ｃには前記スライドリブ２７１ｃが挿入される。よって、前記スライドリブ２７１ｃが前記スライド溝２２１ｃに挿入された状態で前後方向に移動することによって前記ティルティング部材２７１が前後方向にスライディング移動する。
【０１７３】
また、前記カメラホール２２１ｂの両側面の縁には支持端２２１ｅが下側にそれぞれ延長される。そして、前記向かい合う前記支持端２２１ｅの面にはガイド突起２２１ｄがそれぞれ水平に突出される。そして、前記前方カメラモジュール２８０の左側と右側側面には一対のガイド溝２８１がそれぞれ形成され、前記ガイド溝２８１に前記支持端２２１ｅがそれぞれ挿入される。
【０１７４】
詳しくは、前記ガイド溝２８１は前記前方カメラモジュール２８０の上面から下面に向かって延長されるが、前記前方カメラモジュール２８０の前端部に行くほど下向き傾斜する曲線状に延長される。
【０１７５】
以下、前記ティルティングモジュールによって前記前方カメラモジュールがいかにティルティングするのかについて図面を参照して詳細に説明する。
【０１７６】
図１０は図８のＩ−Ｉに沿って切開される縦断面図であって、前方カメラモジュールのティルティング前の状態を示す断面図である。
【０１７７】
図１０を参照すると、前記前方カメラモジュール２８０がティルティングされていない様態では前記前方カメラモジュール２８０の前面（又は上面）は前記ボディ部２２０の前面（又は上面）と実質的に同じ平面を成す。即ち、前記ボディ部２２０の上部ハウジング２２１と前記前方カメラモジュール２８０の前面（又は上面）が同じ平面を成す。
【０１７８】
そして、前記ガイド突起２２１ｄは前記ガイド溝２８１に差し込まれた状態で前記ガイド溝２８１の後端部に位置する。そして、前記前方カメラモジュール２８０の下端部は前記ティルティング部材２７１の加圧部２７１ｄに安着された状態を維持する。そして、前記前方カメラモジュール２８０の前面下端部は前記加圧部２７１ｄの上向き傾斜が始まる部分に接触した状態である。もちろん、前記ティルティング部材２７１のスライドリブ２７１ｃは前記カメラ溝２２１ｂのスライド溝２２１ｃに挿入された状態である。
【０１７９】
図１１は図８のＩ−Ｉに沿って切開される縦断面図であり、前方カメラモジュールがティルティングされた状態を示す断面図である。
【０１８０】
図１１を参照すると、ユーザが前記把持部２７１ａを取って前記ティルティング部材２７１を後ろに押すと、前記ティルティング部材２７１がスライディング移動する。すると、前記加圧部２７１ｄが後退しながら前記前方カメラモジュール２８０の前面下端部を押す。 
【０１８１】
そして、前記前方カメラモジュール２８０は前記ガイド突起２２１ｄによって後方に移送せずに回転するようになる。
【０１８２】
詳しくは、前記前方カメラモジュール２８０の前面に押す力が作用すると、前記ガイド突起２２１ｄは前記ガイド溝２８１に沿って相対移動する。正確には前記ガイド突起２２１は固定されている状態であるため、前記ガイド溝２８１が上側に移動する。ここで、前記ガイド溝２８１が円弧状にラウンドして形成されるため、前記前方カメラモジュール２８０が図面上で反時計方向に回転するようになる。そして、前記前方カメラモジュール２８０の回転中心Ｘは前記前方カメラモジュール２８０の前端部の上面縁に形成される。
【０１８３】
前記回転中心Ｘが前記カメラモジュール２８０の前端部の上面縁に形成されるため、前記前方カメラモジュール２８０が回転しても前記前方カメラモジュール２８０の前端部の上面が前記上部ハウジング２２１に下側に下降しない。言い換えると、前記前方カメラモジュール２８０の前面部が前記ボディ部２２０の内部に入らない。その結果、前記前方カメラモジュール２８０のレンズ部の画角が狭くなる現象が発生しない長所がある。
【０１８４】
もし、前記前方カメラモジュール２８０の回転中心Ｘが前記前方カメラモジュール２８０の前方縁から前記前方カメラモジュール２８０の中心の方に離隔される位置に形成されれば、撮影過程で前記上部ハウジング２２１が一緒に撮影される現象が発生する。即ち、カメラの画角が狭くなるのである。
【０１８５】
本発明の実施例による前方カメラモジュール２８０のティルティングメカニズムは上述した構造に制限されないことを明らかにする。言い換えると、本発明の思想は前記前方カメラモジュール２８０が前方にティルティング可能であることであり、上述したティルティング構造は本発明のティルティングメカニズムに対する思想を説明するための一つの実施例に過ぎないといえる。よって、多様な形態のティルティングメカニズムが提案可能であることを再度明らかにする。
【０１８６】
それだけでなく、前記ではユーザの手動操作によって前記前方カメラモジュール２８０がティルティングされる例についてのみ説明したが、前記前方カメラモジュールが自動的にティルティングされる思想を排除することではないことを明らかにする。
【０１８７】
例えば、図示していないが、前記後方カメラモジュール２９０を回動するための駆動モータと同じ形態の駆動モータが装着され、ラック／ピニオン構造が具備されて前記ティルティング部材２７１を前後方向にスライディング移動可能にする構造も適用可能である。
【０１８８】
また他のティルティングメカニズムの一つの方法として、前記前方カメラモジュール２８０の前端部の上面縁にヒンジ軸が横方向に水平に形成されるようにし、前記ヒンジ軸が前記駆動モータの回転軸にギアアセンブリによって連結される構造も可能である。前記ヒンジ軸は、前記前方カメラモジュール２８０の前端部の上面縁を通る接線と一致し、前記上部ハウジング２２１に回転可能に連結される。
【０１８９】
このように、前記前方カメラモジュール２８０が駆動モータによって自動的にティルティング可能になると、前記ウェアラブル装置２００と通信する前記移動端末機１００を介して前記前方カメラモジュール２８０のティルティングを調節することができる。
【０１９０】
例えば、前記で短く言及したように、前記移動端末機１００にカメラ撮影アプリケーションが設置され、前記カメラ撮影アプリケーションを実行して前記前方カメラモジュール２８０のティルティング命令を入力するようにしてもよい。すると、前記前方カメラ撮影アプリケーションの制御部を介してティルティング動作のための命令信号が生成され、前記命令信号は無線通信部を介して前記ウェアラブル装置２００に伝送される。そして、前記ウェアラブル装置２００では受信された命令信号に基づいて前記駆動モータの動作を制御することで、前記前方カメラモジュール２８０のユーザの望みの角度にティルティングされる。以下、前記アプリケーションを利用したカメラモジュールの作動制御について図面を参照して説明する。
【０１９１】
図１２Ａは、移動端末機のディスプレー部を示す図である。
【０１９２】
図１２Ａを参照すると、前記移動端末機１００のディスプレー部１５１には前記ウェアラブル装置２０で再生されている音楽情報又はラジオ情報が表示される再生画面１５１ａがディスプレーされる。
【０１９３】
前記再生画面１５１ａは前記ティスプレー部１５１の全体の大きさより小さい大きさで上側に配置される。そして、前記再生画面１５１ａの下側にはカメラ実行アプリケーションが配置される。前記カメラ実行アプリケーションは第１撮影アプリケーション１００と第２撮影アプリケーション２０を含む。前記第１撮影アプリケーション１０は前記移動端末機の前面と後面に設置されたカメラモジュールを利用して撮影するためのアプリケーションであり、前記第２撮影アプリケーション２０は前記ウェアラブル装置２００に設置された前方カメラモジュール２８０と後方カメラモジュール２９０を利用して説明するためのネックバンドカメラアプリケーションである。
【０１９４】
そして、前記再生画面１５１ａと前記カメラ実行アプリケーション１０，２０は前記ディスプレー部１５１のロック状態（ｌｏｃｋ  ｓｔａｔｅ）で表示されてもよく、アンロック状態（ｕｎｌｏｃｋ  ｓｔａｔｅ）で表示されてもよい。
【０１９５】
図１２Ｂは、前記第２撮影アプリケーションをタッチした際に表示される画面の状態を示す図である。
【０１９６】
図１２Ｂを参照すると、ユーザが前記ウェアラブル装置２００に設置されたカメラモジュールを利用して撮影しようとして撮影命令を前記移動端末機１００を介して入力しようとする際、ユーザは前記第２撮影アプリケーション２０をタッチする。
【０１９７】
すると、前記ディスプレー部１５１の画面が変わって前記ディスプレー部１５１に前方カメラアイコン２１、後方カメラアイコン２２とデュアルモードアイコン２３が表示される。
【０１９８】
前記前方カメラアイコン２１は前記ウェアラブル装置２００の前方カメラモジュール２８０を利用して撮影しようとする際にユーザによってタッチされる。そして、前記後方カメラアイコン２２は前記ウェアラブル装置２００の前方カメラモジュール２９０を利用して撮影しようとする際にユーザによってタッチされる。そして、前記デュアルモードアイコン２３は前記前方カメラモジュール２８０と後方カメラモジュール２８９を同時に利用して撮影しようとする際にユーザによってタッチされる。前記デュアルモードアイコン２３がタッチされると前記前方カメラモジュール２８０に映る第１被写体が主被写体となって前記ディスプレー部１５１の全体にディスプレーされ、前記後方カメラモジュール２９０に映る第２被写体がサブ被写体となって前記第１被写体の前面に重なって画面の中の画面（Ｐｉｃｔｕｒｅ  Ｉｎ  Ｐｉｃｔｕｒｅ）形態にディスプレーされる。そして、ユーザの選択に応じて前記第１被写体がサブ被写体に転換され、前記第２被写体が主被写体に転換される。
【０１９９】
他の方法としては、前記ディスプレー部１５１が上側領域と下側領域に区画され、前記第１被写体が前記上側と下側領域のうちいずれか一つにディスプレーされ、前記第２被写体が上側と下側領域のうち他の一つにディスプレーされるようにしてもよい。そして、ユーザの選択に応じて前記第１被写体と第２被写体のディスプレー領域が転換されるようにしてもよい。
【０２００】
図１２Ｃは、前方カメラアイコンが選択された際のディスプレー部を示す図である。
【０２０１】
図１２Ｃを参照すると、ユーザが前記図１２Ｂの状態で前記前方カメラアイコン２１を選択した場合、前記前方カメラモジュール２８０が駆動されて撮影待機状態になる。
【０２０２】
詳しくは、撮影待機状態では前記前方カメラモジュール２８０のイメージセンサに映る被写体の像が前記ディスプレー部１５１に表示される。そして、前記ディスプレー部１５１の下側の領域には撮影アイコン３１と確認ウィンドウ３２及び選択アイコン３３などが表示される。
【０２０３】
前記撮影アイコン３１はユーザが手でタッチして前記前方カメラモジュール２８０が撮影動作を行うようにする命令入力部である。よって、ユーザが前記撮影アイコン３１をタッチすると撮影音響と共に前記ディスプレー部１５１に表示される被写体が撮影される。
【０２０４】
前記確認ウィンドウ３２は以前に撮影したイメージが小さく幼児される部分であり、前記確認ウィンドウをタッチすると以前に撮影されたイメージが前記ディスプレー部１５１に表示される。
【０２０５】
前記選択アイコン３３はユーザがイメージを撮影するか動画を撮影するかを選択するためのアイコンであって、ユーザが前記選択アイコン３３をタッチした状態で左側又は右側にスライディングするとイメージ撮影モードと動画撮影モードのうちいずれか一つが選択される。前記撮影アイコン３１、確認ウィンドウ３２及び選択アイコン３３は従来の移動端末機にも具備されている機能であって、それに関する詳細な説明は省略する。
【０２０６】
一方、前記撮影待機状態では前記ディスプレー部１５１の下側縁部分に角度調節アイコン３４が表示される。前記角度調節アイコン３４は前記前方カメラモジュール２８０を上向き又は下向きに回転する命令を入力するためのタッチボタンである。前記角度調節アイコン３４は上向き回転ボタン３４１と下向き回転ボタン３４２を含む。
【０２０７】
このような構造によると、ユーザは前記角度調節アイコン３４をタッチしながら前記前方カメラモジュール２８０の指向角度を調節することができる。前記前方カメラモジュール２８０の指向角度が変更されることで前記ディスプレー部１５１に表示される被写体も変更され、ユーザが前記被写体を確認しながら前記前方カメラモジュール２８０の指向角度を調節することができる。よって、ユーザは前記ウェアラブル装置２００のボディ部２００を手で直接操作しなくても直接望みの被写体を正確に撮影しそれを確認することができる長所がある。
【０２０８】
一方、本図面で説明されるないような前記後方カメラアイコン２２及び前記デュアルモードアイコン２３にも同じく適用されることを明らかにする。特に、前記デュアルモードアイコン２３が選択された際には前記前方カメラモジュール用角度調節アイコンと後方カメラモジュール用角度調節アイコンがそれぞれディスプレーされるべきである。
【０２０９】
また、前記で説明される他の実施例によるウェアラブル装置のうち、カメラティルティングが可能なウェアラブル装置２００は全て前記カメラ実行アプリケーションによって同じく制御可能であることを明らかにする。
【０２１０】
一方、前記で提示されたようにユーザが移動端末機１００に設置された第２撮影アプリケーション２０をタッチ及び活性化して前記前方カメラモジュール２８０及び／又は後方カメラモジュール２９０の撮影動作を制御する方法以外にも他の方法も提示可能である。
【０２１１】
例えば、前記ウェアラブル装置２００の電源がオンされると自動的に前記カメラモジュール２８０，２９０が撮影動作を行うようにしてもよい。
【０２１２】
詳しくは、ユーザが前記ウェアラブル装置２００を首に着用して前記電源スイッチ２２９をオンすると、前記移動端末機１００とウェアラブル装置２００に具備された近距離通信モジュール、一例としてブルートゥースモジュール間にペアリング（ｐａｉｒｉｎｇ）が行われて通信可能な状態になる。ここで、前記移動端末機１００はユーザの手に取られた状態であるかユーザが担いでいるかばんの中又はユーザの服に具備されているポケットに収納され、前記ウェアラブル装置２００と近距離通信が可能な範囲内にあることを前提にする。
【０２１３】
そして、前記近距離無線通信モジュール間のペアリングが完了されると同時に一定時間の間隔を置いて周期的に前記カメラモジュール２８０，２９０が撮影動作を行うようにしてもよい。そして、撮影されたイメージ情報は前記移動端末機１００の制御部に伝送されてメモリに記憶されるようにしてもよい。
【０２１４】
又は、ユーザが前記ウェアラブル装置２００のプレーボタン２２３を押して音楽再生命令を入力すると、それと同時に前記カメラモジュール２８０，２９０は一定時間の間隔を置いて周期的に撮影動作を行うようにしてもよい。
【０２１５】
他の方法として、前記ウェアラブル装置２００のボディ部２２０に振動センサ又はタッチセンサが具備され、ユーザが前記ボディ部２２０をタッチするか叩くことを感知して前記カメラモジュール２８０，２９０が作動するようにしてもよい。
【０２１６】
詳しくは、ユーザが前記ボディ部２２０をタッチするか叩く回数に対応してイメージ撮影モード命令又は映像撮影モード命令が決定され、該当モード遂行命令が入力されると前記カメラモジュール２８０，２９０がさどうするようにしもよい。
【０２１７】
例えば、ユーザが前記ボディ部２２０を２回タッチすると前記ウェアラブル装置２００の制御部２０９ではイメージ撮影モードと認識し、３回タッチすると映像撮影モードと認識するようにしてもよい。そして、イメージ撮影モード命令が入力されると設定時間内に設定回数のイメージカットを撮影するようにしてもよい。即ち、ボディ部２２０を２回タッチすると１秒間隔にイメージが３回撮影されるようにするなどの制御も可能である。
また、前記ボディ部２２０を３回タッチして映像撮影モード命令が入力されると設定された時間の間に動作が撮影され、設定時間が経過すると自動的に撮影を中断するようにしてもよい。そして、撮影されたイメージ又は映像は近距離無線通信モジュールを介して前記移動端末機１００のメモリ１７０に記憶されるようにしてもよい。
【０２１８】
更に他の方法として、前記ウェアラブル装置２００の電源がオンされてＧＰＳを含む前記位置情報モジュール２０１ｄがオンされ、前記マイクロフォン２０２ｂを含む入力部２０２がオンされて特定イベントが感知されると自動的に前記カメラモジュール２８０，２９０が作動するように制御されてもよい。
【０２１９】
前記特定イベントととしては以下のような場合が挙げられる。
【０２２０】
第一、前記マイクロフォン２０２ｂを介して特定音響（ｓｏｕｎｄ）又は音声（ｖｏｉｃｅ）の入力が感知されると、前記カメラモジュール２８０，２９０が自動的に撮影動作を行うようにしてもよい。例えば、笑い声又は自動車の衝突音などが入力されると自動的に前記カメラモジュール２８０，２９０が作動して設定回数だけイメージ撮影が行われるようにするか、設定時間の間に動画が撮影されるようにしてもよい。
【０２２１】
第二、前記位置情報モジュール２０１ｄによって前記ウェアラブル装置２００の現在位置（又はユーザの現在位置）が設定距離以上に変動された場合には前記カメラモジュール２８０，２９０が自動的に動作するようにしてもよい。
【０２２２】
第三、前記ウェアラブル装置２００のセンシング部２０４のうち近接センサ２０４ａによって任意の物体が設定された距離範囲以内に入ることを感知すれば自動的に前記カメラモジュール２８０，２９０が動作するようにしてもよい。例えば、事故を誘発する物体がユーザに傷害を与える恐れがある距離、即ち危険半径内に急に入ってくると、前記カメラモジュール２８０，２９０が作動してイメージ又は映像撮影が行われるようにしてもよい。すると、後に事故の原因を明らかにするのに役に立つ。
【０２２３】
図１３は、本発明の第４実施例によるウェアラブル装置の斜視図である。
【０２２４】
図１３を参照すると、本実施例によるウェアラブル装置２００は第３実施例によるウェアラブル装置２００の構造と殆ど同じであるが前記ボディ部２２０の一部がティルティング可能であることに差がある。即ち、第３実施例では前記前方カメラモジュール２８０自体がティルティングされる構造を特徴とする一方、本実施例では前記前方カメラモジュール２８０が装着されたボディ部２２０の一部分がティルティングされることを特徴とする。
【０２２５】
詳しくは、前記一対のボディ部２２０ａ，２２０ｂそれぞれは前記バンド部２１０に固定される固定部２２０ｄと、前記固定部２２０ｄの前端に回動可能に連結される回動部２２０ｃを含む。例えば、前記回動部２２０ｃの後端部の両側面にヒンジ軸が突出され、前記ヒンジ軸が前記固定部２２０ｄに連結されるようにすることでユーザが手動で前記回動部２２０ｃを望みの角度に回転することができる。
【０２２６】
又は、前記ヒンジ軸に上述した駆動モータとギアアセンブリ構造を適用することでユーザが前記図１２Ａ乃至図１２Ｃで説明したような移動端末機１００のカメラ実行アプリケーションを介して自動的に前記回動部２２０ｃが回転するようにすることもできることを明らかにする。
【０２２７】
図１４は本発明の第５実施例によるウェアラブル装置の正面斜視図であり、図１５は本発明の第５実施例によるウェアラブル装置の背面斜視図である。
【０２２８】
図１４乃至図１５を参照すると、本実施例によるウェアラブル装置２００は前記第３実施例によるウェアラブル装置２００の構成を殆ど同じであるが、前方カメラモジュール２８０の装着位置と装着方法に差がある。
【０２２９】
詳しくは、第３実施例によるウェアラブル装置２００は前方カメラモジュール２８０が前記ボディ部２２０に装着されることを特徴とする一方、本実施例によるウェアラブル装置２００は前記前方カメラモジュール２８０が前記ボディ部２２０から分離可能であることを特徴とする。
【０２３０】
より詳しくは、前記イヤホン２４０ａ，２４０ｂが装着されるイヤホンホルダ２２５に本実施例による前方カメラモジュール２８０が着脱可能に装着される。そして、前記左側ボディ部と右側ボディ部に前記前方カメラモジュール２８０がそれぞれ装着されるか、左側ボディ部と右側ボディ部のうちいずれか一側にのみ前記前方カメラモジュール２８０が設置されてもよい。
【０２３１】
一方、前記前方カメラモジュール２８０が前記ボディ部２２０の前端部に装着されることで前記イヤホン２４０ａ，２４０ｂの装着位置が変更されている。詳しくは、前記ボディ部２２０の底面、即ち前記下部ハウジング２２２の底部に前記イヤホン２４０ａ，２４０ｂが収容される凹部が形成され、前記音響ケーブル２４５は前記凹部を貫通して前記イヤホン２４０ａ，２４０ｂに連結される。よって、ユーザは前記ボディ部２２０の底面に安着される前記イヤホン２４０ａ，２４０ｂを引っ張って耳に差し込み、リールボタンを押して前記イヤホン２４０ａ，２４０ｂの音響ケーブルのリールに巻かれるようにして前記イヤホン２４０ａ，２４０ｂが前記凹部に更に安着されるようにする。
【０２３２】
図１６は、図１５のウェアラブル装置に装着される前方カメラモジュールの斜視図である。
【０２３３】
図１６を参照すると、本発明の実施例による前方カメラモジュール２８０は前記ウェアラブル装置２００から分離可能なことを特徴とする。
【０２３４】
詳しくは、前記前方カメラモジュール２８０はカメラ２８２と、前記カメラ２８２の前面に結合されるレンヌ２８３と、前記カメラ２８２の側面部に形成されるオートフォーカシングセンサ２８９と、前記カメラ２８２の後面に結合される連結部２８５と、前記連結部２８５の後面から延長される挿入部２８６を含む。
【０２３５】
前記カメラ２８２の後面には球状のベアリング２８４、即ちジャーナルベアリングが形成され、前記連結部２８５の内部には前記ベアリング２８４が安着されるベアリング溝が形成される。よって、前記ベアリング２８４が前記連結部２８５に結合されて前記カメラ２８２が２軸方向回転が可能になる。
【０２３６】
また、前記挿入部２８６の側面には電源と電気信号を伝達するための端子部が形成され、前記挿入部２８６の後端にはマグネット２８７が装着される。そして、前記ボディ部２２０の前端には前記挿入部２８６が挿入される挿入溝が形成される。そして、前記挿入溝の内週面には前記端子部２８８と接触されて電気的に連結される端子部が形成される。そして、前記挿入溝には磁性体が付着されて前記マグネット２８７と結合される。よって、前記挿入部２８６を前記ボディ部２２０の前端に形成された前記挿入溝に挿入すると磁力によって前記挿入部２８６が前記ボディ部２２０に結合され、前記端子部２８８が前記挿入溝に形成された端子部と電気的に連結される。
【０２３７】
そして、前記前方カメラモジュール２８０は磁力によって前記ボディ部２２０に結合されるため、ユーザが容易に前記前方カメラモジュール２８０を分離することができる長所がある。そして、前記マグネット２８７の磁力は前記前方カメラモジュール２８０が外部衝撃によって前記前方カメラモジュール２８０がボディ部２２０から分離されない程度の大きさを有する。例えば、ユーザが前記ウェアラブル装置２００を着用した状態で走っても前記前方カメラモジュール２８０が前記ボディ部２２０から分離されない。
【０２３８】
また、前記前方カメラモジュール２８０が前記ボディ部２２０に結合された状態でユーザは前記カメラ２８２を望みの角度に調節可能な長所がある。特に、前記ベアリング２８４が球状のジャーナルベアリング構造で形成されているため、前記カメラ２８２の後面が前記連結部２８５の前面に当たる範囲内では角度の制限がない。即ち、前記カメラ２８２の指向角範囲はパラボラアンテナ形状の３次元軌跡を形成する。
【０２３９】
図１７は本発明の第６実施例によるウェアラブル装置の前面斜視図であり、図１８は本発明の第６実施例によるウェアラブル装置の背面斜視図である。
【０２４０】
図１７及び図１８を参照すると、本実施例によるウェアラブル装置２００は前記第３実施例によるウェアラブル装置２００の構造と殆ど同じであるが、前記前方カメラモジュール２８０の装着位置に差がある。
【０２４１】
詳しくは、本実施例によるウェアラブル装置２００に装着される前方カメラモジュール２８０は図１６で提示した前方カメラモジュール２８０と実質的に同じであり、前記ボディ部２２０から分離可能に装着される。
【０２４２】
また、本図面では前記着脱型前方カメラモジュール２８０が前記ボディ部２２０の前面後側に装着されると提示されているが、それに制限されることはない。言い換えると、図７に提示されたウェアラブル装置２００の構造に提供される前方カメラモジュール２８０が装着されるところに本実施例による着脱型前方カメラモジュール２８０が装着される構造も可能である。そして、前記着脱型前方カメラモジュール２８０の装着位置に応じて各種ボタン部の位置は適切に変更可能である。
【０２４３】
まとめると、第６実施例によるウェアラブル装置２００の特徴は着脱型前方カメラモジュール２８０が前記ボディ部２２０の前端部だけでなく上面にも分離可能に結合されるということである。但し、前記前方カメラモジュール２８０が前記ボディ部２２０の上面に結合される場合、前記カメラ２８２の画角を確保するために前記連結部２８５と前記挿入部２８６が成す角度が異なる必要はある。
【０２４４】
他の方法として、前記カメラ２８２の回転角度範囲を調節して十分な画角を確保することもできる。例えば、前記カメラ２８２の後面と前記連結部２８５間の離隔距離を調節すると、前記カメラ２８２の回転角度範囲、即ち放物線軌跡が広がる角度を調節することができる。すると、前記カメラ２８２の回転範囲をより大きくするかより小さくすることができる。
【０２４５】
図１９及び図２０は、本発明の第７実施例によるウェアラブル装置の斜視図である。
【０２４６】
図１９及び図２０を参照すると、本発明の第７実施例によるウェアラブル装置２００は第６実施例によるウェアラブル装置２００の構造と実質的に同じであるが、前方カメラモジュールの構造と作動メカニズムに差がある。
【０２４７】
詳しくは、本実施例によるウェアラブル装置２００に具備される前方カメラモジュール３８０は前記ボディ部２２０の上面にポップアップ（ｐｏｐ−ｕｐ）可能に装着されることを特徴とする。
【０２４８】
図１９に示したように、前記前方カメラモジュール３８０が動作しないときには前記前方カメラモジュール３８０の上部面を除く残りの部分は前記ボディ部２２０の内部に隠された状態に維持される。そして、前記前方カメラモジュール３３０の上部面と前記ボディ部２２０の上面が実質的に同じ平面を成すように設計されてもよい。
【０２４９】
図２０に示したように、前記前方カメラモジュール３８０を利用してユーザの前方にある被写体を撮影する際には、前記前方カメラモジュール３８０の前面部が所定角度だけ上側にポップアップされる。すると、前記前方カメラモジュール３８０のレンズ部が外部に露出されて前方を向くようになる。
【０２５０】
その他、本実施例による前記ウェアラブル装置２００の構成は以前の実施例で提示された構成と実質的に同じであるため、それらに対する重複説明は省略する。
【０２５１】
以下、前記前方カメラモジュール３８０の具体的な構成及び動作方法について一例を挙げて説明する。以下で説明される前記前方カメラモジュール３８０のポップアップ動作のためのメカニズムは一実施例に当たるだけであって、下記で提示される構造に本発明の思想が制限されることはなく、またポップアップ動作のための他の可能な実施例を排除することではないことを明らかにする。即ち、前記前方カメラモジュール３８０がポップアップ可能にボディ部２２０に装着される本発明の思想を具現する構造的なメカニズムは全て本発明の思想に含まれることを明らかにする。
【０２５２】
図２１は、本発明の実施例によるポップアップ可能な前方カメラモジュールの分解斜視図であり、図２２Ａは前記ポップアップ可能な前方カメラモジュールが安着されるボディ部の部分平面図である。
【０２５３】
図２１を参照すると、本発明の実施例によるポップアップ可能な前方カメラモジュール３８０は、ケース３８１と、前記ケース３８１の前面に安着されるカメラ３８２と、前記カメラ３８２の前面に置かれるレンズ３８３を含む。
【０２５４】
詳しくは、前記ケース３８１の後端部の両側面にはヒンジ軸３８４が突出形成され、前記ヒンジ軸３８４にはトーションばねを含む弾性部材３８９が装着される。前記弾性部材３８９の復元力によって前記ケース３８１が前記ヒンジ軸３８４を中心に回動可能になる。即ち、前記前方カメラモジュール３８０のポップアップ可能にする力になる前記弾性部材３８９の復元力になるように設計される。しかし、必ずしもこれに制限されることはない。
【０２５５】
また、前記ケース３８１の前面部下端にはかかり突起３８７が前方に突出形成される。そして、前記ケース３８１の底面にはラッチ３８７が突出形成される。
【０２５６】
一方、前記ケース３８１の外周面、一実施例として上部面には点線で示したようにオートフォーカシングレンズ３８８が装着される。
【０２５７】
図２２Ａを参照すると、前記ウェアラブル装置２００のボディ部２２０、具体的には上部ハウジング２２１には前記前方カメラモジュール３８０が安着されるカメラモジュール収容溝２２１ｇが凹んで形成される。
【０２５８】
詳しくは、前記カメラモジュール収容溝２２１ｇの前面縁には係り突起２２１ｆが突出され、底面にはラッチレシーバー２２１ｈが形成されて前記ラッチ３８６が選択的にかかるようにする。前記ラッチ３８６とラッチレシーバー２２１ｈ構造はユーザの操作によって選択的に結合又は分離されるプッシュアンドプッシュボタン（ｐｕｓｈ  ａｎｄ  ｐｕｓｈ  ｂｏｔｔｏｎ）構造である。即ち、前記ケース３８１を押して前記ラッチ３８６が前記ラッチレシーバー２２１ｈに結合されるようにした状態で、前記ケース３８１を押してから離すと前記ラッチ３８６が前記ラッチレシーバー２２１ｈから分離されるボタン構造である。
【０２５９】
また、前記ケース３８１の側面に突出される前記ヒンジ軸３８４は前記上部ハウジング２２１に回動可能に結合される。
【０２６０】
図２２Ｂは、図１９のII−IIに沿って切開される断面図である。
【０２６１】
図２２Ｂを参照すると、前記前方カメラモジュール３８０が前記カメラモジュール収容溝２２１ｇに収容された状態では前記前方カメラモジュール３８０の上面のみが外部に露出される。そして、前記前方カメラモジュール３８０の上面は前記ボディ部２２０の上部ハウジング２２１と同じ平面を成すようにしてもよい。
【０２６２】
詳しくは、前記前方カメラモジュール３８０が前記カメラモジュール収容溝２２１ｇに収容された状態では前記ラッチ３８６が前記ラッチレシーバー２２１ｈに結合された状態で維持され、前記弾性部材３８９には復元力が蓄積される。
【０２６３】
図２２Ｃは、図２０のIII −III に沿って切開される断面図である。
【０２６４】
図２２Ｃを参照すると、前記前方カメラモジュール３８０をポップアップするためにはユーザが前記前方カメラモジュール３８０の上面を押してから離す動作を行う。すると、前記ラッチ３８６が前記ラッチレシーバー２２１ｈから分離される。そして、前記弾性部材３８９の復元力によって前記ケース３８１が前記ヒンジ軸３８４を中心に回動し、前記前方カメラモジュール３８０の前面が前記上部ハウジング２２１の上側にポップアップされる。
【０２６５】
この際、前記ケース３８１の前面下端に突出されたかかり突起３８７は前記上部ハウジング２２１の前面上端に突出された前記かかり突起２２１ｆにかかってそれ以上回転することができなくなる。即ち、前記係り突起３８７，２２１ｆがストッパーの機能をする。
【０２６６】
本発明の実施例による前方カメラモジュール３８０のポップアップメカニズムは上述した方法以外にも多様な方法が提案可能であることを更に明らかにする。
【０２６７】
図２３は本発明の第８実施例によるウェアラブル装置の前面斜視図であり、図２４は本発明の第８実施例によるウェアラブル装置の背面斜視図であり、図２５は本発明の第８実施例によるウェアラブル装置の着用状態を示す図である。
【０２６８】
図２３乃至図２５を参照すると、本発明の第８実施例によるウェアラブル装置３００はヘッドセット又はヘッドホン形状のウェアラブル装置であってもよく、前記ウェアラブル装置３００にカメラモジュールが装着されることを特徴とする。
【０２６９】
図２３を参照すると、前記ウェアラブル装置３００はバンド部３１０と前記バンド部３１０の両端部に結合されるボディ部３２０と、前記一対のボディ部３２０のうちいずれか一つ又は両方に装着される前方カメラモジュール３８０及び前記バンド部３１０の装着される後方カメラモジュール３９０を含む。
【０２７０】
前記ウェアラブル装置３００がバンド部３１０とボディ部３２０及びカメラモジュール３８０，３９０で形成されることは以前の実施例によるウェアラブル装置と同じである。
【０２７１】
詳しくは、前記バンド部３１０は第１バンド３１０ａと第２バンド３１０ｂで形成され、前記第１バンド３１０ｂの一端に前記ボディ部３２０がそれぞれ装着される。そして、前記第１バンド３１０ａと第２バンド３１０ｂの他端は前記後方カメラモジュール３９０によって互いに連結される。これは以前の実施例で説明した構造と同じである。即ち、前記後方カメラモジュール３９０は前記バンド部３１０に装着された状態で所定角度だけ上向き及び下向き回転が可能である。
【０２７２】
また、前記ボディ部３２０は円板状のヘッドホンであってもよく、前記ボディ部３２０の外側面にはアウトカバー３２１が回転可能に装着される。そして、前記アウトカバー３２１に前記前方カメラモジュール３８０が装着される。そして、前記前方カメラモジュール３８０は図示されたように前記ボディ部３２０から突出された状態で前記アウトカバー３２１に固定されるかポップアップ可能な構造で前記ボディ部３２０に装着される。そして、前記前方カメラモジュール３８０にはオートフォーカシングセンサ３８８が装着される。
【０２７３】
図２５を参照すると、ユーザは前記ウェアラブル装置３００を頭に着用する。
【０２７４】
詳しくは、前記ボディ部３２０の内側面に具備されたスピーカホールがユーザの耳を向かうように前記ボディ部３２０をユーザの耳に密着する。そして、前記方向カメラモジュール３９０がユーザの前方を向かうように前記バンド部３１０をユーザの額に位置する。ユーザが帽子を着用した状態では、図示したように前記バンド部３１０が帽子のひさしにかかるようにする。そして、前記前方カメラモジュール３８０のレンズが前方を向かうように回転する。すると、一対の前方カメラモジュール３８０と前記後方カメラモジュール３９０が全てユーザの前方を向かった状態で被写体を撮影する。そして、前記多数のカメラモジュール３８０，３９０で撮影されたイメージは前記移動端末機１００に伝送されて記憶される。
【０２７５】
また、前記多数のカメラモジュール３８０，３９０を同時に作動して３Ｄ映像の撮影を可能にする。
【０２７６】
他の形態の着用方法として、ユーザは前記ボディ部３２０がユーザの耳に密着した状態で前記バンド部３１０を後ろに回転し、前記後方カメラモジュール３９０が後方を向かうようにしてもよい。
【０２７７】
又は、ユーザが前記バンド部３１０を首にかけて前記ボディ部３２０がユーザの胸先に置かれるようにし、前記前方カメラモジュール３８０はユーザの前方を向き後方カメラモジュール３９０はユーザの後方を向くようにしてもよい。
【０２７８】
図２６及び図２７は、本発明の第９実施例によるウェアラブル装置のボディ部を示す部分斜視図である。
【０２７９】
図２６及び図２７を参照すると、本発明の第９実施例によるウェアラブル装置３００は前記第８実施例によるウェアラブル装置３００と構成が全て同じであるが、前記前方カメラモジュール３８０が前記ボディ部３２０から分離可能なことに差がある。
【０２８０】
詳しくは、前記ボディ部３２０の外側面に前記アウトカバー３２１が回動可能に装着され、前記アウトカバー３２１の中央には図１６で説明した着脱型前方カメラモジュール３８０が装着されるための挿入溝３２２が形成される。
【０２８１】
そして、前記着脱型前方カメラモジュール２８０の挿入部２８６が前記挿入溝３２２に挿入される。前記挿入溝３２２の底面には導体が装着されて前記挿入部２８６の端部に結合された前記マグネット２８７が付着されるようにする。
【０２８２】
また、前記挿入溝３２２の内部側面には前記端子部２８８と電気的に接触する端子部が形成される。
【０２８３】
このような構造によって、ユーザは普段前記前方カメラモジュール２８０を分離保管していながら、撮影の必要がある際に前記前方カメラモジュール２８０を前記ボディ部３２０に結合する。
【０２８４】
図２８は、本発明の第１０実施例によるウェアラブル装置の斜視図である。
【０２８５】
図２８を参照すると、本発明の第１０実施例によるウェアラブル装置４００は、バンド部４１０と、前記バンド部４１０の両端部に結合される一対のボディ部４２０と、前記一対のボディ部４２０の前面にそれぞれ装着される前方カメラモジュール４８０と、前記バンド部４１０の回転可能に装着される後方カメラモジュール４９０及び前記ボディ部４２０に引き出し可能に結合されるイヤホン４４０を含む。
【０２８６】
詳しくは、前記バンド部４１０は以前の実施例と同じく第１バンド４１０ａと第２バンド４１０ｂで形成され、前記第１バンド４１０ａと第２バンド４１０ｂは前記後方カメラモジュール４９０によって互いに連結される。前記後方カメラモジュール４９０は第１実施例による後方カメラモジュール２９０と同じ構造で形成される。
【０２８７】
また、前記ボディ部４２０は前記第１バンド４１０ａと第２バンド４１９ｂの端部に固定されるリアハウジング４２０ｂと、前記リアハウジング４２０ｂの前端部に回動可能に結合されるフロントハウジング４２０ａを含む。そして、前記ボディ部４２０の内部には図４で説明した各種部品が内装され、前記フロントハウジング４２０ａの回転に影響を受けず、前記ボディ部４２０の内部に固定される。
【０２８８】
詳しくは、前記リアハウジング４２０ｂとフロントハウジング４２０ａは所定直径と長さを有する円筒状に形成される。前記フロントハウジング４２０ａは前記リアハウジング４２０ｂに連結された状態で長さ方向の中心軸を中心に左側又は右側に回転可能に構成される。そして、前記フロントハウジング４２０ａの左側又は右側方向の回転によって前記前方カメラモジュール４８０の焦点距離を調節する。これは、移動端末機のディスプレー部に親指と人差し指を接触した状態で画面を拡大するか縮小することと同じ原理に当たるといえる。即ち、前記フロントハウジング４２０ａを左側又は右側方向のうちいずれか一方向に回転すると焦点距離が長くなり、他の方向に回転すると焦点距離が短くなって被写体を拡大又は縮小して撮影することができる。
【０２８９】
また、前記リアハウジング４２０ｂにはイヤホン収容溝４２１が凹んで形成され、前記イヤホン収容溝４２１を貫通して音響ケーブル４４５が引き出される。そして、前記音響ケーブル４４５に前記イヤホン４４０が連結される。そして、図４で説明したようなリール部材が前記ボディ部４２０の内部に装着され、前記音響ケーブル４４５が引き出された状態で自動的に巻かれるようにして前記イヤホン４４０が前記イヤホン収容溝４２１に配置固定されるようにする。
【０２９０】
一方、図面には明確に示されていないが、前記リアハウジング４２０ｂの外周面には図１乃至図４で説明された各種ボタンとスピーカホール及びマイクが適切に配置されてもよい。
【０２９１】
図２９は本発明の第１１実施例によるウェアラブル装置の斜視図であり、図３０は本発明の第１１実施例によるウェアラブル装置の分解斜視図である。
【０２９２】
図２９及び図３０を参照すると、本発明の第１１実施例によるウェアラブル装置４００は第１０実施例によるウェアラブル装置の構造と実質的に同じであるが、前方カメラモジュールが別途のユニット形態に前記ウェアラブル装置４００に分離可能に装着されることに差がある。そして、前記ボディ部４２０のハウジングはリアハウジングとフロントハウジングに具分されずに単一の円筒状に形成されるハウジングで形成されることに差がある。そして、第１０実施例とは異なって本実施例によるウェアラブル装置４００のイヤホン４４０は前記ボディ部４２０の前面に引き出し可能に装着される。
【０２９３】
本実施例による前方カメラモジュール４８０は前記ボディ部４２０に固定又は分離可能に装着されず、別途の支持台４３０によって前記ボディ部４２０に分離可能に連結されることを特徴とする。
【０２９４】
詳しくは、前記前方カメラモジュール４８０はケース４８１と前記ケース４８１の前面に装着されるカメラ４８２及びレンズを含み、別途に図示していないが前記ケース４８１の一側にオートフォーカシングレンズが装着される。
【０２９５】
また、前記支持台４３０は支持バー（ｓｕｐｐｏｒｔ  ｂａｒ）４３１と前記支持バー４３１の両端部に形成される支持ホルダ４３２を含む。前記支持ホルダ４３２は前記ボディ部４２０の外周面に差し込まれるように「Ｃ」の字の形態にラウンドして形成される。そして、前記支持バー４３１が前記ケース４８１の側面を貫通して前記前方カメラモジュール４８０が前記支持バー４３１に連結される。そして、前記支持ホルダ４３２が前記ボディ部４２０に差し込まれることで前記前方カメラモジュール４８０が前記ウェアラブル装置４００に分離可能に装着される。
【０２９６】
また、前記前方カメラモジュール４８０は前記支持バー４３１に連結された状態で上下方向に回転可能である。詳しくは、前記前方カメラモジュール４８０はユーザによって手動に回転するだけでなく、図５に示したように駆動モータによって自動的に回転してもよい。
【０２９７】
そして、前記前方カメラモジュール４８０から延長される電力線、信号線又は軟性基板は前記支持バー４３１の内部空間に配置され、前記支持ホルダ４３２の内週面には端子部４３３が形成される。そして、前記ボディ部４２０の外周面、詳しくは前記支持ホルダ４３２と密着する部分に端子部４２４が形成される。よって、前記支持ボルダ４３２が前記ボディ部４２０に装着されると、前記端子部４３３，４３４が互いに接触して前記前方カメラモジュール４８０と前記ボディ部４２０の内部に装着された制御部が電気的に連結される。即ち、前記端子部４３３，４２４を介して前記制御部と前記前方カメラモジュール４８０間の電力送信、データ送受信及び信号送受信が行われる。
【０２９８】
図３１は、本発明の第１２実施例によるウェアラブル装置の斜視図である。
【０２９９】
図３１を参照すると、本発明の第１２実施例によるウェアラブル装置５００はバンド部５１０と、前記バンド部５１０の両端部にそれぞれ結合される一対のボディ部５２０と、前記ボディ部５２０の外側面に結合される前方カメラモジュール５８０と、前記バンド部５１０に結合される後方カメラモジュール５９０を含む。
【０３００】
詳しくは、本実施例によるウェアラブル装置５００は前記第１１実施例によるウェアラブル装置４００と同じくヘッドセット形態である。そして、前記バンド部５１０はユーザの首又は頭部分を囲むようにラウンドする形態で形成される。そして、前記バンド部５１０は第１レール５１０ａと、前記第１レール５１０ａから離隔された状態で単一対に構成される第２レール５１０ｂを含む。そして、前記レール５１０ａ，５１０ｂは所定の直径を有するワイヤがアーチ型にラウンドして形成される。
【０３０１】
前記ボディ部５２０は円板状に形成され、内側面にはスピーカホールが形成される。そして、前記ボディ部５２０の外側面にはアウトカバー５２１が回動可能に装着され、前記アウトカバー５２１に前記前方カメラモジュール５８０が結合される。他の方法として、前記前方カメラモジュール５８０が前記ボディ部５２０の外側面に回転可能に装着されてもよい。そして、前記前方カメラモジュール５８０は図示されたように円筒状に形成されてもよく、以前の実施例で提示された前方カメラモジュールが装着されてもよい。
【０３０２】
また、前記後方カメラモジュール５９０は前面又は後面にカメラホール５９１ａが形成されるケース５９１と、前記ケース５９１の内部に収容されるカメラ５９２と、前記ケース５９１の内部に装着される回路基板５９４と、前記ケース５９１の底面に結合されるスライダー５９３及び前記スライダー５９３の底面を覆うロアカバー５９５を含む。
【０３０３】
詳しくは、前記カメラ５９２は前記カメラホール５９１ａに差し込まれてユーザの前方又は後方を向かうように設置される。そして、前記スライダー５９３の底面にはスライド溝５９３ａとスライドホール５９３ｂが形成される。
【０３０４】
より詳しくは、前記スライド溝５９３ａは前記スライダー５９３の前端部の底面から上側に凹んで形成され、前記スライド溝５９３ａに前記第１レール５１０ａが挿入される。
【０３０５】
また、前記スライド溝５９３ｂは前記スライダー５９３の後端部に形成され、前記スライダー５９３の左側端部から右側端部を貫通して形成され、前記スライドホール５９３ａに前記第２レール５１０ｂが挿入される。前記スライド溝５９３ａに前記第２レール５１０ｂが挿入されることで前記スライダー５９３は前記バンド部５１０と一体に形成される。ここで、前記スライド溝５９３ａが前記スライダー５９３の後端に形成され、前記スライド溝５９３ｂが前記スライダー５９３の前端に形成されてもよい。
【０３０６】
図３２及び図３３は、本発明の第１２実施例による後方カメラモジュールの動作の様子を示す図である。
【０３０７】
図３２を参照数と、前記後方カメラモジュール５９０のスライダー５９３は前記バンド部５１０に沿ってスライディング移動し、前記バンド部５１０の左側端部から右側端部までスライディング移動可能である。
【０３０８】
また、前記ケース５９１は前記スライダー５９３の上面から垂直軸を中心に時計方向又は反時計方向に回動可能に設置される。例えば、前記ケース５９１の底面と前記スライダー５９３を連結する垂直軸が提供され、前記垂直軸を中心に前記ケース５９１が回動するように設計される。よって、前記バンド部５１０がユーザの頭を囲む形態に前記ウェアラブル装置５００をユーザの頭に着用した状態で、前記ケース５９１を回転して前記カメラ５９２がユーザの前方又は後方に向かうようにする。
【０３０９】
図３３を参照数と、前記後方カメラモジュール５９０は前記第２レール５１０ｂを回転中心にして上下方向に回動可能である。
【０３１０】
詳しくは、前記第１レール５２０ａが前記スライド溝５９３ａから分離されるように前記後方カメラモジュール５９０を回転すると、前記スライダー５９３は前記第２レール５１０ｂにのみ連結された状態になる。そして、前記第２レール５１０ｂは前記スライド溝５９３ｂを貫通して差し込まれた状態であるため、前記後方カメラモジュール５９０が前記バンド部から分離されない。この状態で前記後方カメラモジュール５９０を前方又は後方に回転して前記カメラ５９２の指向角を調節する。
【０３１１】
＜移動端末機の制御及びユーザいたフェースの具現方法＞
【０３１２】
本発明のウェアラブル装置によると、電源がオンされるとウェアラブル装置２００のメモリ２０７に記憶されている音楽ファイルがウェアラブル装置２００の再生ボタン２２３によって再生されるか、移動端末機１００のメモリ１７０に記憶されている音楽ファイルを無線でウェアラブル装置２００に伝達されてウェアラブル装置２００のスピーカを介して出力する。
【０３１３】
本発明のウェアラブル装置によると、ウェアラブル装置２００のカメラモジュール２８０，２９０はユーザの操作なしに自動的に時間周期に応じて前方カメラモジュール２８０及び後方カメラモジュール２９０のうち少なくとも一つがカメラがオンされて一枚又は複数枚の写真が瞬間的に撮影されてからカメラがオフされる。
【０３１４】
本発明のウェアラブル装置によると、ウェアラブル装置２００の位置情報モジュール２１０ｄ、即ちＧＰＳモジュールを介して位置変更が把握される際、前方カメラモジュール２８０及び後方カメラモジュール２９０のうち少なくとも一つのカメラがオンされて一枚又は複数枚の写真が瞬間的に撮影されてからカメラがオフされる。
【０３１５】
本発明のウェアラブル装置によると、周辺状況をウェアラブル装置２００のセンサ、例えば近接センサ２０４ａ及び／又は赤外線センサを介して認知して前方カメラモジュール２８０及び後方カメラモジュール２９０のうち少なくとも一つのカメラがオンされて一枚又は複数枚の写真が瞬間的に撮影されてからカメラがオフされる。周辺状況としては、周辺の音の大きさの変化を感知するか接近する物体を感知する。
【０３１６】
本発明のウェアラブル装置によると、他の例として、ウェアラブル装置２００のタッチセンサや地磁気センサなどを介してウェアラブル装置２００を軽く叩くタッチ入力が感知される際にカメラを介して撮影を行わせる命令が瞬間的に下される。このような命令に応じて前方カメラモジュール２８０及び後方カメラモジュール２９０のうち少なくとも一つのカメラがオンされて一枚又は複数枚の写真が瞬間的に撮影されてからカメラがオフされる。
【０３１７】
本発明のウェアラブル装置によると、ウェアラブル装置２００に具備された撮影ボタン２３３を利用して周辺状況が撮影される。
【０３１８】
本発明のウェアラブル装置によると、音楽を再生しながら前方カメラモジュール２８０及び／又は後方カメラモジュール２９０はユーザの操作なしに自動的にイメージをキャプチャーする。前記キャプチャーされたイメージは画面に大きく表示されず、画面のエッジ（ｅｄｇｅ）領域にキャプチャーされたイメージがあることをアラームなどを利用してユーザに通知する。
【０３１９】
本発明の移動端末機によると、ウェアラブル装置２００と連動される際、ユーザの移動時に移動端末機１００の後面カメラに対するプレビュー画面とウェアラブル装置２００の前面カメラに対するプレビュー画面が移動端末機１００上に表示されるようにする。
【０３２０】
本発明の移動端末機によると、移動端末機１００がユーザの手に取られたことが認識されればウェアラブル装置２０の前面カメラ及び／又は後面カメラに対するプレビュー画面が自動的に移動端末機１００に表示されるようにする。
【０３２１】
本発明の移動端末機によると、ユーザが音楽大きくして外部の音や騒音を聞けない際、外部の音がウェアラブル装置２００のマイクに入力された場合には移動端末機１００の画面上に警告灯と共に点滅しながら（例えば、赤色の点滅スクリーン）ユーザに危険を通知する。この際、外部の音や騒音による敏感度はユーザによって調節可能で、ユーザの環境或いは好みに合うように調節することができる。
【０３２２】
図３４は、本発明に関する移動端末機とウェアラブル装置の使用様態を示す図である。
【０３２３】
図３４に示したように、移動端末機１００はユーザの手に取られ、ウェアラブル装置２００はユーザの首にかけられるか固定されるように装着される。
【０３２４】
ウェアラブル装置２００は単独に又は移動端末機１００の制御を受けて多様な機能を行う。
【０３２５】
例えば、ウェアラブル装置２００は移動端末機１００の制御を受けて音楽ファイルを自体メモリ２０７に記憶するか、移動端末機１００やネットワークを介して特定サーバから提供された音楽ファイルを再生する。
【０３２６】
例えば、ウェアラブル装置２００は移動端末機１００の制御を受けて移動端末機１００で受信したラジオ方法を提供されてユーザが聴取するようにする。又は、ウェアラブル装置２００にラジオ受信モジュールが装着される場合、移動端末機１００の制御を受けずにウェアラブル装置２００は自らラジオ放送を受信してユーザが聴取するようにする。
【０３２７】
例えば、ウェアラブル装置２００は移動端末機１００の制御を受けてウェアラブル装置２００に装着されたカメラモジュール２８０，２９０を駆動する。
【０３２８】
上述したように、ウェアラブル装置２００に装着されたカメラモジュール２８０，２９０は前方の客体に対する映像、例えば写真イメージや動画を入力される前方カメラモジュール２８０と後方の客体に対する映像を入力される後方カメラモジュール２９０を含む。
【０３２９】
このような場合、ウェアラブル装置２００は移動端末機１００の制御を受けて前方カメラモジュール２８０のみ、後方カメラモジュール２９０のみ又は前方カメラモジュール２８０と後方カメラモジュール２８０を同時に駆動する。
【０３３０】
本発明で説明されるカメラモジュール２８０，２９０はカメラを含む付属物、例えばハウジング、回路基板及び／又は電子部品など一体を含む。
【０３３１】
一方、ウェアラブル装置２００は移動端末機１００の制御を受けずにウェアラブル装置２００に装着された各種ボタン２２３，２２３ａ，２２４，２２４ａ，２３２，２３３，２３３ａ，２３４を利用して音楽を再生するかラジオ放送を受信するかカメラモジュール２８０，２９０を駆動する。
【０３３２】
本発明によると、ユーザは音楽やラジオ放送を聞きながらもウェアラブル装置２００から提供された前方映像及び／又は後方映像がディスプレーされる移動端末機１００の画面を介して周辺の動きや危険をリアルタイムで確認し対処することができるため、ユーザの安全を確保することができる。
【０３３３】
本発明によると、ウェアラブル装置から提供された前方映像及び／又は後方映像がリアルタイムで録画されてユーザがいつでも前記録画された映像から特定時間帯に当たる映像を見ることができるため、車両の接触事故や犯罪現場に対する重要な証拠資料を提供することができる。
【０３３４】
本発明によると、ウェアラブル装置から提供された前方映像及び／又は後方映像とユーザの現在位置情報を利用してユーザの望みの商店名やユーザが行こうとする場所を用意に探すことができる。
【０３３５】
本発明によると、ウェアラブル装置から提供された前方映像及び／又は後方映像に基づいてユーザに移動した経路を案内し訪問地で撮影された写真イメージを提供することができるため、ユーザに旅行の思い出を提供することができる。
【０３３６】
図３５は、本発明の題１３実施例によるウェアラブル装置を制御するための制御画面を移動端末機にディスプレーする方法を説明する順序図である。
【０３３７】
図３５を参照すると、移動端末機１００はウェアラブル装置２００とペアリングを行う。
【０３３８】
ウェアラブル装置２００は移動端末機１００の構成要素でありうるが、それについては限定しない。
【０３３９】
一例として、移動端末機１００はウェアラブル装置２００が一定距離以内に接近する際、移動端末機１００とウェアラブル装置２００との間に自動的にペアリングが行われるように制御する。
【０３４０】
他の実施例として、移動端末機１００はペアリング機能を活性化してから移動端末機１００とウェアラブル装置２００との間にペアリングが行われる。このような動作は移動端末機１００のペアリング機能が活性化されて移動端末機１００のバッテリ消耗が増加することを防ぐためである。
【０３４１】
また他の実施例として、ウェアラブル装置２００の電源がつけられた後、移動端末機１００とウェアラブル装置２００との間にペアリングが行われる。このような動作は常にウェアラブル装置２００のペアリング機能が活性化されてウェアラブル装置２００のバッテリ消耗が増加することを防ぐためである。
【０３４２】
一方、ペアリング動作には認証過程が含まれる。移動端末機１００に識別情報が事前に登録されたウェアラブル装置２００に対してのみペアリングが行われる。移動端末機１００に事前登録過程がない場合、移動端末機１００は周辺の他の移動端末機１００やウェアラブル機器とペアリングを試みるため移動端末機１００のバッテリ消耗が増加する。
このようなペアリング動作を行うために、移動端末機１００とウェアラブル装置２００それぞれは通信モジュール１１４，２０１ｃを具備する。
【０３４３】
ウェアラブル装置１００とペアリングが完了されると移動端末機１００はディスプレー部１５１を制御し、例えばウェアラブル装置専用アイコン（図３６の１００９）をディスプレーする（Ｓ３１２）。
【０３４４】
例えば、ペアリングの完了は認証が成功し移動端末機１００とウェアラブル装置２００が連結された状態を意味する。このようにペアリングが完了されると、移動端末機１００とウェアラブル装置２００との間に互いに情報や命令が送受信される。ウェアラブル装置専用アイコン（図３６の１００９）は移動端末機１００のディスプレー部１５１の任意の領域上にランダムにディスプレーされるか予め設定された領域上にディスプレーされる。
【０３４５】
ウェアラブル装置専用アイコンは製造会社によって強制に設置されてもよいが、それについては限定しない。
【０３４６】
もし、ウェアラブル装置２００と移動端末機１００との間にペアリングが解除されるとウェアラブル装置専用アイコン（図３６の１００９）は移動端末機１００のディスプレー部１５１上から消えるが、それについては限定しない。
【０３４７】
ウェアラブル装置専用アイコン（図３６の１００９）は移動端末機１００の利用してウェアラブル装置２００を制御する応用アプリケーションである。特に、ウェアラブル装置専用アイコン（図３６の１００９）は移動端末機１００を利用してウェアラブル装置２００の音楽再生やカメラモジュール２８０，２９０を駆動可能に制御する応用アプリケーションである。
【０３４８】
移動端末機１００はウェアラブル装置専用アイコン（図３６の１００９）を実行する（Ｓ３１３）。例えば、ユーザからウェアラブル装置専用アイコン（図３６の１００９）に対するタッチが入力されると移動端末機１００はウェアラブル装置専用アイコン（図３６の１００９）を実行する。
【０３４９】
このように、ウェアラブル装置専用アイコン（図３６の１００９）が実行されると、移動端末機１００はディスプレー部１５１を制御してウェアラブル装置用制御画面（図３６の１０１５）をディスプレーする（Ｓ３１４）。
【０３５０】
ウェアラブル装置用制御画面（図３６の１０１５）は音楽制御画面１０１１とカメラ制御画面１０１３を含む。音楽制御画面１０１１はラジオ制御画面に転換される。即ち、音楽制御画面１０１１とラジオ制御画面は互いに転換される。
【０３５１】
音楽制御画面１０１１の代わりに音響制御画面と称されてもよい。音響制御画面は音楽再生だけでなく音楽以外の他の音響の再生も可能である。
【０３５２】
移動端末機１００は音楽再生命令が入力されるのかを確認し（Ｓ３１５）、その結果に応じて音楽を再生するように制御するＳ３１６。例えば、音楽制御画面１０１１に表示された静止及び再生ボタン１０１７に対する選択命令が入力されると、移動端末機１００はこのような選択命令を音楽再生命令と認知し音楽を再生する。
【０３５３】
移動端末機１００はウェアラブル装置用制御画面１０１５を利用してウェアラブル装置２００の前方カメラモジュール２８０及び／又は後方カメラモジュール２９０から映像を撮影するように制御する。
【０３５４】
即ち、移動端末機１００は前方カメラモジュール２８０及び／又は後方カメラモジュール２９０を駆動するためにウェアラブル装置用制御画面１０１５に表示されたボタン（図３６の１０２１，１０２３，１０２５）のうちいずれか一つが選択されるのかを確認する（Ｓ３１７）。ボタンは前方カメラボタン１０２１、後方カメラボタン１０２３及び、前方カメラ１０２１及び後方カメラ１０２３両方を駆動するためのボタン１０２５である。
【０３５５】
もし、ウェアラブル制御装置用制御画面１０１５に表示されたボタン１０２１，１０２３，１０２５のうちいずれか一つに対する選択命令が入力されると、移動端末機１００はウェアラブル装置２００を制御して前記選択命令に当たるカメラを駆動し、そのカメラから入力される映像に対するプレビュー画面をディスプレーする（Ｓ３１８）。
【０３５６】
例えば、両方ボタン１０２５に対する選択命令が入力されると前方カメラモジュール２８０及び後方カメラモジュール２９０両方が駆動され、前方カメラモジュール２８０に入力される前方映像に対する前方プレビュー画面（図３７の１０２４）と後方カメラモジュール２９０に入力される後方映像に対する後方プレビュー画面（図３７の１０２６）がディスプレーされる。
【０３５７】
ユーザから撮影命令が入力されると、移動端末機１００をウェアラブル装置２００を制御して該当カメラに入力される映像を撮影する（Ｓ３１９）。
【０３５８】
一方、ペアリングが完了されると画面上に制御バーが表示される。制御バーはバッテリ状態表示領域であるか或いは上部や下部ベゼルからタッチドラッグ動作を介して他のレイヤー（ｌａｙｅｒ）を形成する制御ウィンドウが表示され、その表示ウィンドウにウェアラブル装置２００を制御する制御ウィンドウが表示される。例えば、制御ウィンドウにはウェアラブル装置２００のオーディオとカメラをそれぞれ制御するウィンドウが表示される。
【０３５９】
図３６は、本発明の第１３実施例によるウェアラブル装置を制御するための制御画面を移動端末機にディスプレーする方法を説明する画面例示図である。
【０３６０】
図３６Ａに示したように、移動端末機１００のディスプレー部１５１のホーム画面１００１上にウィジェットアイコン１００３と多数のアイコン１００５がディスプレーされる。ホーム画面１００１の下端領域上に以前ボタン、ホームボタン及びメニュボタンを含むソフトキー１００７がディスプレーされ、ホーム画面１００１の上端領域上に現在使用中の機能を示す状態表示バー１０１５がディスプレーされている。
【０３６１】
以前ボタンは現在画面から以前画面に移動する部材であり、ホームボタンは現在画面をホーム画面１００１にすぐに移動する部材であり、メニュボタンは設定、記憶、移動、削除のような多様なメニュを実行する部材である。
【０３６２】
状態表示バー１０１６は、例えば下部方向にドラッグタッチが入力されると、例えばクイック設定機能アイコン、現在実行中の機能の状態や通知などのような多様な機能や状態情報がディスプレーされる。クイック設定機能アイコンとしては、例えばＱメモ、Ｑスライド、振動／音モード、ワイファイ、回転、位置情報、ブルートゥース、機内モード、同期化、ＮＦＣ、Ｑボイス、Ｑリモート、編集などがディスプレーされる。
【０３６３】
ウィジェットアイコン１００３は、例えば時間情報及び天気情報を含む。ウィジェットアイコン１００３はネットワーク上に多様に存在し、これらの多様なウィジェットアイコン１００３がダウンロードされて移動端末機１００上にディスプレーされる。よって、ユーザは移動端末機１００のディスプレー部１５１の上にディスプレーされるウィジェットアイコン１００３を他のウィジェットアイコンに変更することができる。
【０３６４】
アイコン１００５は特定機能を実行する応用アプリケーションであって、例えば電話アイコン、メールアイコン、ゲームアイコン、マップアイコン、カメラアイコン、設定アイコン、ショッピングアイコン、新聞アイコンのような多様なアイコンが存在する。
【０３６５】
ここで、カメラアイコンは移動端末機１００に装着されたカメラ１２１、例えば移動端末機１００の前面上に装着された前面カメラと移動端末機１００の後面上に装着された後面カメラを実行する。
【０３６６】
本発明によると、移動端末機１００に装着されたカメラ１２１が駆動されるだけでなく、ウェアラブル装置２００に装着された前方カメラモジュール２８０及び／又は後方カメラモジュール２９０も駆動される。ウェアラブル装置２００の前方カメラモジュール２８０及び／又は後方カメラモジュール２９０はウェアラブル装置２００自体的に又は移動端末機２００の制御に応じて駆動される。
【０３６７】
図３６Ｂに示したように、移動端末機１００がウェアラブル装置２００とのペアリングが完了されると移動端末機１００のホーム画面１００１の任意の領域や予め設定された領域上にウェアラブル装置専用アイコン１００９がディスプレーされる。
【０３６８】
ウェアラブル装置専用アイコン１００９は他のアイコン１００５と異なるように処理される。例えば、ウェアラブル装置専用アイコン１００９は他のアイコン１００５より大きく拡大されてティスプレーされる。例えば、ウェアラブル装置専用アイコン１００９の縁はハイライト（ｈｉｇｈｌｉｇｈｔ）されて他のアイコン１００５と区分される。例えば、ウェアラブル装置専用アイコン１００９は一定周期に点滅するようにディスプレーされる。
【０３６９】
ウェアラブル装置専用アイコン１００９に対してタッチが入力されると、ウェアラブル装置専用アイコン１００９が実行されて図３６Ｃに示しように移動端末機１００のディスプレー部１５１上にウェアラブル装置用制御画面１０１５がディスプレーされる。
【０３７０】
ウェアラブル装置用制御画面１０１５はホーム画面１００１とは別途の画面又はウィンドウであってもよいが、それについては限定しない。
【０３７１】
ウェアラブル装置用制御画面１０１５はホーム画面１００１の一部領域にディスプレーされるが、それについては限定しない。
【０３７２】
ウェアラブル装置用制御画面１０１５は移動端末機１００のホーム画面１００１にディスプレーされるウィジェットアイコン１００３を代替してディスプレーされてもよいが、それについては限定しない。このようにウェアラブル装置用制御画面１０１５がウィジェットアイコン１００３のディスプレーされる領域にディスプレーされる場合、ウェアラブル装置用制御画面１０１５によってアイコン１００５が妨害されなくなるため、ユーザはウェアラブル装置２００を制御して音楽再生やラジオ聴取だけでなくウェアラブル装置用制御画面１０１５を介して前方又は後方の状況を感知しながら画面上にディスプレーされる多数のアイコンの実行を介して該当アイコンに付与された機能を利用することができるためユーザの便宜性を極大化することができる。
【０３７３】
ウェアラブル装置用制御画面１０１５は、例えば音楽制御画面１０１１とカメラ制御画面１０１３を含む。
【０３７４】
一例として、音楽制御画面１０１１とカメラ制御画面１０１３はホーム画面１００１と別途のウィンドウにディスプレーされる。
【０３７５】
他の例として、ホーム画面１００１が第１制御領域と第２制御領域とに分割され、音楽制御画面１０１１が第１制御領域上にディスプレーされてカメラ制御画面１０１３が第２制御領域上にディスプレーされてもよい。第１及び第２制御領域は左右方向又は上下方向に沿って分割されるかホーム画面１００１の対角線ラインを中心に分割されてもよい。
【０３７６】
一例として、ホーム画面１００１の全体領域は第１及び第２制御領域で構成される。例えば、第１制御領域１００１はホーム画面１００１の上側に配置されて第２制御領域はホーム画面１００１の下側に配置されてもよい。
【０３７７】
他の例として、第１及び第２制御領域はホーム画面１００１の一部領域に配置される。ホーム画面１００１の一部領域が第１及び第２制御領域に分割される。
【０３７８】
音楽制御画面１０１１は前曲ボタン１０１６、次曲ボタン１０１８、停止及び再生ボタン１０１７、リスト確認ボタン１０１９及び転換ボタン１０２０を含む。停止及び再生ボタン１０１７は現在再生中の音楽を停止するか再生する部材である。前曲ボタン１０１６は停止及び再生ボタン１０１７に左側にディスプレーされて現在再生中の曲を以前の曲に移動する部材である。次曲ボタン１０１８は現在再生中の曲を次の曲に移動する部材である。リスト確認ボタン１０１９は移動端末機１００、ウェアラブル装置２００又は移動端末機１００とネットワークで連結されたネットワークサーバに存在する音楽ファイルリストを検索及び選択する部材である。
【０３７９】
図面には前曲ボタン１０１６、停止及び再生ボタン１０１７、次曲ブタン１０１８、リスト確認ボタン１０１９及び転換ボタン１０２０は一般的なマークイメージでディスプレーされているが、一般的なマークイメージとは異なるイメージが使用されてもよい。
【０３８０】
転換ボタン１０２０は音楽制御画面１０１１をラジオ制御画面に変更する。例えば、転換ボタン１０２０に対するタッチが入力されると音楽制御画面１０１１がラジオ制御画面に変更される。ラジオ制御画面に変更された状態で転換ボタン１０２０に対するタッチが更に入力されると、ラジオ制御画面が音楽制御画面１０１１に変更される。
【０３８１】
ラジオ制御画面に変更された場合、全曲ボタン１０１６と次曲ボタン１０１８は現在聴取中のラジオチャネルの周波数より低いか高い周波数を有するラジオチャネルを探す機能を有する。さらに、停止及び再生ボタン１０１７は現在聴取中のラジオチャネルの聴取が中止されるか更に聴取されるようにする。リスト確認ボタン１０１９は国内外の多様なラジオ放送局リストを検索及び選局する部材である。
【０３８２】
一方、カメラ制御画面１０１３は前方カメラボタン１０２１、後方カメラボタン１０２３及び両方ボタン１０２５を含む。前方カメラボタン１０２１は前方カメラモジュール２８０のみを駆動する部材であり、後方カメラボタン１０２３は後方カメラモジュール２９０のみを駆動する部材である。両方ボタン１０２５は前方カメラモジュール２８０と後方カメラモジュール２９０を同時に駆動する部材である。もし前方カメラモジュール２８０と後方カメラモジュール以外に左側カメラモジュール（図７の１５０３）及び右側カメラモジュール（図７１の１５０１）がウェアラブル装置２００に追加に装着される場合、カメラ画面１０１３の上に左側カメラボタンと右側カメラボタンが更にディスプレーされる。
【０３８３】
例えば、前方カメラボタン１０２１に対するタッチが入力されると、前方カメラモジュール２８０が駆動されて前方の客体に対する映像がプレビュー状態に移動端末機１００のディスプレー部１５１上にディスプレーされる。
【０３８４】
例えば、後方カメラボタン１０２３に対するタッチが入力されると、後方カメラモジュール２９０が駆動されて後方の客体に対する映像がプレビュー状態に移動端末機１００のディスプレー部１５１上にディスプレーされる。
【０３８５】
例えば、両方ボタン１０２５に対するタッチが入力されると、前方カメラモジュール２８０と後方カメラモジュール２９０それぞれの客体に対する映像がプレビュー状態に移動端末機１００のディスプレー部１５１上にディスプレーされる。
【０３８６】
一例として、前方の客体に対する映像と後方の客体に対するプレビュー映像はホーム画面１００１と別途のウィンドウにディスプレーされてもよいが、それについては限定しない。
【０３８７】
他の例として、前方の客体に対する映像と後方の客体に対するプレビュー映像はカメラ制御画面１０１３の上にディスプレーされる。
【０３８８】
一方、図２６Ｃとは異なって、カメラ制御画面１０１３上に前記カメラボタン（図示せず）のみがディスプレーされ、このカメラボタンがタッチされた回数に応じて前方カメラモジュール２８０、後方カメラモジュール２９０又は前方カメラモジュール２８０及び後方カメラモジュール２９０両方が駆動される。例えば、カメラボタンに対してタッチが１回入力されると、前方カメラモジュール２８０のみ駆動されて前方の客体に対する映像がプレビュー状態にディスプレーされる。例えば、カメラボタンに対してタッチが２回入力されると、後方カメラモジュール２９０のみ駆動されて後方の客体に対する映像がプレビュー状態にディスプレーされる。例えば、カメラボタンに対してタッチが３回入力されると、前方カメラモジュール２８０及び後方カメラモジュール２９０両方が同時に駆動されて前方の客体に対する映像だけでなく後方の客体に対する映像もプレビュー状態にディスプレーされる。
【０３８９】
前記実施例以外にも、前方カメラモジュール２８０と後方カメラモジュール２９０を単独に又は同時に駆動するための多様なユーザインタフェースが可能であり、このようなユーザインタフェースも本発明の技術的思想の範疇内に含まれることは自明である。
【０３９０】
一例として、ウェアラブル装置２００が移動端末機１００とのペアリングが解除されるかソフトキー１００７の以前ボタンやホームボタンに対するタッチが入力される際、このようなウェアラブル装置用制御画面１０１５が消える。
【０３９１】
他の例として、ウェアラブル装置用制御画面１０１５上に終了ボタン（図示せず）が追加されて終了ボタンに対するタッチが入力される際、ウェアラブル装置用制御画面１０１５が消える。
【０３９２】
前曲ボタン１０１６、停止及び再生ボタン１０１６、次曲ボタン１０１８、リスト確認ボタン１０１９、転換ボタン１０２０、前方カメラボタン１０２１、後方カメラボタン１０２３及び両方ボタン１０２５は不透明な部材、透明な部材又は半透明な部材である。
【０３９３】
本発明で説明されるウェアラブル装置用制御画面１０１５上にディスプレーされるボタン１０１６，１０１７，１０１８，１０１９，１０２０，１０２１，１０２３，１０２５はＱスライド機能の活性化によって不透明な部材から透明な部材に、又は透明な部材から不透明な部材に変更される。
【０３９４】
他の例として、前方カメラボタン１０２１、後方カメラボタン１０２３及び両方ボタン１０２５を一つのキーでイメージの同時撮影又は動画の同時撮影が可能で、カメラが１２０°ごとに装着されているウェアラブル装置２００の場合には３６０°パノラマ撮影が同時に可能である。
【０３９５】
また他の例として、撮影されたイメージや動画にはＧＰＳ情報が一緒に記憶されてもよい。
【０３９６】
更に他の例として、第１制御領域にオーディオ関連制御ウィンドウが形成され、第２制御領域にはカメラに関する制御ウィンドウが形成されてもよい。また、第１制御領域は移動端末機１００のディスプレー部１５１上で状態バー１０５１が表示された上側に近い領域に配置され、第２制御領域はディスプレー部１５１の下側と近く配置される。これとは異なって、第１制御領域が下側と近い領域に配置され、第２制御領域が上側と近い領域に配置されてもよい。
【０３９７】
図３７は、図３６ｃに示されたカメラ制御画面１０１３上にディスプレーされる両方ボタン１０２５が選択される際にディスプレーされるプレビュー画面を示す第１画面例示図である。
【０３９８】
図３７に示したように、カメラ制御画面１０１３の上にディスプレーされる両方ボタン１０２５に対するタッチが入力される際、前方カメラモジュール２８０と後方カメラモジュール２９０が駆動されて移動端末機１００のディスプレー上に前方プレビュー画面１０２４と後方プレビュー画面１０２６がディスプレーされる。
【０３９９】
さらに、例えば後方プレビュー画面１０２６と連結された別途の画面１０４０に同時撮影ボタン１０４４と画面選択ボタン１０４６が表示される。同時撮影ボタン１０４４のタッチ動作によって前方映像と後方映像が同時に撮影される。画面選択ボタン１０４６のタッチ動作によって前方プレビュー画面１０２４又は後方プレビュー画面１０２６のみディスプレーされるように制御される。
【０４００】
前方プレビュー画面１０２４上には前方カメラモジュール２８０が活性化されて前方の客体に対する前方プレビュー映像がディスプレーされる。さらに、後方プレビュー画面１０２６上には後方カメラモジュール２９０が活性化されて後方の客体に対する後方プレビュー映像がディスプレーされる。
【０４０１】
ここで、活性化とは前方カメラモジュール２８０及び／又は後方カメラモジュール２９０が駆動されて前方又は後方の客体に対する映像が前方カメラモジュール２８０及び／又は後方カメラモジュール２９０を介して入力されるだけでなく、ユーザの撮影命令によって駆動される前方カメラモジュール２８０及び／又は後方カメラモジュール２９０によって前方又は後方の客体に対する映像が撮影される状態を意味する。
【０４０２】
後方プレビュー画面１０２６は前方プレビュー画面１０２４の下側に配置されるが、逆に後方プレビュー画面１０２６が前方プレビュー画面１０２５の上側に配置されてもよい。
【０４０３】
前方プレビュー画面１０２４と後方プレビュー画面１０２６はウェアラブル装置用制御画面１０１５又はホーム画面１００１と別途のウィンドウであってもよいが、それについては限定しない。
【０４０４】
他の例として、ホーム画面１００１が第１制御領域と第２制御領域とで分割され、前方プレビュー画面が第１制御領域上にディスプレーされ後方プレビュー画面１０２６が第２制御領域上にディスプレーされてもよい。第１及び第２制御領域は左右方向または上下方向に沿って分割されるかホーム画面１００１の対角線ラインを中心に分割されてもよい。
【０４０５】
前方プレビュー画面１０２４と後方プレビュー画面１０２６それぞれは設定ボタン１０２５，１０３５、角度調節ボタン１０２７，１０３７、撮影ボタン１０３１，１０４１及び映像転換ボタン１０３３、１０４３を含む。
【０４０６】
撮影ボタン１０３１一つを利用して映像転換ボタン１０３３，１０４３によって転換されたイメージ撮影モードと動画撮影モードにそれぞれ対応するイメージ撮影及び／又は動画撮影を制御することができる。同じく、動画撮影ボタン１０４１の一つを利用してイメージ撮影及び／又は動画撮影を制御することができる。
【０４０７】
設定ボタン１０２７、１０３５は音声撮影、明るさ、焦点、解像度、ＩＳＯ、ホワイトバランス、フィルタ、タイマー、位置情報表示、ボリュームキー、撮影音、ヘルプ、初期化などのような多様な機能を設定するための部材である。
【０４０８】
角度調節ボタン１０２７，１０３７は前方カメラモジュール２８０の前方カメラ又は後方カメラモジュール２９０の後方カメラ視野角を調節する。
【０４０９】
撮影されたイメージは撮影方向とＧＰＳ情報と時間及び天気などが表示される。即ち、撮影された位置で前方方向であるのか、後方方向であるのかなどの情報を一緒に表示する。又は撮影された位置で東西南北のうちどの一方向で撮影されたのかを表示する。
【０４１０】
撮影された情報には移動中に瞬間的に撮影されたのか止まった状態で撮影されたのかに対する情報を一緒に表示する。
【０４１１】
撮影時に再生されていた音楽と共に記憶され、撮影されたイメージをディスプレー部１５１上に表示する際、前記音楽情報を介して関連音楽がされ制されてもよい。或いは関連音楽があることを表示するアイコンを表示し、アイコンをタッチ動作で選択する際に関連音楽ファイルを再生してもよい。
【０４１２】
例えば、図３８に示したように後方カメラモジュール２９０の後方カメラに現在の視野角が水平方向を向かってもよい。
【０４１３】
このような場合、後方プレビュー画面１０２６上にディスプレーされる角度調節ボタン１０２７，１０３７の第１領域１０３９ａが押されると、図３９に示したように後方カメラモジュール２９０の後方カメラの視野角が設定された角度αだけ上に移動するように調節される。視野角の調節は後方カメラモジュール２９０が時計方向又は反時計方向に回動されることで行われる。
【０４１４】
図示していないが、角度調節ボタン１０２７，１０３７の第２領域１０３９ｂが押されると後方カメラモジュール２９０の後方カメラの視野角が下に移動するように調節されてもよい。
【０４１５】
他の例として、角度調節ボタン１０２７，１０３７の第１領域１０３９ａ又は第２領域１０３９ｂがタッチ及びホールド入力される間、後方カメラモジュール２９０の後方カメラの視野角の上に又は下に継続して移動され、角度調節ボタン１０２７，１０３７の第１領域１０３９ａ又は第２領域１０３０ｂに対するホールドが解除さえる際、後方カメラモジュール２９０の後方カメラに対する視野角の移動が止まる。よって、ユーザは角度調節ボタン１０２７，１０３７の第１領域１０３９ａ又は第２領域１０３９ｂに対する押し持続時間を調節して後方カメラモジュール２９０の後方カメラを望みの視野角になるように移動する。
【０４１６】
図示していないが、前方カメラモジュール２８０の前方カメラの視野角も後方カメラモジュール２９０の後方カメラと同じ方式によって調節される。即ち、前方プレビュー画面１２０４の上にディスプレーされる角度調節ボタン１０２７の第１領域１０２９ａ又は第２領域１２０９ｂに対するタッチや押し動作によって前方カメラモジュール２８０の前方カメラの視野角が調節される。
【０４１７】
図示していないが、ウェアラブル装置２００に自動水平維持センサ（ａｕｔｏｍａｔｉｃ  ｌｅｖｅｌｌｉｎｇ  ｓｅｎｓｏｒ）が装着され、ユーザが歩くことでウェアラブル装置２００が揺れてもウェアラブル装置２００の前方カメラモジュール２８０が前方プレビュー画面１０２４にディスプレーされる前方映像を常に一定に示し、後方カメラモジュール２９０が後方プレビュー画面１０２６にディスプレーされる後方映像を常に一定に示すように調節される。
【０４１８】
前方カメラモジュール２８０又は後方カメラモジュール２９０の撮影角度調節はボタンで調節されてもよく、手動で角度調節を介して調節してもよい。その他、撮影動作の際に動く物体を真ん中に置いて撮影するように前方カメラモジュール２８０又は後方カメラモジュール２９０を自動的に調節する。
【０４１９】
撮影ボタン１０３１，１０４１は前方の客体又は後方の客体に対するイメージや動画を撮影する。
【０４２０】
例えば、撮影ボタン１０３１，１０４１に対するタッチが入力されると前方の客体や後方の客体に対するイメージが撮影される。
【０４２１】
例えば動画撮影である場合、撮影ボタン１０３１，１０４１に対するタッチが入力されると前方の客体や後方の客体に対する動画が撮影され、更に撮影ボタン１０３１，１０４１に対するタッチが入力されると前方の客体や後方の客体に対する動画の撮影が終了される。
【０４２２】
映像転換ボタン１０３３，１０４３はイメージ撮影モードから動画撮影モードに、又は動画撮影モードからイメージ撮影モードに転換する。
【０４２３】
基本的にイメージが撮影されるように設定されて映像転換ボタン１０３３，１０４３に対するタッチによって動画転換モードに変更されて動画が撮影されるが、それについては限定しない。
【０４２４】
図面には前方プレビュー画面１０２４と後方プレビュー画面１０２６が互いに接触する。しかし、前方プレビュー画面１０２４と後方プレビュー画面１０２６は互いに空間的に離隔されるようにディスプレーされてもよい。例えば、前方プレビュー画面１０２４はホーム画面１００１の第１制御領域、即ち上側にディスプレーされ、後方プレビュー画面１０２６はホーム画面１００１の第２制御領域、即ち下側にディスプレーされ、ホーム画面１００１の一部が前方プレビュー画面１０２４と後方プレビュー画面１０２６との間の第３制御領域にディスプレーされてもよい。
【０４２５】
図４０は、図３６ｃに示したカメラ制御画面の上にディスプレーされる両方ボタン１０２５が選択される際にディスプレーされるプレビュー画面を示す第２画面例示図である。
【０４２６】
図４０に示したように、両方ボタン１０２５に対するタッチが入力されると前方プレビュー画面１０２４と後方プレビュー画面１０２６を含むプレビュー画面がホーム画面１００１上にディスプレーされる。
【０４２７】
この際、前方プレビュー画面１２０４と後方プレビュー画面１０２６は図３６とは異なってカメラ制御画面１０１３に対応する領域やそれより大きい領域上にディスプレーされる。
【０４２８】
図３７に示したプレビュー画面１０２４，１０２６と図４０に示したプレビュー画面１０２４，１０２６は互いに異なる。
【０４２９】
即ち、図３７に示した前方プレビュー画面１０２４と後方プレビュー画面１０２６はウェアラブル装置用制御画面１０１５と別途の新しいウィンドウにディスプレーされる。それに対し、図４０に示したように前方プレビュー画面１０２４と後方プレビュー画面１０２６はウェアラブル装置用制御画面１０１５に含まれた音楽制御画面１０１１に接触するカメラ制御画面１０１３を代替するかそれより大きい領域にディスプレーされる。言い換えると、前方プレビュー画面１０２４と後方プレビュー画面１０２６がウェアラブル装置用制御画面１０１５と別途ではないウェアラブル装置用制御画面１０１５に含まれた領域、即ち、カメラ制御画面１０１３の上にディスプレーされる。このように、前方プレビュー画面１０２４や後方プレビュー画面１０２６をウェアラブル装置用制御画面１０１５と別途のウィンドウに生成せずにウェアラブル装置用制御画面１０１５に含まれた領域に生成することで、前方プレビュー画面１０２４や後方プレビュー画面１０２６を別途の新しいウィンドウに生成する際に発生する駆動が複雑でバッテリ消耗が増大する問題を解消することができる。
【０４３０】
音楽制御画面１０１１はホーム画面１００１の第１制御領域上に配置され、前方プレビュー画面１０２４と後方プレビュー画面１０２６はホーム画面１００１の第２制御領域上に配置される。
【０４３１】
また、図３７に示したように、音楽制御画面１０１１と接触して前方プレビュー画面１０２４と後方プレビュー画面１０２６がディスプレーされるため、ユーザは音楽再生のための操作に妨害されずに前方プレビュー画面１０２４や後方プレビュー画面１０２６を介して特定客体を撮影するか前方や後方を監視することができるためユーザの便宜性を極大化することができる。
【０４３２】
一方、移動端末機１００自体に装着されたカメラ１２１によるプレビューウィンドウ（第１プレビューウィンドウと称する）とウェアラブル装置２００に装着された前方カメラモジュール２８０と後方カメラモジュール２９０によって前方プレビュー画面１０２４（第２プレビューウィンドウと称する）と後方プレビュー画面１０２６（第３プレビュー画面と称する）がディスプレーされる。このような場合、第１乃至第３プレビューウィンドウが同時にディスプレーされるか特定プレビューウィンドウを大きい画面で見るように特定プレビューウィンドウのみディスプレーされるように制御されてもよい。例えば、第１プレビューウィンドウが大きく拡大されてディスプレーされ、ユーザから第１ジェスチャー動作、例えばタッチドラッグ動作が入力されると第１乃至第３プレビューウィンドウが同時にディスプレーされ、ユーがからの第２ジェスチャー動作が入力されると第２プレビューウィンドウのみが大きく拡大されてディスプレーされるか更に第１プレビューウィンドウのみが大きく拡大されてディスプレーされる。
【０４３３】
図４１は、図３６ｃに示したカメラ制御画面上にディスプレーされる両方ボタンが選択される際にディスプレーされるプレビュー画面を示す第３画面例示図である。
【０４３４】
図４１に示したように、音楽制御画面１０１１と接触して前方プレビュー画面１０２４と後方プレビュー画面１０２６がディスプレーされる。即ち、前方プレビュー画面１２０４と後方プレビュー画面１０２６両方が音楽制御画面１０１１の下側に接触してディスプレーされる。
【０４３５】
音楽制御画面１０１１の長さ方向、即ち水平方向に沿って前方プレビュー画面１０２４と後方プレビュー画面１０２６がディスプレーされる。
【０４３６】
このように、音楽制御画面１０１１の長さ方向、即ち水平方向に沿って前方プレビュー画面１０２４と後方プレビュー画面１０２６がディスプレーされることで、前方プレビュー画面１０２４と後方プレビュー画面１０２６がディスプレー部１５１上に占める面積が減ってアイコン１００５が前方プレビュー画面１０２４や後方プレビュー画面１０２６に妨害されずにユーザに示されるため、ユーザが音楽再生、前方又は後方の映像撮影、前方又は後方の監視、そしてアイコン実行を応じに行うことができてユーザの便宜性を増進することができる。
【０４３７】
一方、図４１に示しように音楽制御画面１０１１上に通知伝送ボタン１０２２が表示される。
【０４３８】
通知伝送ボタン１０２２は前方プレビュー画面１０２４又は後方プレビュー画面１０２６上に表示されてもよい。
【０４３９】
通知伝送ボタン１０２２は緊急情況は危険情況に対する通知メッセージを予め設定された知人や機関に伝送する機能を行う。知人は親友や父母や兄弟であってもよく、機関は消防署や警察署であってもよい。
【０４４０】
例えば、ユーザが緊急情況は危険情況に直面して通知伝送ボタン１０２２に対する選択命令が入力されると、予め設定された通知メッセージが知人や機関に伝送される。危険情況は第３者による暴力、交通事故などであり得る。緊急情況はユーザが特定地域を歩いているとき火災が発生した場合、通知ボタン１０２２に対する選択命令が入力され、該当通知メッセージが伝送されて迅速に消防車が出動することができる。
【０４４１】
通知伝送ボタン１０２２は位置情報モジュール１１５と連動する。このような場合、通知伝送ボタン１０２２に対する選択命令が入力される際、通知メッセージに位置情報モジュール１１５に基づいたユーザの位置情報に含まれて位置情報が含まれた通知情報が知人や機関に伝送される。
【０４４２】
図４２は、図３６ｃに示したカメラ制御画面上にディスプレーされる両方ボタンが選択される際にディスプレーされるプレビュー画面を示す第４画面例示図である。
【０４４３】
図４２に示したように、音楽制御画面１０１１と接触して前方プレビュー画面１０２４と後方プレビュー画面１０２６がディスプレーされる。即ち、前方プレビュー画面１０２４と後方プレビュー画面１０２６共に音楽制御画面１０１１の下側に接触してディスプレーされる。
【０４４４】
詳しくは、例えば前方プレビュー画面１０２４のサイズが後方プレビュー画面１０２６のサイズより大きくディスプレーされてもよい。後方プレビュー画面１０２６は音楽制御画面１０１１と前方プレビュー画面１０２４によって囲まれる。音楽制御画面１０１１の下側の長さは前方プレビュー画面１０２４の上側の長さと後方プレビュー画面１０２６の上側の長さの合計長さと同じである。
【０４４５】
図４３は、図３６ｃに示したカメラ制御画面上にディスプレーされる両方ボタン１０２５が選択される際にディスプレーされるプレビュー画面を示す第５画面例示図である。
【０４４６】
図４３Ａに示したように、音楽制御画面１０１１に接触して前方プレビュー画面１０２４がディスプレーされる。前方プレビュー画面１０２４のサイズは音楽制御画面１０１１のサイズと同じであるか大きくてもよいが、それについては限定しない。
【０４４７】
前方プレビュー画面１０２４の一角にはキュー（ｑｕｅｕｅ）１０４５がディスプレーされる。キュー１０４５は後方プレビュー画面１０２６をディスプレーするイベント命令である。
【０４４８】
キュー１０４５に後方プレビュー画面１０２６が隠される。
【０４４９】
キュー１０４５は前方プレビュー画面１０２４の一角領域、即ち、右上側角領域上にディスプレーされる。
【０４５０】
キュー１０４５は三角形状の黒色イメージで表現されるが、それについては限定しない。
【０４５１】
ユーザよりキュー１０４５に対して特定方向、例えば対角線方向に沿ってフリックタッチが入力されると、図４３Ｂに示したように後方プレビュー画面１２０６が前方プレビュー画面１０２４の一領域に示される。即ち、後方プレビュー画面１０２６がキュー１０４５から対角線方向に沿って前方プレビュー画面１０２４上にスライドイン（ｓｌｉｄｅ−ｉｎ）される。
【０４５２】
スライドインされた後方プレビュー画面１０２６は前方プレビュー画面１２０５のサイズの半分を占めるようにディスプレーされるが、それについては限定しない。
【０４５３】
他の例として、スライドインされた後方プレビュー画面１０２６は図４２に示したように前方プレビュー画面１２０５と音楽制御画面１０１１によって囲まれながら前方プレビュー画面１０２４のサイズイより小さいサイズを有してもよい。
【０４５４】
スライドインされた後方プレビュー画面１２０６がどれぐらいのサイズを有するのかは製造会社によって設定される。
【０４５５】
一方、スライドインされた後方プレビュー画面１２０６上の特定地点から元々キュー１０４５がディスプレーされていた領域に沿ってフリックタッチが入力されると、後方プレビュー画面１０２６が消えて図４３Ａに示したようにキュー１０４５が前方プレビュー画面１０２４の一角領域にディスプレーされる。
【０４５６】
一例として、図７２Ａに示したように音楽が再生されていない際に前方プレビュー画面１０２４と後方プレビュー画面１０２６がディスプレーされるが、音楽制御画面はディスプレーされずにベッドのウィンドウ１０４０に音楽再生ボタン１０４８がディスプレーされてもよい。音楽再生ボタン１０４８に対するタッチ命令が入力されると、図４０に示したように前方プレビュー画面１０２４と後方プレビュー画面１０２６だけでなく音楽制御画面１０１１がディスプレーされる。それによって、音楽制御画面１０１１がディスプレーされなければ音楽制御画面１０１１がディスプレーされる領域だけ前方プレビュー画面１０２４と後方プレビュー画面１０２６それぞれのサイズがより拡大される。
【０４５７】
他の例として、図７２Ｂに示したように音楽制御画面１０１１はディスプレーされるが前方プレビュー画面１０２４と後方プレビュー画面１０２６はディスプレーされずに別途のウィンドウ１０４０に画面選択ボタン１０５０がディスプレーされてもよい。このような場合、音楽制御画面１０１１が前方プレビュー画面１０２４と後方プレビュー画面１０２６がディスプレーされる領域だけサイズが大きくなる。画面選択ボタン１０５０の操作に応じて前方プレビュー画面１０２４及び／又は後方プレビュー画面１０２６がディスプレーされる。例えば、画面選択ボタン１０５０に対する１回タッチ命令が入力されると前方プレビュー領域１０２４のみディスプレーされる。例えば、画面選択ボタン１０５０に対して連続に２回タッチ命令が入力されると、後方プレビュー画面１０２６のみディスプレーされる。例えば、画面選択ボタン１０５０に対して例えば０．５秒以上タッチ及びホールド命令が入力されると前方プレビュー画面１０２４及び後方プレビュー画面１０２６が同時にディスプレーされる。
【０４５８】
前方プレビュー画面１０２４及び後方プレビュー画面１０２６それぞれのサイズは音楽制御画面１０１１のサイズと同じであるか前方プレビュー画面１０２４及び後方プレビュー画面１０２６の全体サイズが音楽制御画面１０１１のサイズと同じであってもよいが、それについては限定しない。
【０４５９】
図４４は、本発明の第１４実施例によるウェアラブル装置を制御するための制御画面を移動端末機にディスプレーする方法を説明する順序図である。
【０４６０】
第１４実施例はフローティングアイコンディスプレーステップＳ３２２とフローティングアイコン実行ステップＳ３２３を除いてはず３５に示した第１３実施例と同じであるため、（Ｓ３２２）と（Ｓ３２３）を主に説明する。
【０４６１】
図４４を参照すると、移動端末機１００はウェアラブル装置２００とペアリングを行う（Ｓ３２１）。
【０４６２】
ウェアラブル装置２００の識別情報が移動端末機１００に予め登録されてウェアラブル装置２００と移動端末機１００にそれぞれ通信モジュール１１４，２０１ｃが具備された場合、ウェアラブル装置２００が移動端末機１００から一定距離以内に近接すると移動端末機１００とウェアラブル装置２００との間にペアリング過程が行われてもよいが、それについては限定しない。
【０４６３】
次に、ウェアラブル装置２００とのペアリングが完了されると、移動端末機１００はディスプレー部１５１を制御してフローティングアイコンをディスプレーする（Ｓ３２２）。
【０４６４】
フローティングアイコンとはウェアラブル装置２００を制御するためのアイコンであり、特定キャラクタ、例えばカメラキャラクタ又は音符（ｎｏｔｅ）キャラクタとカメラキャラクタの組み合わせを有する。
【０４６５】
移動端末機１００のディスプレー部１５１の上にディスプレーされるフローティングアイコンは位置領域に固定されるアイコンとは異なって一領域に固定されずランダムにディスプレー１５１部の全領域又は一部領域内を漂う。例えば、フローティングアイコンはディスプレー部１５１の画面縁に隣接して時計方向又は反時計方向に漂ってもよい。
【０４６６】
例えば、フローティングアイコンは一領域に固定された他のアイコンより大きく拡大されてディスプレーされる。例えば、フローティングアイコンの縁はハイライトされて位置領域に固定された他のアイコンと区分される。例えば、フローティングアイコンは一定周期に点滅するようにディスプレーされてもよい。
【０４６７】
ディスプレー部１５１の画面上を漂うフローティングアイコンに対するタッチが入力されると、移動端末機１００はフローティングアイコンを実行するＳ３２３。
【０４６８】
このようにフローティングアイコンが実行されると、移動端末機１００はディスプレー部１５１を制御してウェアラブル装置用制御画面１０１５をディスプレーする（Ｓ３２４）。
【０４６９】
ウェアラブル装置用制御画面１０１５は音楽制御画面１０１１とカメラ制御画面１０１３を含む。音楽制御画面１０１１はラジオ制御画面に転換される。即ち、音楽制御画面１０１１とラジオ制御画面は互いに転換される。
【０４７０】
Ｓ３２５乃至Ｓ３２９は図３５に示した第１３実施例のＳ３１５乃至Ｓ３１９と同じであるため、それに関する説明は省略する。
【０４７１】
図４５は、本発明の第１４実施例によるウェアラブル装置を制御するための制御画面を移動端末機１００にディスプレーするための方法を説明する画面例示図である。
【０４７２】
図３６に示した説明と一致する図４５の説明は省略するが、このように省略された説明は図３６に示した説明から容易に理解されるはずである。
【０４７３】
図４５に示したように、移動端末機１００のディスプレー部１５１の上にホーム画面１００１がディスプレーされ、ホーム画面１００１の上にウィジェットアイコン１００３、アイコン１００５及びソフトキー１００７がディスプレーされる。
【０４７４】
ウェアラブル装置２００が移動端末機１００とペアリングされると、ホーム画面１００１上にフローティングアイコン１０４７が追加にディスプレーされる。
【０４７５】
フローティングアイコン１０４７はウェアラブル装置２００を制御するようにするアイコンであり、ホーム画面１００１上にランダムに漂う。
【０４７６】
例えば、フローティングアイコン１０４７はホーム画面１００１の左側縁の位置領域で生成されてディスプレーされた後、ホーム画面１００１の左側縁に隣接して下部方向に漂っていてからホーム画面１００１の左下側の角で右側方向に漂ってもよい。
【０４７７】
フローティングアイコン１０４７が漂う際、フローティングアイコン１０４７がアイコン１００５、ソフトキー１００７又はホーム画面１００１の上側にディスプレーされる状態表示バーを通ってもよく通らなくてもよい。
【０４７８】
このように漂うフローティングアイコン１０４７に対するタッチが入力されると、図４５Ｂに示したように移動端末機１００のディスプレー部１５１上にウェアラブル装置用制御画面１０１５がディスプレーされる。
【０４７９】
ウェアラブル装置用制御画面１０１５はホーム画面１００１と別途の画面であってもよいが、それについては限定しない。
【０４８０】
ウェアラブル装置用制御画面１０１５は移動端末機１００のホーム画面１００１上にディスプレーされるウィジェット１００３を代替してディスプレーされる。即ち、ウェアラブル装置用制御画面１０１５のサイズがウィジェットアイコン１００３のサイズと同じである際、ウィジェットアイコン１００３の代わりにウィジェットアイコン１００３がディスプレーされル領域上にウェアラブル装置用制御画面１０１５がディスプレーされる。
【０４８１】
このようにウェアラブル装置用制御画面１０１５がウィジェットアイコン１００３のディスプレーされる領域にディスプレーされる場合、ウェアラブル装置用制御画面１０１５によってアイコン１００５が妨害されなくなってユーザはウェアラブル装置２００を制御して音楽再生やラジオ聴取だけでなくウェアラブル装置用制御画面１０１５を介して前方又は後方の情況を感知し、フローティングアイコン１０４７の実行を介して該当アイコン１０４７に付与された機能を利用することができるためユーザの便宜性を極大化することができる。
【０４８２】
ウェアラブル装置用制御画面１０１５は、例えば音楽制御画面１０１１とカメラ制御画面１０１３を含む。
【０４８３】
音楽制御画面１０１１とカメラ制御画面１０１３はホーム画面１００１とは別途のウィンドウでディスプレーされる。
【０４８４】
他の例として、ホーム画面１００１が第１制御領域と第２制御領域とで分割され、音楽制御画面１０１１が第１制御領域上にディスプレーされてカメラ制御画面１０１３が第２制御領域上にディスプレーされてもよい。第１及び第２制御領域は左右方向又は上下方向に沿って分割されるかホーム画面１００１の対角線ラインを中心に分割されてもよい。
【０４８５】
図４６は、本発明の第１５実施例によるウェアラブル装置を制御すうための制御画面を移動端末機１００にディスプレーする方法を説明する順序図である。
【０４８６】
図４６を参照すると、移動端末機１００はウェアラブル装置２００とペアリングを行う（Ｓ３３１）。
【０４８７】
次に、ウェアラブル装置２００とのペアリングが完了されると、移動端末機１００はディスプレー部１５１を制御してウェアラブル装置用制御画面１０１５を状態表示バーに隠す（Ｓ３３２）。
【０４８８】
ウェアラブル装置用制御画面１０１５は普段は画面上にディスプレーされないが、ユーザからの特定命令、例えばドラッグタッチが入力される際にディスプレーされる。
【０４８９】
移動端末機１００のディスプレー部１５１の上側には状態表示バーがディスプレーされる。このような状態表示バーはディスプレー部１５１上で画面が変更されてもそのままディスプレー部１５１の上側に維持される。
【０４９０】
状態表示バーに対してフリックタッチが入力されると（Ｓ３３３）、移動端末機１００はディスプレー部１５１を制御してウェアラブル装置用制御画面１０１５をディスプレーする（Ｓ３３４）。
【０４９１】
例えば、ユーザによって状態表示バーから下部方向に沿ってフリックタッチが入力される。このようなフリックタッチに応答して状態表示ウィンドウが下部方向に沿ってスライドインされてディスプレーされる。
【０４９２】
このような状態表示ウィンドウにウェアラブル装置用制御画面１０１５がディスプレーされる。
【０４９３】
ウェアラブル装置用制御画面１０１５は音楽再生やラジオ聴取のための音楽制御画面１０１３を含む。
【０４９４】
Ｓ３３５乃至Ｓ３３９は図３５に示した第１３実施例のＳ３１５乃至Ｓ３１９と同じであるため、それに関する説明は省略する。
【０４９５】
図４７は、本発明の第１５実施例によるウェアラブル装置を制御するための制御画面を移動端末機にディスプレーする方法を説明する画面例示図である。
【０４９６】
図４７に示したように、移動端末機１００のディスプレー部１５１上にホーム画面１００１がディスプレーされ、ホーム画面１００１上にウィジェットアイコン１００３、多数のアイコン１００５及びソフトキー１００７がディスプレーされる。
【０４９７】
さらに、ディスプレー部１５１の上側に状態表示バー１０５１がディスプレーされる。状態表示バー１０５１は移動端末機１００に現在使用中の機能を表示する部材である。例えば、状態表示バー１０５１に振動又は着信音の表示、バッテリ残量表示、受信強度表示、時間表示などが含まれる。
【０４９８】
ウェアラブル装置２００が移動端末機１００とペアリングされると、ディスプレー部１５１上にディスプレーされないが状態表示バー１０５１にウェアラブル装置用制御画面１０１５が隠される。
【０４９９】
状態表示バー１０５１から例えば下部方向にドラッグタッチが入力されると、第１乃至第３状態領域１０５３，１０５５，１０５７を含む状態表示ウィンドウ１０５９がディスプレーされる。
【０５００】
このような場合、状態表示ウィンドウ１０５９の第１状態領域１０５３上にクイック設定機能アイコンがディスプレーされ、状態表示ウィンドウ１０５９の第２状態領域１０５５上に画面の明るさ／ボリューム調節状態バーがディスプレーされる。
【０５０１】
クイック設定機能アイコンとしてはＱメモアイコン１０６１、振動アイコン１０６３、ワイファイアイコン１０６５、ブルートゥースアイコン１０６７、位置情報アイコン１０６９などが含まれる。
【０５０２】
これらのアイコン１０６１，１０６３，１０６５，１０６７，１０６９はタッチされるたびに機能が変更され色も変更される。
【０５０３】
例えば、Ｑメモアイコン１０６１はタッチが入力されるとＱメモ機能が活性化され、更にＱメモアイコン１０６１がタッチされるとＱメモ機能が非活性化される。
【０５０４】
例えば、位置情報アイコン１０６９はタッチが入力されると位置情報追跡が活性化され、更に位置情報アイコン１０６９がタッチされると位置情報追跡が非活性化される。
【０５０５】
状態表示ウィンドウ１０５９の第２状態領域１０５５上に明るさ調節部１０７１と振動強度調節部１０７３がディスプレーされる。例えば、明るさ調節部１０７１の調節によって画面の明るさが可変される。
【０５０６】
状態表示ウィンドウ１０５９の第３状態領域１０５７上にウェアラブル装置用制御画面１０１５がディスプレーされる。ウェアラブル装置用制御画面１０１５のサイズは状態表示ウィンドウ１０５９のサイズより少なくとも小さい。
【０５０７】
ウェアラブル装置用制御画面１０１５は状態表示ウィンドウ１０５９の第３状態領域１０５７に固定されるか第３状態領域１０５７とは別途のウィンドウで第３状態領域１０５７上にディスプレーされる。
【０５０８】
ウェアラブル装置用制御画面１０１５の具体的な説明は図３６ｃに関して既に説明したため、これ以上の説明は省略する。
【０５０９】
図４８は、本発明の第１６実施例によるウェアラブル装置を制御するための制御画面を移動端末機にディスプレーするための方法を説明する順序図である。
【０５１０】
図４８を参照すると、移動端末機１００はウェアラブル装置２００とペアリングを行う（Ｓ３４１）。
【０５１１】
この際、移動端末機１００のディスプレー部１５１は電源が印加されないため画面オフ状態である。
【０５１２】
たとえ移動端末機１００のディスプレー部１５１が画面オフ状態であっても、移動端末機１００の通信モジュール１１４が活性化されているため移動端末機１００とウェアラブル装置２００との間のペアリングが正常に行われる。
【０５１３】
次に、ウェアラブル装置２００とのペアリングが完了されると、移動端末機１００はウェアラブル装置用制御画面１０１５をディスプレーせずに待機する。これは、移動端末機１００のディスプレー部１５１に印加される電源が遮断されて画面オフ状態にあるため、ウェアラブル装置用制御画面１０１５をディスプレー部１５１上にディスプレーすることができないためである。
【０５１４】
もしユーザから移動端末機１００のディスプレー部１５１を２回叩くタブ、即ちダブルタブ（ｄｏｕｂｌｅ  ｔａｂ）が入力されると、移動端末機１００はディスプレー部１５１に電源を供給してディスプレー部１５１上に画面がディスプレーされる画面オン状態に変更する（Ｓ３４２）。
【０５１５】
このように画面がオン状態に変更されても、移動端末機１００のディスプレー部１５１はロック状態に維持される（Ｓ３４３）。即ち、ユーザが移動端末機１００にロック状態を設定しておいた場合、移動端末機１００のディスプレー部１５１に対する画面オン状態に変更されてもロック状態に維持され、このようなロック状態が解除されて初めてホーム画面１００１がディスプレー部１５１上にディスプレーされる。
【０５１６】
ディスプレー部１５１の画面がロック状態に維持される場合、ユーザから特定方向へのフリックタッチが入力されると（Ｓ３４４）、移動端末機１００はディスプレー部１５１を制御してウェアラブル装置用制御画面１０１５をディスプレーする（Ｓ３４５）。
【０５１７】
ここで、特定方向へのフリックタッチとはディスプレー部１５１の画面の任意の地点から左側方向へのフリックタッチを意味するが、それについては限定しない。
【０５１８】
Ｓ３４６乃至Ｓ３５０は図３５に図示した第１３実施例のＳ３１５乃至Ｓ３１９と同じであるため、それに関する説明は省略する。
【０５１９】
図４９は、本発明の第１６実施例によるウェアラブル装置を制御するための制御画面を移動端末機にディスプレーする方法を説明する画面例示図である。
【０５２０】
図４９Ａに示したように、移動端末機１００のディスプレー部１５１は電源が印加されていない画面オフ状態である。
【０５２１】
画面オフ状態である場合、移動端末機１００のディスプレー部１５１はブラックカラーを有するためディスプレー部１５１上にいかなる情報もディスプレーされない。
【０５２２】
たとえ移動端末機１００のディスプレー部１５１が画面オフ状態であっても移動端末機１００の通信モジュール１１４は活性化状態にあるため、移動端末機１００とウェアラブル装置２００との間にペアリングが行われる。
【０５２３】
即ち、ウェアラブル装置２００の識別情報が事前に移動端末機１００に登録される一方、ウェアラブル装置２００が移動端末機１００の一定距離以内に接近すれば移動端末機１００とウェアラブル装置２００との間にペアリングが行われる。
【０５２４】
ある情況ではウェアラブル装置２００が移動端末機１００の一定距離以内に接近しても移動端末機１００とウェアラブル装置２００との間にペアリングが行われない。即ち、移動端末機１００でペアリング機能が活性化されていないかウェアラブル装置２００の電源がつけられていなければ移動端末機１００とウェアラブル装置２００との間でペアリングが行われる可能性がある。よって、移動端末機１００でペアリング機能が活性化されるかウェアラブル装置２００の電源がつけられている場合、移動端末機１００とウェアラブル装置２００との間にペアリングが行われる。
【０５２５】
図４９Ａでは移動端末機１００のディスプレー部１５１が画面オフ状態にあるが、この場合にはウェアラブル装置２００の電源がつけられる際に移動端末機１００とウェアラブル装置２００との間にペアリングが行われる。
【０５２６】
一例として、移動端末機１００はユーザが移動端末機１００の制御命令を入力するように許容するのかに応じてロック状態とアンロック状態にある。
【０５２７】
基本的に画面がオフ状態からオン状態に変更されると、ロック状態であるロック画面がディスプレーされる。このようなロック画面に対してユーザからのジェスチャー動作が受信されるとロックが解除される。
【０５２８】
例えば、ユーザからロック画面に対して特定方向にタッチ入力が行われると、ロック画面上に検出されたタッチ入力に基づいてロック画面上にディスプレーされる第１アプリケーションの実行画面が消えて第２アプリケーションの実行画面がディスプレーされる。
【０５２９】
移動端末機１００とウェアラブル装置２００との間にペアリングが完了された後、ディスプレー部１５１に電源が印加される画面オン状態になる。即ち、ユーザから電源ボタンに対するタッチが入力される場合、図４９Ｂに示したように該当電源がディスプレー部１５１に印加されてディスプレー部１５１上にロック画面１０７５がディスプレーされる。
【０５３０】
ロック画面１０７５上にウィジェットアイコン１００３とロックパターン１０７７がディスプレーされる。ユーザから予め設定したロックパターン１０７７によるスライディング動作が入力されることでロック状態が解除される。本発明はロック状態を解除しなくてもウェアラブル装置２００の音楽再生やカメラモジュール２８０，２９０の駆動を容易に制御することができる。
【０５３１】
例えば、ウィジェットアイコン１００３がディスプレーされる領域の任意の地点から左側方向に沿ってフリックタッチが入力されると図４９Ｃに示したようにウェアラブル装置用制御画面１０１５がディスプレーされる。ウェアラブル装置用制御画面１０１５はウィジェットアイコン１００３がディスプレーされる領域上にディスプレーされるが、それについては限定しない。
【０５３２】
ウェアラブル装置用制御画面１０１５のサイズはウィジェットアイコン１００３がディスプレーされる領域と同じであるかそれより大きい。
【０５３３】
ウェアラブル装置用制御画面１０１５は音楽制御画面１０１１とカメラ制御画面１０１３を含む。
【０５３４】
カメラ制御画面１０１３は前方カメラボタン１０２１、後方カメラボタン１０２３及び両方ボタン１０２５を含む。
【０５３５】
例えば、カメラ制御画面１０１３の両方ボタン１０２５に対するタッチが入力されると、図４９Ｄに示したようにカメラ制御画面１０１３の代わりに前方プレビュー画面１０２４と後方プレビュー画面１０２６がディスプレーされる。即ち、カメラ制御画面１０１３が前方プレビュー画面１０２４と後方プレビュー画面１０２６がカメラ制御画面１０１３に代替される。
【０５３６】
前方プレビュー画面１０２４のサイズが後方プレビュー画面１０２６のサイズの総サイズはカメラ制御画面１０１３のサイズと同じであるかそれより大きい。
【０５３７】
一例として、前方プレビュー画面１０２４のサイズと後方プレビュー画面１０２６のサイズは同じである。
【０５３８】
他の例として、前方プレビュー画面１０２４のサイズは後方プレビュー画面１０２６のサイズより大きい。
【０５３９】
また他の例として、後方プレビュー画面１０２６は初めにディスプレーされない代わりにキューが前方プレビュー画面１０２４の一部の角領域にディスプレーされる。キューから例えば対角線方向に沿ってフリックタッチが入力されると、後方プレビュー画面１０２６が前方プレビュー画面１０２４の上に示される。言い換えると、後方プレビュー画面１０２６がキューから対角線後方に沿って前方プレビュー画面１０２４の上にスライドインされる。
【０５４０】
図４９Ｄに示したように、ロック状態で前方プレビュー画面１０２４や後方プレビュー画面１０２６がディスプレーされてからロックが解除されても前方プレビュー画面１０２４や後方プレビュー画面１０２６と音楽制御画面１０１１はそのままディスプレー部１５１のホーム画面１００１上にディスプレーされるが、それについては限定しない。
【０５４１】
本発明の第１６実施例によると、ロック状態でも音楽制御画面１０１１やカメラ制御画面１０１３を利用してウェアラブル装置２００での音楽再生、ラジオ聴取、前方又は後方の客体に対する撮影又は前方又は後方に対する監視が可能であり、ロック解除を介したホーム画面１００１上でウェアラブル装置２００を制御する必要がないためユーザの保安信頼度を向上することができる。
【０５４２】
以上では具体的に説明していないが、カメラ制御画面１０１３の前方カメラボタン１０２１や後方カメラボタン１０２３に対するタッチが入力されれば音楽制御画面１０１１に接触して前方プレビュー画面１０２４や後方プレビュー画面１０２６がディスプレーされる。
【０５４３】
以上ではウェアラブル装置２００のカメラモジュール２８０，２９０を移動端末機１００で活性化する方法を説明した。
【０５４４】
これとは異なって、ウェアラブル装置２００は自らカメラモジュール２８０，２９０を活性化することもできる。
【０５４５】
第１例として、図３４のウェアラブル装置２００のボディ部２００a、２００ｂの上面に前方カメラモジュール２８０と後方カメラモジュール２９０それぞれを活性化するための活性化ボタン２５０が具備される。ユーザはこの活性化ボタン２５０を押すことで前方カメラモジュール２８０、後方カメラモジュール２９０又は前方カメラモジュール２８０と後方カメラモジュール２９０両方が活性化される。ここで、活性化とは前方カメラモジュール２８０及び／又は後方カメラモジュール２９０が駆動されて前方又は後方の客体に対する映像が前方カメラモジュール２８０及び／又は後方カメラモジュール２８０を介して入力されるだけでなく、ユーザの撮影命令に応じて前方カメラモジュール２８０及び／又は後方カメラモジュール２９０によって前方又は後方の客体に対する映像が撮影可能な状態を意味する。
【０５４６】
活性化ボタン２５０が更に押されると、後方カメラモジュール２９０又は前方カメラモジュール２８０と後方カメラモジュール２９０両方が非活性化される。
【０５４７】
他の例として、活性化ボタン２５０が１回押されると前方カメラモジュール２８０及び後方カメラモジュール２９０両方が活性化され、活性化ボタン２５０が２回押されると前方カメラモジュール２８０が活性化され、活性化ボタン２５０が３回押されると後方カメラモジュール２９０が活性化され、活性化ボタン２５０が例えば少なくとも０．５秒以上押されると現在活性化されている前方カメラモジュール２８０及び／又は後方カメラモジュール２９０が非活性化されてもよいが、それについては限定しない。即ち、活性化ボタン２５０が１回押される際に前方カメラモジュール２８０が活性化されてもよく、活性化ボタンが１回押される際に後方カメラモジュール２９０が活性化されてもよい。言い換えると、前方カメラモジュール２８０及び後方カメラモジュール２９０それぞれ又は両方を活性化又は非活性化するために活性化ボタン２５０が押される回数は多様に変更される。
【０５４８】
第２例として、ウェアラブル装置２００のボディ部２２０ａ、２２０ｂの上面に具備された振動感知ボタン（図示せず）に特定回数のタッチが入力されるとこのようなタッチによる振動が感知されてそれによって前方カメラモジュール２８０と後方カメラモジュール２９０が活性化される。例えば、図５０Ａに示したように振動感知ボタンに１回タッチが入力されると、前方カメラモジュール２８０と後方カメラモジュール２９０両方が同時に活性化される。例えば、図５０Ｂに示したように振動感知ボタンに２回タッチが入力されると、前方カメラモジュール２８０のみが活性化される。例えば、図５０Ｃに示したように振動感知ボタンに３回タッチが入力されると、後方カメラモジュール２９０のみが活性化される。
【０５４９】
第３例として、ウェアラブル装置２００のボディ部２２０ａ、２２０ｂの上面に具備された近接センサ２０４ａに接近する程度に応じて前方カメラモジュール２８０、後方カメラモジュール２９０又は前方カメラモジュール２８０と後方カメラモジュール２９０両方が活性化される。例えば、図５１に示したようにユーザの指がウェアラブル装置２００の近接センサ２０４ａから第１距離ｄ１に位置すると前方カメラモジュール２８０と後方カメラモジュール２９０両方が活性化される。例えば、ユーザの指がウェアラブル装置２００の近接センサ２０４ａから第２距離ｄ２に位置すると前方カメラモジュール２８０が活性化される。例えば、ユーザの指がウェアラブル装置２００の近接センサ２０４ａから第３距離ｄ３に位置すると後方カメラモジュール２９０が活性化される。
【０５５０】
以下、以上で説明したウェアラブル装置２００、移動端末機１００、そしてウェアラブル装置２００及び移動端末機１００を含むシステムを利用した多様なユーザインタフェースの具現について説明する。
【０５５１】
図５２乃至図５５は、ウェアラブル装置における特定情況で自動的に撮影する方法を示す。
【０５５２】
図５２は本発明によるウェアラブル装置における特定情況で自動的に撮影する方法を説明する順序図である。
【０５５３】
図５２を参照すると、ウェアラブル装置２００はユーザから入力された自動的に撮影する情況を設定登録する（Ｓ４１１）。
【０５５４】
自動的に撮影する状況は例えば音声、音、特定センサ値、位置、顔認識などであってもよいが、それについては限定しない。即ち、いかなる状況であってもウェアラブル装置２００で認識することができ、該当状況がウェアラブル装置２００に設定登録されていたのであれば本発明の技術的思想の範囲内に含まれることは自明である。
【０５５５】
音声とは、人が使用する特定単語やその単語の測定強度である。人の音声が特定強度以上であれば自動的に撮影される。
【０５５６】
音とは、人、動物又は無生物が出す特定音やその音の強度である。
【０５５７】
特定センサ値とは、近接センサ２０４ａや照度センサ２０４ｂ（図１の２６０）での特定センサ値である。
【０５５８】
位置とは、地上から特定位置であるか特定高度値である。例えば、ウェアラブル装置２００を着用した状態で山に登ったとき、特定高度、例えば１４００Ｍ以上であればウェアラブル装置２００の前方カメラモジュール２８０及び／又は後方カメラモジュール２９０によって自動的に撮影される。
【０５５９】
このような位置を感知するために、高度センサや位置センサがウェアラブル装置２００に装着される。
【０５６０】
顔認識とは、特定の人や動物の顔がウェアラブル装置２００に予め設定登録された場合、ウェアラブル装置２００によって該当顔が認識されるとウェアラブル装置２００の前方カメラモジュール２８０及び／又は後方カメラモジュール２９０によって自動的に撮影される。
【０５６１】
例えば、ウェアラブル装置２００を着用して歩いているとき、例えばウェアラブル装置２００を着用して歩いているときに目の前の子供たちが「あはは」と笑いながら遊んでいる姿が見えるとする。このような場合、子供たちの笑い声である「あはは」がウェアラブル装置２００に予め設定登録されている場合にはウェアラブル装置２００の前方カメラモジュール２８０及び／又は後方カメラモジュール２９０によって自動的に撮影される。
【０５６２】
例えば、ウェアラブル装置２００を着用して歩いているときにある人の悲鳴が聞こえるとする。この際、その悲鳴が一定強度以上であればウェアラブル装置２００の前方カメラモジュール２８０及び／又は後方カメラモジュール２９０によって自動的に撮影される。
【０５６３】
例えば、人を含む物体が一定距離以内に接近するとき、そのときの近接センサ２０４ａの特定センサ値がウェアラブル装置２００に予め設定された登録臨界値より大きい場合、ウェアラブル装置２００の前方カメラモジュール２８０及び／又は後方カメラモジュール２９０によって自動的に撮影される。臨界値は製造会社又はユーザによって設定される。
【０５６４】
自動的に撮影する状況が設定登録された状態でウェアラブル装置２００を着用したユーザが特定場所にいる場合がある（Ｓ４１２）。
【０５６５】
ここで、特定場所とは自動的に撮影する状況が発生する場所である。よって、特定場所はこの世に存在する全ての場所に当たり、例えば家、会社、街、飲食店、山、海である。
【０５６６】
ユーザが特定場所にいるとき、ウェアラブル装置２００の制御部２０８はユーザの要請に応答してユーザが首に着用しているウェアラブル装置２００に装着された前方カメラモジュール２８０及び／又は後方カメラモジュール２９０を活性化する（Ｓ４１３）。
【０５６７】
ユーザの要請はウェアラブル装置２００に装着された活性化ボタン（図１の２５０）を押す動作によって行われるか移動端末機１００にディスプレーされるカメラ制御画面（図３６の１０１３）上の両方ボタン（図３６の１０２５）に対するタッチ動作によって行われる。
【０５６８】
移動端末機１００にディスプレーされるカメラ制御画面（図３６の１０１３）上の両方ボタン（図３６の１０２５）に対するタッチ動作が入力されると、移動端末機１００はこのようなタッチ動作に対応する例えば活性化命令をウェアラブル装置２００に伝送し、ウェアラブル装置２００の制御部２０８はこのような活性化命令に応答して前方カメラモジュール２８０及び／又は後方カメラモジュール２８０を活性化する。
【０５６９】
ウェアラブル装置２００の制御部２０８は前方カメラモジュール２８０及び／又は後方カメラモジュール２９０を制御し前方カメラモジュール２８０及び／又は後方カメラモジュール２９０に入力される映像を自動的に撮影する（Ｓ４１５）。
【０５７０】
もし、左側カメラモジュール１５０３と右側カメラモジュール１５０１が更に具備されればそれらのカメラモジュール１５０１，１５０３を介しても映像が撮影される。
【０５７１】
自動的に撮影する時点はウェアラブル装置２００に設定登録された状況が発生することを日下瞬間であるが、それについては限定しない。
【０５７２】
自動撮影は静止映像撮影、動画撮影、連続撮影、パノラマ撮影などである。
【０５７３】
動画撮影は、設定登録された状況が発生する間に持続されるか予め設定された時間の間に持続される。
【０５７４】
パノラマ撮影の間、前方カメラモジュール２８０及び／又は後方カメラモジュール２９０は第１方向から第２方向に回動される。例えば、前方カメラモジュール２８０及び／又は後方カメラモジュール２９０は左側方向から右側方向に回動する。
【０５７５】
ウェアラブル装置２００に設定登録された状況が発生するとき、自動撮影は前方カメラモジュール２８０のみ行われるか後方カメラモジュール２９０のみ行われるか前方カメラモジュール２８０及び後方カメラモジュール２９０両方が行われる。
【０５７６】
基本的に前方カメラモジュール２８０と後方カメラモジュール２８０両方で自動撮影が行われるように設定され、ユーザによって前方カメラモジュール２８０のみ又は後方カメラモジュール２９０のみ自動撮影が行われるようにしてもよい。
【０５７７】
ウェアラブル装置２００は自動撮影された映像をメモリ２０７に記憶する（Ｓ４１６）。
【０５７８】
また、ウェアラブル装置２００は自動撮影されたユーザの移動端末機１００、他のユーザの移動端末機１００、特定サーバや関連機関に伝送されて記憶される。
【０５７９】
ユーザの移動端末機１００、他のユーザの移動端末機１００、特定サーバや関連機関は予め自動撮影された映像を伝送されると事前にウェアラブル装置２００に設定登録される。このような場合、自動撮影されたユーザの追加的な要請がなくても自動的にユーザの移動端末機１００、他のユーザの移動端末機１００、特定サーバや関連機関に伝送されて記憶される。
【０５８０】
例えば、ユーザがウェアラブル装置２００を着用した状態で特定場所にいるとき、特定場所で車同士の衝突事故が発生し、このような衝突事故に対する映像が自動撮影されて自動撮影映像が得られる。このような場合、自動撮影された映像はユーザの追加的な要求がなくても自動的に特定場所に近い警察署、交通管制センター又は保険会社に伝送される。
【０５８１】
この際、伝送された自動撮影映像には特定場所に関する情報、例えば位置、アドレス及び／又は周辺の有名な建物などが含まれる。ここで、位置とアドレスは位置情報モジュール２０１ｄによって得られる。
【０５８２】
よって、該当警察署、交通管制センサー又は保険会社ではユーザのウェアラブル装置２００から伝送された自動撮影映像と共に特定場所に関する情報を介して車の衝突事故が起こった場所を用意に把握し、迅速に事故現場を収拾することができる。
【０５８３】
例えば、ユーザがウェアラブル装置２００を着用した状態で特定場所にいるとき、特定場所で凶器による傷害事故が発生し、このような傷害事故に対する映像が自動的に撮影される場合、自動撮影された映像が特定場所に近い警察署や治安完成センサーに伝送される。この際、伝送された自動撮影映像には特定場所に関する情報、例えば位置、アドレス及び／又は周辺の有名な建物などが含まれる。よって、該当警察署や治安完成センターではユーザのウェアラブル装置２００から伝送された自動撮影映像と共に特定場所に関する情報を介して傷害事故が起こった場所を用意に把握し、迅速に犯人を逮捕することができる。もし犯人が事件現場から逃げても自動撮影映像に含まれた犯人の顔に基づいて犯人の逮捕が容易になる。
【０５８４】
図５３は、本発明によるウェアラブル装置における特定状況で自動的に撮影する方法を説明する第１画面例示図である。
【０５８５】
図５３に示したように、ウェアラブル装置２００を首に着用したユーザが特定場所を歩いている場合がある。
【０５８６】
一例として、ユーザが歩いているときに前方でウェアラブル装置２００に事前に設定登録された状況が発生する場合、即ち「あはは」のような人の笑い声が聞こえる場合、ウェアラブル装置２００の前方カメラモジュール２８０によって前方の客体に対する映像が自動的に撮影される。
【０５８７】
他の例として、前方で「あはは」のような人の笑い声が聞こえてユーザがその笑い声を出す客体を見るためにその笑い声が聞こえる方向に視線を向ける場合、ウェアラブル装置２００の前方カメラモジュール２８０によって前方の客体に対する映像が自動的に撮影される。
【０５８８】
例えば、ウェアラブル装置２００の前方カメラモジュール２８０の位置は垂直方向にユーザの目と一致する。このような場合、ユーザの目が見る方向にユーザの顔が向けられ、そのときに該当映像が自動撮影されればユーザの望みの客体に対する映像が得られる。
【０５８９】
ウェアラブル装置２００に事前に設定登録された状況が発生する前に前方カメラモジュール２８０及び／又は後方カメラモジュール２９０が活性化される。
【０５９０】
基本的に前方カメラモジュール２８０と後方カメラモジュール２９０ずべてが活性化され、ユーザの設定変更命令に応じて前方カメラモジュール２８０のみ又は後方カメラモジュール２９０のみ活性化されてもよい。
【０５９１】
また他の例として、ウェアラブル装置２００に音感知センサ（図示せず）が装着されている場合、前方でウェアラブル装置２００に設定登録された人の笑い声がする際、音感知センサが人の笑い声を感知しウェアラブル装置２００の制御部２０８が前方カメラモジュール２８０を制御して前方カメラモジュール２８０の視野角が人の笑い声がする方向を向かうように前方カメラモジュール２８０を回動する。次に、ウェアラブル装置２００の制御部２０８は前方カメラモジュール２８０を制御して前方の客体に対する映像を自動的に撮影する。
【０５９２】
自動的に撮影された映像はウェアラブル装置２００に記憶される一方、例えばウェアラブル装置２００とペアリングされた移動端末機１００やネットワークに連結された他の移動端末機１００や特定サーバに伝送されて記憶される。
【０５９３】
図５４は、本発明によるウェアラブル装置における特定状況で自動的に撮影する方法を説明する第２画面例示図である。
【０５９４】
図５４に示したように、ウェアラブル装置２００を首に着用したユーザが特定場所を歩いている場合がある。
【０５９５】
一例として、ユーザが歩いている途中に後方からウェアラブル装置２００に事前に設定登録された状況が発生する場合、即ち「ドカーン」と車同士がぶつかる音がする場合、ウェアラブル装置２００の前方カメラモジュール２８０によって後方の客体に対する映像が自動的に撮影される。
【０５９６】
事前に設定登録された状況はオンラインマーケットやユーザ間のデータ共有が可能で、共有されたデータ情報を介してユーザが置かれた特定状況や業務環境で一般的に聞くことがあまりない異質的なサウンドに対する反応を設定する。
【０５９７】
他の例として、ウェアラブル装置２００に音感知センサ（図示せず）が装着されている場合、前方でウェアラブル装置２００に設定登録された車同士がぶつかる音がする際、音感知センサが車同士のぶつかる音を感知してウェアラブル装置２００の制御部２０８が後方カメラモジュール２９０を制御し、後方カメラモジュール２９０の視野角が車同士がぶつかる音がする方向を向かうように後方カメラモジュール２９０を回動する。次に、ウェアラブル装置２００の制御部２０８は後方カメラモジュール２９０を制御して後方の客体に対する映像を自動的に撮影する。
【０５９８】
自動撮影された映像はウェアラブル装置２００に記憶される一方、例えばウェアラブル装置２００とペアリングされた移動端末機１００や警察署、交通管制センター又は保険会社に伝送されて記憶される。
【０５９９】
車同士がぶつかる瞬間を撮影した映像は衝突した車の運転者間の損害や過失を算定するのに非常に重要な証拠として活用されるため、無実に損をする人が出なくなる。
【０６００】
図５５は、本発明によるウェアラブル装置における特定状況で自動的に撮影する方法を説明する第３画面例示図である。
【０６０１】
図５５に示したように、ウェアラブル装置２００を首に着用したユーザが特定場所を歩いているとき、後方から包丁を持った犯罪者が接近する場合、ウェアラブル装置２００の後方カメラモジュール２９０によって後方の客体に対する映像が自動的に撮影される。後方の客体とは包丁を持って接近する犯罪者である。
【０６０２】
後方から犯罪者が包丁を持って接近する瞬間、自動的に犯罪者に対する映像を撮影するだけでなくユーザにウェアラブル装置２００を介して音声や振動のような警報音を通知する。即ち、犯罪者を警戒し他の人の視線を誘導するために警報音やホイッスルの音を発生してもよい。また、急にウェアラブル装置２００がユーザの首から外された場合にも同じく動作してもよい。
【０６０３】
自動的に撮影された映像はウェアラブル装置２００に記憶されるかウェアラブル装置２００にペアリングされた移動端末機１００に伝送されて記憶される。また、自動的に撮影された映像は関連者や関連機関、例えばユーザの家族や警察署に伝送される。
【０６０４】
図５３乃至図５５に図示した分野以外に多様な分野に本発明による無線音響装置の自動撮影方法が適用される。
【０６０５】
図５６乃至図５８は、ウェアラブル装置でカメラモジュールがゆれる際に写真イメージを撮影する方法を示す。
【０６０６】
図５６は、本発明によるウェアラブル装置でカメラモジュールがゆれる際に写真イメージを撮影する方法を説明する順序図であり、図５７は本発明によるウェアラブル装置でカメラモジュールがゆれる際に写真イメージを撮影する方法を説明する画面例示図である。
【０６０７】
図５６と図５７を参照すると、ウェアラブル装置２００は前方カメラモジュール２８０と後方カメラモジュール２９０を活性化する（Ｓ４２１）。
【０６０８】
一例として、ウェアラブル装置２００に装着された活性化ボタン２５０が押される際に前方カメラモジュール２８０と後方カメラモジュール２９０が活性かされる。それによって、前方カメラモジュール２８０と後方カメラモジュール２９０それぞれに前方の客体に対する映像と後方の客体に対する映像が入力され、前方カメラモジュール２８０と後方カメラモジュール２９０それぞれに具備されたレンズに像が映される。
【０６０９】
他の例として、移動端末機１００にディスプレーされるカメラ制御画面（図３６の１０１３）上の両方ボタン（図３６の１０２５）に対するタッチ動作が入力されると、移動端末機１００はこのようなタッチ動作に対応する、例えば活性化命令をウェアラブル装置２００に伝送し、ウェアラブル装置２００の制御部２０８はこのような活性化命令に応答して前方カメラモジュール２８０及び／又は後方カメラモジュール２９０を活性化する。
【０６１０】
ユーザから写真イメージ撮影命令が入力されるとＳ４２２、ウェアラブル装置２００は前後方カメラモジュール２８０，２９０が揺れるのかを感知する（Ｓ４２３）。
【０６１１】
写真イメージ撮影命令は図５７Ａに図示したようにウェアラブル装置２００に装着された撮影ボタン２３１，２３３がユーザによって押されることで生成される。
【０６１２】
ここで、写真イメージとは一つのフレームの映像を示す静止画像である。
【０６１３】
ユーザによって撮影ボタン２３１，２３３が押される場合、図５７Ｂに示したように撮影ボタン２３１，２３３が装着されたウェアラブル装置２００が揺れ、ウェアラブル装置２００に装着された前方カメラモジュール２８０及び／又は後方カメラモジュール２９０も揺れる可能性がある。
【０６１４】
このようなウェアラブル装置２００又は前方カメラモジュール２８０及び／又は後方カメラモジュール２９０の揺れはウェアラブル装置２００のハプティックモジュール２０５ｂによって感知される。
【０６１５】
次に、ウェアラブル装置２００の制御部２０８はハプティックモジュール２０５ｂによって感知されたウェアラブル装置２００又は前方カメラモジュール２８０及び／又は後方カメラモジュール２９０の揺れの強度を把握し、このような揺れの強度が予め設定した値より大きいのかを把握する。予め設定した値は製造会社やユーザにいよって設定される。
【０６１６】
もし前方カメラモジュール２８０及び／又は後方カメラモジュール２９０の揺れの強度が予め設定した値より小さければ、ウェアラブル装置２００の制御部２０８は前方カメラモジュール２８０及び／又は後方カメラモジュール２９０を制御して前方カメラモジュール２８０及び／又は後方カメラモジュール２９０に入力される映像に対する写真イメージを撮影する（Ｓ４２４）。
【０６１７】
もし前方カメラモジュール２８０及び／又は後方カメラモジュール２９０の揺れの強度が予め設定した値より大きければ、ウェアラブル装置２００の制御部２０８は前方カメラモジュール２８０及び／又は後方カメラモジュール２９０を制御して前方カメラモジュール２８０及び／又は後方カメラモジュール２９０に入力される映像に対する動画を撮影する（Ｓ４２５）。
【０６１８】
ウェアラブル装置２００の揺れに対応して前方カメラモジュール２８０及び／又は後方カメラモジュール２９０が揺れる途中に写真イメージが撮影されると、該当写真イメージの客体の形態が不明確に示される。よって、このように撮影された写真イメージは捨てられるため大切な思い出をなくす恐れがある。
【０６１９】
本発明では前方カメラモジュール２８０及び／又は後方カメラモジュール２９０の揺れの強度が予め設定された値より大きければ、図５７Ｃに示したように写真イメージ撮影モードが動画撮影モードに変更されて写真イメージの代わりに動画が撮影される。
【０６２０】
前記撮影された動画はメモリ２０７に臨時に記憶される。
【０６２１】
該当動画は予め設定された時間の間に撮影され、例えば略５秒乃至１０秒の間に撮影される。
【０６２２】
このように５秒乃至１０秒の間に動画で撮影されると、この期間の間に前方カメラモジュール２８０及び／又は後方カメラモジュール２９０の揺れが減って該当動画の一部フレームのうち揺れのない客体に対するフレーム映像（図５８の１０８３）が存在する可能性がある。
【０６２３】
動画撮影モードで撮影された動画は図５８に図示したように多数のフレーム映像１０８１，１０８２，１０８３，１０８４で形成される。ここで、各フレーム映像１０８１，１０８２，１０８３，１０８４は静止画像である。
【０６２４】
多数のフレーム映像１０８１，１０８２，１０８３，１０８４のうち特定フレーム領域１０８３は揺れのないきれいな映像である。
【０６２５】
ウェアラブル装置２００の制御部２０８は図５８に示した多数のフレーム映像１０８１，１０８２，１０８３，１０８４のうちから最も揺れが小さいフレーム映像１０８３をユーザが撮影したかった写真イメージとして選択する（Ｓ４２６）。ここで、ウェアラブル装置２００の制御部２０８は前記選択された写真イメージ１０８３をメモリ２０７に記憶するか移動端末機１００に伝送する。
【０６２６】
一方、前記メモリ２０７に臨時に記憶された動画は予め設定された期間、例えば一日が過ぎてから自動的に削除されてもよいが、それについては限定しない。
【０６２７】
図５９は、本発明によるウェアラブル装置を利用して前方映像及び後方映像を録画する方法を説明する順序図である。
【０６２８】
図５９を参照すると、ウェアラブル装置２００の制御部２０８は前方カメラモジュール２８０と後方カメラモジュール２９０を活性化する（Ｓ４３１）。
【０６２９】
前方カメラモジュール２８０及び／又は後方カメラモジュール２９０の活性化はウェアラブル装置２００に装着された活性化ボタン２５０が押されるか移動端末機１００にディスプレーされるカメラ制御画面（図３６の１０１３）上の両方ボタン（図３６の１０２５）に対するタッチ動作によって行われる。より詳しくは、上述した図５６に関する説明によって容易に理解される。
【０６３０】
映像録画命令が入力されると（Ｓ４３３）、ウェアラブル装置２００の制御部２０８は設定時間の間に前方映像と後方映像を録画する一方、前方映像及び後方映像それぞれに対する位置情報を記憶する（Ｓ４３５）。
【０６３１】
前方映像は前方カメラモジュール２８０から録画され、後方映像は後方カメラモジュール２９０から録画される。
【０６３２】
基本的に前方映像と後方映像が同時に録画されるが、ユーザの選択に応じて前方映像のみ又は後方映像のみ録画されてもよい。
【０６３３】
前方映像及び／又は後方映像の位置情報は位置情報モジュール２１０ｄによって得られる。
【０６３４】
例えば、ユーザがウェアラブル装置２００を着用した状態で車を運転する場合、車が進行する途中の車の前方と後方それぞれの映像が録画される。
【０６３５】
例えば、ユーザがウェアラブル装置２００を着用した状態で街を歩いている場合、歩いている途中のユーザの前方と後方それぞれの映像が録画される。
【０６３６】
前方映像及び／又は後方映像の録画時間は、例えば一日に設定されてもよい。もしウェアラブル装置２００のメモリ２０７に録画のために割り当てられた記憶空間が十分であれば、ユーザがウェアラブル装置２００の電源を強制に遮断しない限り数日ずつ前方映像及び／又は後方映像が録画される。
【０６３７】
もし前方映像及び／又は後方映像が録画される途中にメモリ２０７に録画のために割り当てられた記憶空間がフルになる場合、最初に録画された映像を消してその消したメモリ２０７の領域に前方映像及び／又は後方映像が録画記憶される。
【０６３８】
このような位置情報は後に前記録画された映像が再生されるとき、経路マップを構成する際に使用される。
【０６３９】
ウェアラブル装置２００に記憶された録画映像と位置情報は自動的に又はユーザの選択に応じて移動端末機１００に伝送されて記憶される。また、移動端末機１００に予め設定されている場合、前記録画映像と位置情報が自動的に外部サーバに伝送されて記憶される。
【０６４０】
図６０は、本発明によるウェアラブル装置によって録画された映像を移動端末機にディスプレーする方法を説明する画面例示図である。
【０６４１】
図６０Ａに示したように、移動端末機１００のホーム画面１００１上にウェアラブル装置２００で録画されて伝送された録画映像を再生する特定アイコンがディスプレーされる。
【０６４２】
特定アイコンはウェアラブル装置２００から前記録画映像が受信される際に生成されてもよいが、それについては限定しない。
【０６４３】
特定アイコンは例えばタイムマシーンアイコン１０９１であってもよいが、それについては限定しない。
【０６４４】
タイムマシーンアイコン１０９１に対するタッチが入力されると、図６０Ｂに示したように録画映像が移動端末機１００のディスプレー部１５１上に再生される。
【０６４５】
録画家像はウェアラブル装置２００で録画されて位置情報と共に移動端末機１００に伝送され、移動端末機１００のメモリ１７０に記憶される。
【０６４６】
録画映像はウェアラブル装置２００の前方カメラモジュール２８０によって録画された後方映像を含む。
【０６４７】
移動端末機１００のディスプレー部１５１の画面は前方映像再生領域１１０１、後方映像再生領域１１０３、録画映像制御領域１１０９及び経路マップ表示領域１１０５を含む。
【０６４８】
前方映像再生領域１１０１は前方が録画された前方映像が再生され、後方映像再生領域１１０３は後方が録画された後方映像が再生される。
【０６４９】
前方映像再生領域１１０１のサイズは後方映像再生領域１１０３のサイズより大きくてもよいが、それについては限定しない。
【０６５０】
後方映像再生領域１１０３と経路マップ表示領域１１０５は前方映像再生領域１１０１の右側の上に表示され、録画映像制御領域１１０９は前方映像再生領域１１０１と経路マップ表示領域１１０５それぞれの下側の上に配置されてもよい。また、経路マップ表示領域１１０５は後方映像再生領域１１０３と録画映像制御領域１１０９との間に配置されてもよいが、それについては限定しない。
【０６５１】
経路マップ表示領域１１０５の上にウェアラブル装置２００から録画映像と共に伝送された位置情報に基づいて録画映像に含まれたマップと共に現在の前方映像再生領域１１０１の上に再生される前方映像と後方映像再生領域１１０３の上に再生される後方映像でのユーザの位置が表示される。
【０６５２】
例えば、録画領域に含まれたユーザの移動経路がＡ位置からＢ位置まで移動した場合、Ａ位置とＢ位置を少なくとも含むマップ情報が経路マップ表示領域１１０５の上にディスプレーされる。さらに、前方映像再生領域１１０１の上にユーザがＡ位置にいるときの前方映像が再生され、同じく後方映像再生領域１１０３の上にユーザがＢ位置にいるときの後方映像が現在再生される場合、経路マップ表示領域１１０５上にディスプレーされるマップ情報上のＡ位置にユーザの現在位置マーカー１１０７がディスプレーされる。
【０６５３】
ユーザは前方映像再生領域１１０１上に再生される前方映像と後方映像再生領域１１０３の上に再生される後方映像と共に経路アップ表示領域１１０５の上にディスプレーされるユーザの現在位置マーカー１１０７を介してユーザ自らの経路を容易に把握できる。
【０６５４】
録画映像制御領域１１０９は録画映像、即ち前方映像と後方映像の時間的に進行される再生進行状態をガイドする進行状態ガイド１１１０と、進行状態ガイド１１１０上に位置して前方映像再生領域１１０１上に再生される前方映像と後方映像再生領域１１０３上に再生される後方映像の現在の再生進行位置を表示する進行状態バー１１１２を含む。
【０６５５】
進行状態バー１１１２は録画映像、即ち前方映像と後方映像が時間的に再生されることで進行状態バー１１１２の最左側から右側に移動する。
【０６５６】
進行状態バー１１１２の最左側地点は録画映像の開始時点を示し、進行状態バー１１１２の最右側地点は録画映像の終了時点を示す。
【０６５７】
録画映像制御領域１１０９で進行状態ガイド１１１０の上側に第１グループのサムネール（ｔｈｕｍｎａｉｌ）イメージ１１１４と第１グループのサムネールイメージ１１１４の上側に第２グループのサムネールイメージ１１１６がディスプレーされる。
【０６５８】
第１グループのサムネールイメージ１１１４は前方映像を構成する多数のフレーム映像のうち一定区間ごとに当たるフレーム映像である。
【０６５９】
第２グループのサムネールイメージ１１１６は後方映像を構成する多数のフレーム映像のうち一定区間ごとに当たるフレーム映像である。
【０６６０】
図６０では第１グループのサムネールイメージ１１１４と第２グループのサムネールイメージ１１１６それぞれ２２個のサムネール映像を含むが、本発明はそれに限定しない。
【０６６１】
第１グループのサムネールイメージ１１１４と第２グループのサムネールイメージ１１１６は普段はディスプレーされず、ユーザから進行状態バー１１１２に対してタッチ及びホールド動作が入力されれば録画映像制御流域１１０９で進行状態ガイドバー１１１０の上側にディスプレーされてもよいが、それについては限定しない。
【０６６２】
もしユーザから進行状態バー１１１２に対してホールド解除が入力されると、第１グループのサムネールイメージ１１１４と第２グループのサムネールイメージ１１１６が消える。
【０６６３】
進行状態バー１１１２が位置する地点に対応する第１グループのサムネールイメージ１１１４のフレーム映像１１１４ａと第２グループのサムネールイメージ１１１６のフレーム映像１１１６ａは、例えばハイライトされるか点滅するか特定色に表示されて他のフレーム映像と区分される。
【０６６４】
一方、ユーザから進行状態バー１１１２に対してタッチ及びホールドされた状態で右側方向に沿ってユーザが望みに時点にドラッグタッチされてからタッチ解除が入力されると、図６０Ｃにしめしたように進行状態バー１１１２はユーザの望みの時点に移動する。
【０６６５】
このような場合、前方映像再生領域１１０１の上に進行状態バー１１１２が移動された時点に当たる前方映像が再生され、後方映像再生領域１１０３上に進行状態バー１１１２が移動された時点に当たる後方映像が再生される。
【０６６６】
また、経路マップ表示領域１１０５上に進行状態バー１１１２が移動された時点に当たる前方映像及び後方映像でのユーザの位置に現在位置マーカー１１０７が移動されてディスプレーされる。
【０６６７】
さらに、進行状態バー１１１２が移動された時点に当たる第１グループのサムネールイメージ１１１４のフレーム映像１１１４ｂと第２グループのサムネールイメージ１１１６のフレーム映像１１１６ｂは、例えばハイライトされるか点滅するか特定色に表示されて他のフレーム映像と区分される。それとは逆に、以前にハイライトされるか点滅するか特定色に表示されていた第１グループのサムネールイメージ１１１４のフレーム映像１１１４ａと第２グループのサムネールイメージ１１１６のフレーム映像１１１５ａは他のフレーム映像と同じくなる。
【０６６８】
図６１は、図６０に示した前方映像再生領域と後方映像再生領域が互いにスイッチングされる方法を説明する画面例示図である。
【０６６９】
図６１Ａに示したように、前方映像再生領域１１０１の任意の地点から後方映像再生領域１１０３の任意の地点までタッチ及びドラッグ動作が入力されると、図６１ｂに示したように前方映像再生領域１００１と後方映像再生領域１１０３が互いにスイッチングされる。このような場合、前方映像再生領域１１０１が後方映像再生領域１１０３に新しく定義され、新しく定義された後方映像再領域１１０３上に後方映像が再生される。後方映像再生領域１１０３が前方映像再生領域１１０１に新しく定義され、新しく定義された前方映像再領域１１０１上に前方映像が再生される。
【０６７０】
図６２は、図６０に示した前方映像領域を可変する方法を説明する第１画面例示図である。
【０６７１】
図６２Ａに示したように、前方映像再生領域１１０１の任意の地点から、例えば経路マップ表示領域１１０５の任意の領域にタッチ及びドラッグ動作が入力されると、図６２Ｂに示したように、後方映像再生領域１１０３と経路マップ表示領域１１０５だけでなく録画映像制御領域１１０９も消える代わりに、前方映像再生領域１１０１が後方映像再生領域１１０３、経路マップ表示領域１１０５及び録画映像制御領域１１０９まで拡張される。言い換えると、前方映像再生領域１１０１がディスプレー部１５１の画面の全領域に拡張される。
【０６７２】
このように、前方映像再生領域１１０１がディスプレー部１５１の画面の全領域に拡張された状態で前方映像再生領域１１０１の任煮の地点に対して１回叩くシングルタブや２回叩くダブルタブが入力されると、図６２Ｃに示したように元の領域に復元される。即ち、ディスプレー部１５１の画面の全領域に拡張された前方映像領域１１０１が元のサイズに縮小される一方、ディスプレー部１５１の画面上から消えた後方映像再生領域１１０３、経路マップ表示領域１１０５及び録画映像制御領域１１０９それぞれがディスプレー部１５１の画面の元の領域に現れる。
【０６７３】
図６３は、図６０に示された前方映像再生領域を可変する方法を説明する第２画面例示図である。
【０６７４】
前方映像再生領域１１０１の任意の地点から、例えば経路マップ表示領域１１０５の任煮の領域にタッチ及びドラッグ動作が入力されると（図６２ａ参照）、図６３ａに示したように後方映像再生領域１１０３と経路マップ表示領域１１０５が消える代わりに前方映像再生領域１１０１が後方映像再生領域１１０３と経路マップ表示領域１１０５まで拡張される。
【０６７５】
このような場合、後方映像が再生される後方映像再生領域１１０３が消えてそれ以上後方映像が再生されないため、録画映像制御領域１１０９にディスプレーされる第２グループのサムネールイメージ１１１６も録画映像制御領域１１０９から消える。
【０６７６】
前方映像再生領域１１０１が第２グループのサムネールイメージ１１１６が消えた領域だけ更に拡張されるため、ユーザは前方映像をより大きいサイズで見ることができる。
【０６７７】
このように前方映像再生領域１１０１が拡張された状態で前方映像再生領域１１０１の任意の地点に対して１回叩くシングルタブや２回叩くダブルタブが入力されると、図６３ｂに示したように元の領域に復元される。即ち、前記拡張された前方映像再生領域１１０１が元のサイズに縮小される一方、ディスプレー部１５１の画面から消えていた後方映像再生領域１１０３及び経路マップ表示領域１１０５それぞれがディスプレー部１５１の画面の元の領域に現れる。
【０６７８】
さらに、前記消えていた後方映像再生領域１１０３に対応して消えていた第２グループのサムネールイメージ１１１６が録画映像制御領域１１０９上に現れる。
【０６７９】
図５９乃至図６３に示した映像録画及び録画映像再生方法によって、ユーザはいつでも望みの時点の映像を見ることができる。
【０６８０】
図６４は、本発明によるウェアラブル装置を利用してユーザが特定場所で建物を容易に探す方法を説明する順序図である。
【０６８１】
図６４を参照すると、ウェアラブル装置２００は移動端末機１００から受信された場所及び名前を含む目的地情報をメモリ２０９に登録するＳ４４１。
【０６８２】
ウェアラブル装置２００に文字を入力するための入力手段がないため、移動端末機１００から場所及び名前を含む目的地情報を受信される。
【０６８３】
詳しくは、図６５Ａに示したように移動端末機１００のホーム画面１００１上に目的地探索アイコン１１１８がディスプレーされる。
【０６８４】
ユーザから目的地探索アイコン１１１８に対するタッチが入力されると、図６５Ｂ示したように入力ウィンドウ１１２１と文字、数字及び特殊文字を入力するためのキーボード１１２３がディスプレーされる。
【０６８５】
入力ウィンドウ１１２１は名前を入力するための名前入力ウィンドウ１１２５と場所を入力するための場所入力ウィンドウ１１２７を含む。
【０６８６】
ユーザはキーボード１１２３を利用して名前入力ウィンドウ１１２５に名前を入力し、場所入力ウィンドウ１１２７に場所を入力する。
【０６８７】
名前がユーザの探そうとする建物の名前や店の名前である。場所はユーザが行こうとする位置であって、例えばアドレスである。
【０６８８】
名前入力ウィンドウ１１２５に名前が入力されて場所入力ウィンドウ１１２８に場所が入力された後、ユーザから伝送ボタン１１２９に対するタッチが入力されるとユーザから入力された場所と名前を含む目的地情報がウェアラブル装置２００から伝送される。
【０６８９】
他の例として、ユーザが必ずしも前記情報を入力しなくても周辺の代表的な建物の名前、地名などが自動的に入力されてもよい。
【０６９０】
ウェアラブル装置２００は移動端末機１００から受信された場所と名前を含む目的地情報をメモリ２０７に登録する。
【０６９１】
更に図６４を参照すると、ウェアラブル装置２００は位置情報モジュール２０１ｄを活性化するＳ４４２。
【０６９２】
ウェアラブル装置２００や移動端末機１００によってユーザの移動が感知されるとき位置情報モジュール２０１ｄが活性化されてもよいが、それについては限定しない。
【０６９３】
ウェアラブル装置２００の位置情報モジュール２０１ｄが活性化されることでウェアラブル装置２００は位置情報モジュール２０１ｄを利用してユーザの位置を把握する。
【０６９４】
ユーザの位置が予め登録された場所内にある場合、ウェアラブル装置２００の制御部２０８は前方カメラモジュール２８０を活性化する（Ｓ４４３）。
【０６９５】
ウェアラブル装置２００に活性化ボタン２５０が具備されているが、ユーザから活性化ボタン２５０が押されなくてもユーザの位置が予め登録された場所内にいれば前方カメラモジュール２８０が活性化される。
【０６９６】
ここで近くとは、予め登録された場所から離隔された半径である。半径とは、例えば略５００ｍ又は１ｋｍである。このような半径はユーザによって予め設定されてもよい。
【０６９７】
前方カメラモジュール２８０が活性化されることで、ウェアラブル装置２００の制御部２０８は前方カメラモジュール２８０を制御して前方カメラモジュール２８０に入力される前方映像を撮影する（Ｓ４４４）。
【０６９８】
ユーザが場所近くで予め登録された名前を探すために辺りを見回し、ユーザが見回すことで前方カメラモジュール２８０に入力される互いに異なる視野角を有する前方映像が撮影される。
【０６９９】
他の例として、前方カメラモジュール２８０だけでなく後方カメラモジュール２９０、左側カメラモジュール（図７１の１５０３）と右側カメラモジュール１５０１が活性化され、それらのカメラモジュール２８０，２９０，１５０１，１５０３全てから該当映像が撮影される。
【０７００】
ウェアラブル装置２００の制御部２０８は前記撮影された前方映像からテキストを抽出するＳ４４５。
【０７０１】
前記撮影された前方映像の中には多数のテキスト、キャラクタ、イメージ、図形などが含まれる。
【０７０２】
ウェアラブル装置２００の制御部２０８はその中からテキストを抽出する。
【０７０３】
映像イメージからテキストを抽出する方法は通常の周知技術から容易に理解されるため、それ以上の説明は省略する。
【０７０４】
ウェアラブル装置２００の制御部２０８は前記撮影された前方映像から抽出されたテキストを予め登録された名前と比較し、前記抽出されたテキストが予め登録された名前と同じであるのかを確認する（Ｓ４４６）。
【０７０５】
もし前記抽出されたテキストが予め登録された名前と同じでなければ、Ｓ４４４に移動してＳ４４５及びＳ４４６が繰り返し行われる。
【０７０６】
前記抽出されたテキストが予め登録された同じであれば、ウェアラブル装置２００の制御部２０８は目的地を見つけたことをユーザに通知する（Ｓ４４７）。
【０７０７】
一例として、ウェアラブル装置２００の制御部２０８は目的地を見つけたことをウェアラブル装置２００の音響出力部２０５ａを介して通知するか、ウェアラブル装置２００の光出力部２０５ｃを介して通知する。
【０７０８】
他の例として、ウェアラブル装置２００の制御部２０８は目的地を見つけたことを移動端末機１００のディスプレー部１５１を介して文字メッセージで通知するか、移動端末機１００の音響出力部１５２を介して通知するか移動端末機１００の光出力部位１５４を介して通知する。
【０７０９】
図６６乃至図６８は、本発明のウェアラブル装置で撮影された写真イメージリストを移動端末機上にロードビューマップでディスプレーする方法を示す。
【０７１０】
図６６は、本発明のウェアラブル装置で撮影された写真イメージリストを移動端末機１００上にロードビューマップでディスプレーする方法を説明する順序図である。
【０７１１】
図６６を参照すると、移動端末機１００はウェアラブル装置２００から位置情報を利用して撮影された写真イメージリストを音声ファイルと共に受信する（Ｓ４５１）。
【０７１２】
写真イメージが撮影されるためにウェアラブル装置２００の前方カメラモジュール２８０及び／又は後方カメラモジュール２９０が活性化される。例えば、ユーザから活性化ボタン２５０に対する押し動作が入力されると前方カメラモジュール２８０及び／又は後方カメラモジュール２９０が活性化されてもよいが、上述したように移動端末機１００によっても可能である。
【０７１３】
さらに、ウェアラブル装置２００を利用して写真イメージが撮影される際、ウェアラブル装置２００の位置情報モジュール２０１ｄとマイクロフォン２０２ｂが活性化される。
【０７１４】
位置情報モジュール２０１ｄとマイクロフォン２０２ｂはユーザのボタン操作によって活性ｋされるか、前方カメラモジュール２８０及び／又は後方カメラモジュール２９０の活性化と連動して一緒に活性化されてもよい。
【０７１５】
図示していないが、ウェアラブル装置２００上に前方カメラモジュール２８０及び／又は後方カメラモジュール２９０だけでなく左側カメラモジュールと右側カメラモジュールが更に装着される場合、前方カメラモジュール２８０及び／又は後方カメラモジュール２９０だけでなく左側カメラモジュール及び右側カメラモジュールも活性化される。
【０７１６】
このような場合、前方カメラモジュール２８０、後方カメラモジュール２９０、左側カメラモジュール及び右側カメラモジュールが同時に撮影されることでパノラマ写真イメージやロードビュー写真イメージが生成される。即ち、ユーザを中心に３８０°全ての方向の客体に対する映像が一フレーム単位の写真イメージで生成される。
【０７１７】
本発明はウェアラブル装置２００上に前方カメラモジュール２８０及び／又は後方カメラモジュール２９０が装着されるか、前方カメラモジュール２８０、後方カメラモジュール２９０、左側カメラモジュール１５０３及び右側カメラモジュール１５０１全てが装着されることを全て含む（図７１を参照）。
【０７１８】
以下、便宜上ウェアラブル装置２００上に前方カメラモジュール２８０、後方カメラモジュール２９０、左側カメラモジュール１５０３及び右側カメラモジュール１５０１が全て装着されていると仮定して説明する。
【０７１９】
ユーザから撮影ボタン２３１，２２３に対する押し動作が入力されると、図６７に示したようにウェアラブル装置２００は前方カメラモジュール２８０、後方カメラモジュール２９０、左側カメラモジュール１５０３及び右側カメラモジュール１５０１に入力される映像を撮影して各カメラモジュール１８０，２９０，１５０１，１５０３から撮影された映像に基づいて第１乃至第４領域１１３４，１１３５，１１３６，１１３７を含む一フレームの写真イメージ１０３３を生成する。
【０７２０】
例えば、第１領域１１３４は前方カメラモジュール２８０によって撮影された前方映像であり、第２領域１１３５は右側カメラモジュール１５０１によって撮影された右側映像である。第３領域１１３６は後方カメラモジュール２９０によって撮影された後方映像であり、第４領域１１１３７は左側カメラモジュール１５０３によって撮影された左側映像である。各カメラモジュール２８０，２９０，１５０１，１５０３によって撮影された映像を第１乃至第４領域１１３４，１１３５，１１３６，１１３７のどの領域に設定するのかは製造会社によって予め設定されるかユーザによって設定されてもよい。
【０７２１】
このような場合、図６７Ａに示したように写真イメージ１１３３の第１領域１１３４が移動端末機１００の単一画面上にディスプレーされる。写真イメージ１１３３の第１領域１１３４がディスプレーされた状態でユーザから左側方向に沿ってタッチドラッグが入力されると、図６７Ｂに示したように写真イメージ１１３３の第１領域１１３４が写真イメージ１１３３の第２領域１１３５にスイッチングされてディスプレーされる。写真イメージ１１３３の第２領域１１３５がディスプレーされた状態でユーザから左側方向に沿ってタッチドラッグが入力されると、図６７Ｃに示したように写真イメージ１１３３の第２領域１１３５が写真イメージ１１３３の第３領域１１３６にスイッチングされてディスプレーされる。写真イメージ１１３３の第３領域１１３６がディスプレーされた状態でユーザから左側方向に沿ってタッチドラッグが入力されると、図６７Ｄに示したように写真イメージ１１３３の第３領域１１３６が写真イメージ１１３３の第４領域１１３７にスイッチングされてディスプレーされる。
【０７２２】
これとは逆に、写真イメージ１１３３の第４領域１１３７がディスプレーされた状態で右側方向に沿ってドラッグタッチが入力されるたびに第４領域１１３７が第３領域１１３６に、第３領域１１３６が第２領域１１３５に、そして第２領域１１３５が第１領域１１３４にスイッチングされてディスプレーされる。
【０７２３】
よって、ユーザは写真イメージ１１３３を介してロードビュー映像を見ることができる。言い換えると、ユーザは写真イメージ１１３３を介して従来に単純に前面写真イメージのみを見ていたことから、更に前面写真イメージだけでなく全ての方向の写真イメージを同時に見ることができるためユーザに写真イメージの楽しさを提供することができる。
【０７２４】
即ち、通常一般人が写真を見るときには前面後方の客体のみが見えるが、写真を撮影する当時に前面以外の他の方向の情況はどうだったのか気になるときがある。しかし、従来は前面方向の客体のみを写真で見ることができるため、ユーザの気になるところを解消することができなかった。
【０７２５】
本発明は写真撮影当時の前面方向だけでなく全ての方向の客体に対する映像を見ることができるため、ユーザの周辺情況に対する気になる部分を解消することができる。
【０７２６】
前記では写真イメージに限って説明しているが、本発明は前方カメラモジュール２８０、後方カメラモジュール２９０、左側カメラモジュール１５０３及び右側カメラモジュール１５０１によって同時に撮影される動画に対しては同じく適用される。
【０７２７】
例えば、前方カメラモジュール２８０、後方カメラモジュール２９０、左側カメラモジュール１５０３及び右側カメラモジュール１５０１によって同時に撮影される第１乃至第４動画に対して移動端末機１００の単一画面上に第１動画が再生されてもよい。このような場合、ユーザから左側方向に沿ったドラッグタッチが入力されるたびに第１動画が第２動画に、第２動画が第３動画に、そして第３動画が第４動画にスイッチングされて再生される。
【０７２８】
更に図６６を参照すると、写真イメージリストはユーザが様々な場所で撮影して累積された多数の写真イメージを含む。このような写真イメージリストはウェアラブル装置２００のメモリ２０７に記憶されてから移動端末機１００に伝送される。
【０７２９】
音声ファイルは各写真イメージとリンクされる。例えば、写真を撮影する当時の人の音声、動物の鳴き声や周辺騒音がある。このようなものが写真撮影の際に一緒に録音されて音声ファイルとして生成される。前記生成された音声ファイルは写真イメージにリンクされる一方、ウェアラブル装置２００のメモリ２０７に記憶されてから写真イメージリストと共に移動端末機１００に伝送される。
【０７３０】
例えば、移動端末機１００で特定写真イメージがタッチされるときに特定写真イメージとリンクで連結された音声ファイルが再生されてもよいが、それについては限定しない。
【０７３１】
一方、写真イメージには位置情報が含まれる。即ち、各カメラモジュール２８０，２９０，１５０１，１５０３と位置情報モジュール２０１ｄが活性化されるとき、ウェアラブル装置２００はユーザの位置を常に把握する一方、各カメラモジュール２８０，２９０，１５０１，１５０３によって写真が撮影されるのかを確認する。
【０７３２】
ユーザから撮影ボタン２３１，２３３に対する押し動作が入力されると、ウェアラブル装置２００はこれを感知して現在把握された位置情報を各カメラモジュール２８０，２９０，１５１０，１５０３によって撮影された映像から生成された写真イメージに反映する。
【０７３３】
写真イメージに反映された位置情報は移動端末機１００でロードビューマップが生成される際、写真イメージに含まれた位置情報に基づいて各写真イメージがロードビューマップ上の該当位置に配列される。
【０７３４】
移動端末機１００はウェアラブル装置２００から受信された写真イメージリストに基づいてロードビューマップを生成し、前記生成されたロードビューマップをメモリ１７０に記憶する（Ｓ４５３）。
【０７３５】
上述したように写真イメージリストは多数の一フレーム写真イメージを含み、各写真イメージは位置情報を含む。
【０７３６】
移動端末機１００は予め提供されたマップデータに基づいて各写真イメージを位置情報に応じて配列したロードビューマップを生成する。
【０７３７】
移動端末機１００はディスプレー部１５１を制御してロードビューマップをディスプレーするＳ４５５。
【０７３８】
例えば、図６８Ａに示したように、移動端末機１００のホーム画面１００１上にロードビューギャラリーアイコン１１４１がディスプレーされる。
【０７３９】
ユーザからロードビューギャラリーアイコン１１４１に対するタッチが入力されると、図６８Ｂに示したようにロードビューマップ１１４３がディスプレー部１５１の画面上にディスプレーされる。
【０７４０】
図示していないが、画面は第１領域と第２領域とで区分される。第１領域にマップ情報が表示され、マップ情報の特定位置に当たる写真イメージが第２領域に表示される。もし該当写真イメージが表示される際に該当写真イメージの撮影当時に聞いていた音楽があれば該当音楽が再生されてもよい。一方、画面は第３領域を更に含み、第３領域に前記ディスプレーされるマップ情報から得られた地名や名所、例えばお店、飲食店、遺跡などに対する情報がディスプレーされる。これらの名所は、例えばウェブサーバから獲得されてもよい。
【０７４１】
ロードビューマップ１１４３はユーザが訪問して写真を撮影した場所に配置されるサムネール写真イメージ１１４５を含む。
【０７４２】
特定場所で少なくとも一つ以上の写真イメージが撮影される場合、該当場所に配置されるサムネール写真イメージ１１４５は少なくとも一つの写真イメージが互いに重なる形状を有する。サムネール写真イメージ１１４５上に前記撮影された写真イメージの個数を示す数字マークがディスプレーされる。
【０７４３】
図示されていないがロードビューマップ１１４３上にユーザが移動した経路がディスプレーされてもよく、この経路は道とは異なる他のカラーやハッチングを有する。移動方向が分かるように経路上に進行方向を示す矢印がディスプレーされてもよい。
【０７４４】
例えば、特定サムネールイメージに対するタッチが入力されると特定サムネールイメージ上にディスプレーされる数字マークに当たる写真イメージが広げられ、ドラッグタッチを介して特定写真イメージに移動し選択すると特定写真イメージが別途のウィンドウにディスプレーされる一方、特定写真イメージにリンクされた音楽ファイルが再生されてユーザは特定写真イメージを鑑賞しながら特定写真イメージを撮影する当時の周辺の音を聞くことができる。
【０７４５】
この際、特定写真イメージは図６７Ａに示した写真イメージの第１領域に当たる。即ち、前方カメラモジュール２８０によって撮影された特定写真イメージがディスプレーされる。このような場合、上述したようにユーザから左側方向に沿ってドラッグタッチが入力されるたびに右側カメラモジュール１５０１によって撮影された他のイメージ、後方カメラモジュール２９０によって撮影されたまた他のイメージ、そして左側カメラモジュール１５０３によって撮影された更に他の写真イメージが順次にディスプレーされる。
【０７４６】
それによって、ユーザは前方カメラモジュール２８０によって撮影された特定写真イメージのみを見るのではなく右側カメラモジュール１５０１、後方カメラモジュール２９０及び左側カメラモジュール１５０３によって撮影された他の写真イメージも見ることができるため、まるでロードビュー写真を鑑賞することができる。
【０７４７】
例えば、前方カメラモジュール２８０、後方カメラモジュール２９０、右側カメラモジュール１５０１及び左側カメラモジュール１５０３によって時間周期に応じて又は距離に応じて撮影されてもよい。このように撮影されたイメージは移動端末機１００に伝送されて記憶される。このような場合、移動端末機１００でロードビューマップがディスプレーされるときに時間バーも一緒にディスプレーされる。時間バーを利用して特定時間が選択される際、特定時間で動いた距離とその特定時間に撮影された写真イメージがウィンドウやサムネールイメージでディスプレーされる。
【０７４８】
一方、前記撮影された写真イメージと共に撮影当時のＧＰＳ情報、ユーザの移動方向情報、撮影当時に聞いていた音楽の情報、天気情報、撮影当時の周辺の音などがタグ（ｔａｇ）情報として記憶され、タグ情報はイメージやアイコンとして表示される。このような場合、該当アイコンを選択する際に前記選択された写真イメージがディスプレーされると共にＧＰＳ情報、移動方向情報、天気情報が共にディスプレーされ、音楽情報に当たる音楽ファイルが再生されるか撮影当時の周辺の音が再生されてもよい。撮影当時に聞いていた音楽は移動端末機１００のメモリ１７０に記憶されているものでもよく、ウェブサーバ上に存在するものでもよい。
【０７４９】
他の例として、撮影当時に聞いていた音楽が写真イメージに関して記憶されてもよい。このような場合、音楽ファイルに写真イメージタグ情報が付加される。よって、該当音楽ファイルが再生される際、該当音楽を聞いていた当時に撮影された写真イメージが表示される。写真イメージはスライドで表示される。
【０７５０】
他の例として、特定音楽を聞いているときに撮影された写真が特定音楽とリンク連結され、特定音楽を聞くときに該当写真がディスプレーされてもよい。特定音楽を聞く際に一枚の写真が撮影された場合、特定音楽を聞く際に該当写真が別途のウィンドウでディスプレーされる。特定音楽を聞く際に複数の写真が撮影された場合、特定音楽を聞く際に複数の写真がスライドで表示される。
【０７５１】
図６９は、移動端末機でロードビューマップをディスプレーする方法を説明する他の画面例示図である。
【０７５２】
図６９Ａに示したように、移動端末機１００のディスプレー部１５１の画面が第１及び第２領域１０５２，１０５４で区分され、第１領域１０５２にイメージ表示ウィンドウがディスプレーされて第２領域１０５４にマップ表示ウィンドウがディスプレーされる。
イメージ表示ウィンドウに写真イメージがスライドで再生され、マップ表示ウィンドウにマップ情報がディスプレーされる。
【０７５３】
例えば、第１写真イメージがイメージ表示ウィンドウにディスプレーされる際、マップ表示ウィンドウにディスプレーされるマップの第１位置にマーカー１０５６が表示される。これからイメージ表示ウィンドウに表示される第１写真イメージがマップの第１位置で撮影されたことが分かる。
【０７５４】
例えば、図６９Ｂに示したように、イメージ表示ウィンドウに第２写真イメージがディスプレーされると、マップ表示ウィンドウにディスプレーされるマーカー１０５６が第２位置に移動されて表示される。これからイメージ表示ウィンドウに表示される第２写真イメージがマップの第２位置で撮影されることが分かる。
【０７５５】
本発明によると、写真イメージが撮影された位置や場所をリアルタイムでマップを介して確認することができる。
【０７５６】
以上の実施例はグラスディバイスに適用される。
【０７５７】
図７０は、本発明に関するウェアラブル装置とグラスディバイスを含むシステムを示す概略図である。
【０７５８】
図７０に示したように、ウェアラブル装置２００に装着された前方カメラモジュール２８０及び後方カメラモジュール２９０に入力される映像が撮影される。
【０７５９】
もしウェアラブル装置２００に前方カメラモジュール２８０及び後方カメラモジュール２９０以外に左側カメラモジュール（図７１の１５０３）と右側カメラモジュール（図７１の１５０１）が追加に装着されるのであれば、前方カメラモジュール２８０、後方カメラモジュール２９０、左側カメラモジュール１５０３及び／又は右側カメラモジュール１５０１に入力される映像が撮影される。
【０７６０】
この際、映像は静止画像、動画、写真イメージリスト、パノラマなどである。
【０７６１】
このように撮影された映像はウェアラブル装置２００の通信モジュール１１４を利用してグラスディバイス１３００に伝送される。グラスディバイス１３００にも通信モジュールが具備され、前記通信モジュールを利用してウェアラブル装置２００から伝送された前記撮影された映像を受信する。
【０７６２】
ガラスディバイス１３００には映像をディスプレーするためのプリズム１３１３が具備される。
【０７６３】
本体１３１１によってプリズム１３１３が支持されるように固定される。プリズム１３１３は透明な光学素子を含む。
【０７６４】
プリズム１３１３上に映像の像が映り、ユーザが映像を見ることができる。
【０７６５】
グラスディバイス１３００には映像をプリズム１３１３に照射するための光源（図示せず）が追加に具備される。
【０７６６】
さらに、グラスディバイス１３００には前方の映像を撮影するカメラ１３１５が具備されてもよい。
【０７６７】
グラスディバイス１３００はユーザがウェアラブル装置２００から受信された映像を見るように、該当映像をプリズム１３１３上に照射する。
【０７６８】
ウェアラブル装置２００から撮影された映像がガラスディバイス１３００に伝送される前に、ウェアラブル装置２００とグラスディバイス１３０との間にペアリングが行われる。
【０７６９】
ウェアラブル装置２００から撮影された映像はリアルタイム又は一定周期にグラスディバイス１３００に伝送される。
【０７７０】
ユーザはグラスディバイス１３００とウェアラブル装置２００着用した状態で、ウェアラブル装置２００の各カメラモジュール２８０，２９０、図７１の１５０１，１５０３から撮影された映像をグラスディバイス１３００のプリズム１３１３を介してみることができるため、周囲の危険情況に容易に対処することができる。
【０７７１】
図７３は、ウェアラブル装置の代わりに移動端末機で写真を撮影する方法を示す順序図である。
【０７７２】
図７３を参照すると、移動端末機１００はウェアラブル装置２００とペアリングを行うＳ４６１。
【０７７３】
ペアリングが完了されると、ウェアラブル装置２００の前方カメラモジュール２８０のは移動端末機の制御によって駆動されるかペアリングが完了したらウェアラブル装置２００によって駆動されてもよい。
【０７７４】
図７４に示したようにもし移動端末機１００によってウェアラブル装置２００の前方カメラモジュール２８０が塞がれるとＳ４６５、移動端末機１００のカメラ１２１によって前方映像が撮影される。
【０７７５】
詳しくは、ウェアラブル装置２００は前方カメラモジュール２８０に入力される前方映像の明るさの変化を利用して前方カメラモジュール２８０が移動端末機１００によって塞がれるのかを感知する。前方カメラモジュール２８０が移動端末機１００によって塞がれる場合、ウェアラブル装置２００は移動端末機１００に写真撮影命令を伝送する。前記写真撮影命令を伝送された移動端末機１００は前方映像を撮影するようにカメラ１２１を制御する。
【０７７６】
本発明のウェアラブル装置によると、移動端末機１００上にウェアラブル装置２００を駆動するウィジェットアイコンが表示される。ウィジェットアイコンに対するタッチ命令に応じてウェアラブル装置２００が駆動される。この際、ウェアラブル装置２００の駆動は前方カメラモジュール２８０と後方カメラモジュール２９０を駆動することを意味するが、それについては限定しない。ウィジェットアイコンとは、移動端末機１００などでウェブブラウザを介せずに特定機能をすぐに実行可能なアプリケーションである。
【０７７７】
一方、本発明のウェアラブル装置２００はユーザが移動端末機１００を利用して映画、写真イメージ又は放送プログラムを見ながら歩く場合、前を見ることができず前方の障害物とぶつかるか障害物に引っかかって転んで怪我をする問題を解決することができる。即ち、ユーザが移動端末機１００を利用して映画、写真イメージ又は放送プログラムを見ながら歩くとき、前方の障害物が一定距離以内に接近すればウェアラブル装置２００の近接センサ２０４ａなどがそれを感知しユーザに効果音や警報音を提供する。この際、前方の障害物が近づくほど効果音や警報音が大きくなる。
【０７７８】
このような効果音や警報音はウェアラブル装置２００自体から発生してもよい。又はウェアラブル装置２００の近接センサ２０４ａによって感知された障害物情報を移動端末機１００に伝送して移動端末機１００によって効果音や警報音を発生してもよい。
【０７７９】
障害物とは、階段、壁、ドア、車、自転車、人、動物などのようにユーザに被害を与える恐れがある全てのものである。
【０７８０】
移動端末機１００を見ながら歩く途中に障害物を避ける方法としては、上述したように図３７乃至図４０に示したように移動端末機１００のディスプレー部１５１の一部領域上に前方カメラモジュール２８０及び／又は後方カメラモジュール２９０に入力されるプレビュー映像を前方プレビュー画面１０２４及び／又は後方プレビュー画面１０２６上にディスプレーする方法がある。このように、ユーザは移動端末機１００を利用して映画や放送プログラムを見ながら歩いても前方プレビュー画面１０２４及び／又は後方プレビュー画面１０２５上にディスプレーされる前方プレビュー映像及び／又は後方プレビュー映像を随時に確認することで、前後方の障害物の存在可否を用意に確認し該当障害物を避けることができる。
【０７８１】
以上の発明ではウェアラブル装置２００に前方カメラモジュール２８０と後方カメラモジュール２９０が装着されて前方の映像と後方の映像が取得されることについて説明している。
【０７８２】
しかし、本発明はこれに限定されず、図７１に示したように、例えばウェアラブル装置２００の左側に装着される左側カメラモジュール１５０３とウェアラブル装置２００の右側に装着される右側カメラモジュール１０５１が更に追加され、前方の映像と後方の映像だけでなくユーザの左側方向の映像と右側方向の映像が獲得され、ユーザを中心に全ての方向の映像が獲得されて、このような映像によってユーザの便宜性を更に極大化することができる。
【０７８３】
本発明は図７１に示した４つのカメラモジュール２８０，２９０，１５０１，１０５３より多くのカメラモジュールがウェアラブル装置に装着されて使用されてもよい。
【０７８４】
上述した本発明は、プログラムが記録された媒体にコンピュータが読み込めるコードとして具現することができる。コンピュータが読み込める媒体はコンピュータシステムによって読み込めるデータが記憶される全ての種類の記録装置を含む。コンピュータが読み込める媒体の例としては、ＨＤＤ（Ｈａｒｄ  Ｄｉｓｋ  Ｄｒｉｖｅ）、ＳＳＤ（Ｓｏｌｉｄ  Ｓｔａｔｅ  Ｄｉｓｋ）、ＳＤＤ（Ｓｌｉｃｏｎ  Ｄｉｓｋ  Ｄｒｉｖｅ）、ＲＯＭ，ＲＯＭ，ＣＤ−ＲＯＭ、磁気テープ、フロッピディスク、光データ記憶装置などがあり、またキャリアウェーブ（例えば、インターネットを介した伝送）の形態で具現されることも含む。また、前記コンピュータは移動端末機１００の制御部１８０を含んでもよい。よって、前記詳細な説明は全ての面で制限的に解析されてはならず、例示的なものとして考慮されるべきである。本発明の範囲は添付した特許請求の範囲の合理的な解析によって決定されるべきであり、本発明の等価的な範囲内での全ての変更は本発明の範囲に含まれる。
【図１】
2016076202.tif 000003
【図２】
2016076202.tif 000004
【図３】
2016076202.tif 000005
【図４】
2016076202.tif 000006
【図５】
2016076202.tif 000007
【図６】
2016076202.tif 000008
【図７】
2016076202.tif 000009
【図８】
2016076202.tif 000010
【図９】
2016076202.tif 000011
【図１０】
2016076202.tif 000012
【図１１】
2016076202.tif 000013
【図１２Ａ】
2016076202.tif 000014
【図１２Ｂ】
2016076202.tif 000015
【図１２Ｃ】
2016076202.tif 000016
【図１３】
2016076202.tif 000017
【図１４】
2016076202.tif 000018
【図１５】
2016076202.tif 000019
【図１６】
2016076202.tif 000020
【図１７】
2016076202.tif 000021
【図１８】
2016076202.tif 000022
【図１９】
2016076202.tif 000023
【図２０】
2016076202.tif 000024
【図２１】
2016076202.tif 000025
【図２２Ａ】
2016076202.tif 000026
【図２２Ｂ】
2016076202.tif 000027
【図２２Ｃ】
2016076202.tif 000028
【図２３】
2016076202.tif 000029
【図２４】
2016076202.tif 000030
【図２５】
2016076202.tif 000031
【図２６】
2016076202.tif 000032
【図２７】
2016076202.tif 000033
【図２８】
2016076202.tif 000034
【図２９】
2016076202.tif 000035
【図３０】
2016076202.tif 000036
【図３１】
2016076202.tif 000037
【図３２】
2016076202.tif 000038
【図３３】
2016076202.tif 000039
【図３４】
2016076202.tif 000040
【図３５】
2016076202.tif 000041
【図３６】
2016076202.tif 000042
【図３７】
2016076202.tif 000043
【図３８】
2016076202.tif 000044
【図３９】
2016076202.tif 000045
【図４０】
2016076202.tif 000046
【図４１】
2016076202.tif 000047
【図４２】
2016076202.tif 000048
【図４３】
2016076202.tif 000049
【図４４】
2016076202.tif 000050
【図４５】
2016076202.tif 000051
【図４６】
2016076202.tif 000052
【図４７】
2016076202.tif 000053
【図４８】
2016076202.tif 000054
【図４９】
2016076202.tif 000055
【図５０】
2016076202.tif 000056
【図５１】
2016076202.tif 000057
【図５２】
2016076202.tif 000058
【図５３】
2016076202.tif 000059
【図５４】
2016076202.tif 000060
【図５５】
2016076202.tif 000061
【図５６】
2016076202.tif 000062
【図５７】
2016076202.tif 000063
【図５８】
2016076202.tif 000064
【図５９】
2016076202.tif 000065
【図６０】
2016076202.tif 000066
【図６１】
2016076202.tif 000067
【図６２】
2016076202.tif 000068
【図６３】
2016076202.tif 000069
【図６４】
2016076202.tif 000070
【図６５】
2016076202.tif 000071
【図６６】
2016076202.tif 000072
【図６７】
2016076202.tif 000073
【図６８Ａ】
2016076202.tif 000074
【図６８Ｂ】
2016076202.tif 000075
【図６９】
2016076202.tif 000076
【図７０】
2016076202.tif 000077
【図７１】
2016076202.tif 000078
【図７２】
2016076202.tif 000079
【図７３】
2016076202.tif 000080
【図７４】
2016076202.tif 000081